(57)【特許請求の範囲】
【請求項１】
下記一般式（１）で示される化合物。
0006750669.tif 000159
｛式中、Ｄｙｅは、キサンテン系染料、トリアリールメタン系染料又はシアニン系染料由来の残基を表し、Ｒ１は、水素原子又はメチル基を表し、Ｙ０は、直鎖の炭素数１〜３のアルキレン基、−ＮＨ−又は単結合を表し、Ｙ１及びＹ２はそれぞれ独立して、−Ｏ−又は−ＮＨ−を表し、Ａ１は、−Ｏ−、−ＯＣＯ−、−ＣＯＯ−、−ＮＨＣＯ−、−ＣＯＮＨ−、−ＮＨＣＯＮＨ−及び／又はフェニレン基を鎖中に有していてもよい炭素数１〜６のアルキレン基、或いは単結合を表し、Ａ２は、−Ｏ−を鎖中に有していてもよく、且つ、下記一般式（２）で示される基を１〜６個鎖中又は末端に有する炭素数１〜６のアルキレン基を表し、ｎは、１又は２を表す；
0006750669.tif 000160
（式中、Ｒ１及びＹ２は、上記と同じであり、Ｒ３は、水素原子、炭素数１〜６のアルキル基又は下記一般式（２−１）で示される基を表し、Ａ３は、−Ｏ−を鎖中に有していてもよい炭素数１〜６のアルキレン基又は単結合を表す；
0006750669.tif 000161
〔式中、Ｒ１、Ａ３及びＹ２は、上記と同じ。〕。）。
ただし、複数のＲ１、複数のＹ０、複数のＹ１、複数のＹ２、複数のＡ１及び複数のＡ２は、それぞれ同一であっても異なっていてもよく、また、Ａ２における一般式（２）で示される基の数が１個であるとき、一般式（２）におけるＲ３は一般式（２−１）で示される基を表す。｝
【請求項２】
前記一般式（２）におけるＲ３が水素原子又は炭素数１〜６のアルキル基であるとき、前記一般式（１）のＡ２における一般式（２）で示される基の数が２〜６個であり、前記一般式（２）におけるＲ３が一般式（２−１）で示される基であるとき、前記一般式（１）のＡ２における一般式（２）で示される基の数が１〜３個である、請求項１に記載の化合物。
【請求項３】
前記一般式（１）におけるＡ２が、下記一般式（３）で示されるものである、請求項１又は２に記載の化合物；
0006750669.tif 000162
｛式中、Ｒ１、Ｒ３、Ａ３及びＹ２は、上記と同じであり、Ａ４は、−Ｏ−を鎖中に有していてもよい炭素数１〜６のアルキレン基又は単結合を表し、ｎ１は、１〜６の整数を表す。ただし、複数のＲ１、複数のＲ３、複数のＡ３、複数のＡ４及び複数のＹ２は、それぞれ同一であっても異なっていてもよく、複数のＡ４の炭素数の合計は１〜６であり、また、ｎ１が１であるとき、Ｒ３は前記一般式（２−１）で示される基を表す。｝
【請求項４】
前記一般式（１）におけるＡ２が、下記一般式（４−１）又は（４−２）で示されるものである、請求項１〜３の何れかに記載の化合物；
0006750669.tif 000163
（式中、Ｒ１、Ａ３及びＹ２は、上記と同じであり、Ｒ４は、水素原子又は炭素数１〜６のアルキル基を表し、Ａ４−１は、炭素数１〜６のアルキレン基又は単結合を表し、ｎ２は、２〜６の整数を表す。ただし、複数のＲ１、複数のＲ４、複数のＡ３、複数のＡ４−１及び複数のＹ２は、それぞれ同一であっても異なっていてもよく、複数のＡ４−１の炭素数の合計は１〜６である。）、
0006750669.tif 000164
（式中、Ｒ１、Ａ３、Ａ４−１及びＹ２は、上記と同じであり、Ａ４−２は、−Ｏ−を鎖中に有する炭素数１〜６のアルキレン基を表し、ｎ３及びｎ４はそれぞれ独立して、０〜３の整数を表し、ｎ３＋ｎ４＝１〜３の整数である。ただし、複数のＲ１、複数のＡ３、複数のＡ４−１、複数のＡ４−２及び複数のＹ２は、それぞれ同一であっても異なっていてもよく、複数のＡ４−１と複数のＡ４−２の炭素数の合計は１〜６である。）
【請求項５】
前記一般式（１）における−Ａ１−Ａ２−が、下記式（１０１）〜（１１４）で示されるものである、請求項１〜４の何れかに記載の化合物。
0006750669.tif 000165
【請求項６】
前記一般式（１）におけるＤｙｅが、キサンテン系染料又はシアニン系染料由来の残基である、請求項１〜５の何れかに記載の化合物。
【請求項７】
前記一般式（１）におけるＤｙｅが、下記一般式（Ｉ）又は下記一般式（ＩＶ）で示される染料残基である、請求項１〜６の何れかに記載の化合物；
0006750669.tif 000166
｛式中、ｎ１０１個のＲ１０５はそれぞれ独立して、ハロゲノ基、炭素数１〜３０のアルキル基、炭素数１〜２０のアルコキシ基、炭素数１〜２０のアルキルチオ基、置換基を有する若しくは無置換のアミノ基、ヒドロキシ基、炭素数６〜１４のアリール基、炭素数６〜１４のアリールオキシ基又は炭素数７〜２０のアリールアルキル基を表し、Ｙ１０１は、酸素原子を表し、Ａｎ-は、アニオンを表し、Ａｒ１は、下記一般式（Ｉ−１−１）で示される環構造を表し；
0006750669.tif 000167
（式中、Ｒ１０１及びＲ１０４はそれぞれ独立して、水素原子又はメチル基を表し、Ｒ１０２及びＲ１０３はそれぞれ独立して、炭素数１〜３０のアルキル基又は置換基を有する若しくは無置換の炭素数６〜１４のアリール基を表し、Ｒ１０１とＲ１０２とで炭素数２〜４のアルキレン基を形成していてもよく、Ｒ１０３とＲ１０４とで炭素数２〜４のアルキレン基を形成していてもよい。）、
＊及び＊＊は、それぞれの結合位置を表し、Ａｒ２は、ベンゼン環、ナフタレン環又はアントラセン環を表す。Ａｒ２がベンゼン環の場合、ｎ１０１は０〜４の整数を表し、Ａｒ２がナフタレン環の場合、ｎ１０１は０〜６の整数を表し、Ａｒ２がアントラセン環の場合、ｎ１０１は０〜８の整数を表す。｝、
0006750669.tif 000168
（式中、Ａｎ-は上記と同じであり、Ｒ４０１〜Ｒ４０４はそれぞれ独立して、水素原子、炭素数１〜６のアルキル基、炭素数１〜６のアルコキシ基、炭素数２〜４のアルキルオキシカルボニル基、炭素数２〜４のアルキルカルボニルオキシ基、フェニルカルボニル基、ナフチルカルボニル基、ハロゲノ基、カルボキシ基、ニトロ基、シアノ基又はアミノ基を表し、Ｒ４０５及びＲ４０６はそれぞれ独立して、水素原子；炭素数１〜６のアルキル基；炭素数１〜６のアルキル基、ニトロ基、ハロゲノ基又はシアノ基を有する若しくは無置換の炭素数７〜９のフェニルアルキル基；或いは炭素数１１〜１３のナフチルアルキル基を表し、Ｒ４０７は、水素原子；炭素数１〜６のアルコキシ基、炭素数２〜４のアルキルオキシカルボニル基、ヒドロキシ基、カルボキシ基、ハロゲノ基、シアノ基又はアミノ基を有する若しくは無置換の炭素数１〜６のアルキル基；炭素数１〜６のアルコキシ基、ハロゲノ基又はアミノ基を有する若しくは無置換の炭素数７〜９のフェニルアルキル基；或いは炭素数１１〜１３のナフチルアルキル基を表し、ｎ４０１個のＲ４０８はそれぞれ独立して、炭素数１〜６のアルキル基、炭素数１〜６のアルコキシ基、炭素数２〜４のアルキルオキシカルボニル基、炭素数２〜４のアルキルカルボニルオキシ基、フェニルカルボニル基、ナフチルカルボニル基、ハロゲノ基、カルボキシ基、ニトロ基、シアノ基又はアミノ基を表し、前記一般式（１）のｎが１である場合、ｎ４０１は０〜４の整数を表し、前記一般式（１）のｎが２である場合、ｎ４０１は０〜３の整数を表す。）。
【請求項８】
前記一般式（１）におけるＤｙｅが、下記一般式（ＩＩ）又は下記一般式（Ｖ）で示される染料残基である、請求項１〜７の何れかに記載の化合物；
0006750669.tif 000169
（式中、Ｒ２０１及びＲ２０４はそれぞれ独立して、水素原子又はメチル基を表し、Ｒ２０２及びＲ２０３はそれぞれ独立して、炭素数１〜１２のアルキル基、炭素数１〜６のアルキル基を有する又は無置換のフェニル基を表し、ｎ２０２個のＲ２０５は、ハロゲノ基；炭素数１〜１２のアルキル基；炭素数１〜１２のアルコキシ基；炭素数１〜１２のアルキルチオ基；炭素数１〜３０のアルキル基、炭素数１〜２０のハロアルキル基、炭素数６〜１０のアリール基又は炭素数７〜１３のアリールアルキル基を有するアミノ基；ヒドロキシ基；炭素数６〜１４のアリール基；炭素数６〜１４のアリールオキシ基；及び炭素数７〜２０のアリールアルキル基を表し、Ｒ２０６及びＲ２０７はそれぞれ独立して、炭素数１〜１２のアルキル基、フェニル基又は炭素数７〜９のフェニルアルキル基を表し、Ａｎ'-は、電子吸引性の置換基を有するアリール基、電子吸引性の置換基を有するスルホニル基、ハロアルキル基又はハロゲノ基を含むアニオンを表し、ｎ２０２は、０〜３の整数を表し、Ｒ２０１とＲ２０２とで炭素数２〜４のアルキレン基を形成していてもよく、Ｒ２０３とＲ２０４とで炭素数２〜４のアルキレン基を形成していてもよい。）、
0006750669.tif 000170
（式中、Ａｎ'-は上記と同じであり、Ｒ５０１〜Ｒ５０６はそれぞれ独立して、水素原子又は炭素数１〜６のアルキル基を表し、Ｒ５０７は、炭素数１〜６のアルコキシ基、炭素数２〜４のアルキルオキシカルボニル基、ヒドロキシ基、カルボキシ基、ハロゲノ基、シアノ基又はアミノ基を有する若しくは無置換の炭素数１〜６のアルキル基を表し、ｎ５０１個のＲ５０８はそれぞれ独立して、炭素数１〜６のアルキル基又は炭素数１〜６のアルコキシ基を表し、前記一般式（１）のｎが１である場合、ｎ５０１は０〜２の整数を表し、前記一般式（１）のｎが２である場合、ｎ５０１は０〜３の整数を表す。）。
【請求項９】
請求項１〜８の何れかに記載の化合物を含んでなる着色組成物。
【請求項１０】
さらに、バインダー樹脂を含んでなる、請求項９に記載の着色組成物。
【請求項１１】
バインダー樹脂が、重合性不飽和基を有するバインダー樹脂である、請求項１０に記載の着色組成物。
【請求項１２】
前記重合性不飽和基を有するバインダー樹脂が、下記一般式（５）で示されるモノマー単位を構成成分に含むバインダー樹脂である、請求項１１に記載の着色組成物；
0006750669.tif 000171
（式中、Ｒ１８は、下記式（５−１）〜（５−１０）で示される基
0006750669.tif 000172
を表し、Ｒ１９及びＲ２０はそれぞれ独立して、置換基を有していてもよい炭素数１〜１２のアルキレン基を表し、該置換基は、ヒドロキシ基、炭素数１〜６のアルキル基、炭素数１〜６のアルコキシ基、炭素数６〜１０のアリール基、炭素数６〜１０のアリールオキシ基、炭素数７〜１３のアリールアルキル基、炭素数７〜１３のアリールオキシアルキル基、及び、酸素原子を有する又は酸素原子を有さない炭素数６〜１２の脂環式炭化水素基から選ばれるものであり、Ｙ４は、−ＣＯＯ−、−ＣＯＮＨ−、−ＯＣＯＮＨ−又は−ＮＨＣＯＮＨ−を表し、Ｙ５は、−Ｏ−、−ＯＣＯ−、−ＣＯＯ−、−ＣＯＮＨ−、−ＮＨＣＯ−、−ＯＣＯＮＨ−又は−ＮＨＣＯＮＨ−を表し、ｎ５は、１〜４の整数を表す。ただし、複数のＲ１９及び複数のＹ５は、それぞれ同一であっても異なっていてもよい。）
【請求項１３】
前記重合性不飽和基を有するバインダー樹脂が、さらに、下記一般式（６）、（１０）、（１１）又は（１２）で示される化合物由来のモノマー単位少なくとも１種を構成成分に含むバインダー樹脂である、請求項１２に記載の着色組成物；
0006750669.tif 000173
｛式中、Ｒ１１は、水素原子又はメチル基を表し、Ｒ１２は、水素原子、炭素数１〜３０のアルキル基、炭素数１〜１０のヒドロキシアルキル基、炭素数６〜１０のアリール基、炭素数７〜１３のアリールアルキル基、炭素数２〜９のアルコキシアルキル基、炭素数３〜９のアルコキシアルコキシアルキル基、炭素数７〜１３のアリールオキシアルキル基、炭素数５〜７のモルホリノアルキル基、炭素数３〜９のトリアルキルシリル基、酸素原子を有する炭素数６〜１２の脂環式炭化水素基、炭素数３〜９のジアルキルアミノアルキル基、炭素数１〜１８のフルオロアルキル基、炭素数９〜１４のＮ−アルキレンフタルイミド基、下記一般式（７）で示される基
0006750669.tif 000174
（式中、Ｒ２１は、ヒドロキシ基を置換基として有する又は無置換の炭素数１〜３のアルキレン基を表し、Ｒ２２は、ヒドロキシ基を置換基として有する又は無置換のフェニル基、或いは炭素数１〜３のアルキル基を表し、ａは１〜３の整数を表す。）、下記一般式（８）で示される基
0006750669.tif 000175
（式中、Ｒ２３〜Ｒ２５はそれぞれ独立して、炭素数１〜３のアルキル基を表し、Ｒ２６は炭素数１〜３のアルキレン基を表す。）、又は、下記一般式（９）で示される基
0006750669.tif 000176
（式中、Ｒ２７は、フェニレン基又はシクロへキシレン基を表し、ｂは、１〜６の整数を表す。）を表す。｝、
0006750669.tif 000177
（式中、Ｒ１３は、水素原子又は炭素数１〜３のアルキル基を表し、Ｒ１４は、水素原子、炭素数１〜３のアルキル基、炭素数３〜９のジアルキルアミノアルキル基又は炭素数１〜１０のヒドロキシアルキル基を表し、Ｒ１１は上記と同じ。Ｒ１３とＲ１４は、これらと隣接する窒素原子とでモルホリノ基を形成してもよい。）、
0006750669.tif 000178
（式中、Ｒ１５は、フェニル基又はピロリジノ基を表し、Ｒ１１は上記と同じ。）、
0006750669.tif 000179
（式中、Ｒ１７は、窒素原子又は酸素原子を表し、Ｒ１６は、水素原子、炭素数１〜３０のアルキル基、炭素数１〜１０のヒドロキシアルキル基、炭素数１〜１０のハロアルキル基、炭素数６〜１０のアリール基、又は、炭素数１〜６のアルキル基若しくはハロゲノ基を置換基として有する炭素数６〜１０のアリール基を表し、ｄは、Ｒ１７が酸素原子の場合に０を表し、Ｒ１７が窒素原子の場合には１を表す。）。
【発明の詳細な説明】
【技術分野】
【０００１】
本発明は、カラーフィルター等の着色画素形成用途、印刷インキ、インクジェットインキ、および塗料等の用途に用いられる多官能重合型化合物、および該化合物を含んでなる着色組成物に関する。
【背景技術】
【０００２】
液晶表示素子や固体撮像素子等のカラーフィルターの製造におけるカラー画素の形成方法としては、着色剤に染料を用いた染色法や染料分散法、顔料を用いた顔料分散法、電着法、印刷法等が知られている。近年、カラーフィルターの特性として、輝度とコントラストの向上が特に求められている。顔料を用いた顔料分散法によれば、染料に比べて耐熱性や耐光性が高い為、パネル製造時の加熱工程で劣化が少なく、また、長期信頼性の高いカラー画素を得ることができる。そのため、現在は顔料分散法が主流となってきている。しかしながら、顔料を用いた場合、顔料自体が比較的大きな粒子径を持つため、光の散乱によりコントラストが低下するという問題があった。顔料を微粒子化する試みもなされていたが、微粒子化にも限界があり、また、微粒子化した顔料の分散安定性の確保も課題となっていた。【０００３】
一方、このような問題を解消できる方法として、染料を用いてカラー画素を形成する方法が現在研究されている。染料を用いた場合、光散乱が抑制されるためコントラストが向上する。しかしながら、染料は、顔料と比較すると耐熱性が低く、種類によっては昇華性を有するものもあるため、輝度の低下、退色、色相の変化などの問題があった。そのため、染料を用いる方法においては、この問題の解消が求められていた。耐熱性を有する染料については各種の検討がなされており、例えば、ＷＯ２０１４／１２６１６７やＷＯ２０１５／１４７２８５においてキサンテン系染料が、ＷＯ２０１０／１２３０７１やＷＯ２０１３／１０８５９１においてトリアリールメタン系染料が報告されている。
【先行技術文献】
【特許文献】
【０００４】
【特許文献１】ＷＯ２０１４／１２６１６７
【特許文献２】ＷＯ２０１５／１４７２８５
【特許文献３】ＷＯ２０１０／１２３０７１
【特許文献４】ＷＯ２０１３／１０８５９１
【発明の概要】
【発明が解決しようとする課題】
【０００５】
従来のキサンテン系染料やトリアリールメタン系染料を用いた着色組成物を検討したところ、十分な耐溶出性が得られなかった。そのため、本発明は従来の着色組成物よりも耐溶出性に優れた（染料の溶出が少ない）着色組成物の提供を課題とする。
【課題を解決するための手段】
【０００６】
上記状況に鑑み、本発明者らは、鋭意研究の結果、特定の官能基を有する化合物を染料として用いることにより、耐溶出性に優れた（染料の溶出が少ない）着色組成物が得られることを見出し、本発明を完成するに至った。【０００７】
即ち、本発明は、第一の側面において以下の発明(i)及び(ii)を包含する。
(i)下記一般式（１）で示される化合物（以下、本発明の化合物と略記する場合がある）。
0006750669.tif 000002
｛式中、Ｄｙｅは、染料残基を表し、Ｒ１は、水素原子又はメチル基を表し、Ｙ０は、直鎖の炭素数１〜３のアルキレン基、−ＮＨ−又は単結合を表し、Ｙ１及びＹ２はそれぞれ独立して、−Ｏ−又は−ＮＨ−を表し、Ａ１は、−Ｏ−、−ＯＣＯ−、−ＣＯＯ−、−ＮＨＣＯ−、−ＣＯＮＨ−、−ＮＨＣＯＮＨ−及び／又はフェニレン基を鎖中に有していてもよい炭素数１〜６のアルキレン基、或いは単結合を表し、Ａ２は、−Ｏ−を鎖中に有していてもよく、且つ、下記一般式（２）で示される基を１〜６個鎖中又は末端に有する炭素数１〜６のアルキレン基を表し、ｎは、１又は２を表す；
0006750669.tif 000003
（式中、Ｒ１及びＹ２は、上記と同じであり、Ｒ３は、水素原子、炭素数１〜６のアルキル基又は下記一般式（２−１）で示される基を表し、Ａ３は、−Ｏ−を鎖中に有していてもよい炭素数１〜６のアルキレン基又は単結合を表す；
0006750669.tif 000004
〔式中、Ｒ１、Ａ３及びＹ２は、上記と同じ。〕。）。
ただし、複数のＲ１、複数のＹ０、複数のＹ１、複数のＹ２、複数のＡ１及び複数のＡ２は、それぞれ同一であっても異なっていてもよく、また、Ａ２における一般式（２）で示される基の数が１個であるとき、一般式（２）におけるＲ３は一般式（２−１）で示される基を表す。｝【０００８】
(ii)上記一般式（１）で示される化合物を含んでなる着色組成物（以下、本発明の着色組成物と略記する場合がある）。【０００９】
また、本発明は第二の側面において、以下の発明(iii)〜(viii)を包含する。
(iii)下記一般式（１ａ）で示される化合物。
0006750669.tif 000005
｛式中、Ｄｙｅ、Ｒ１、Ｙ１及びＹ２は、上記と同じであり、Ａは、−Ｏ−を鎖中に有していてもよく、且つ、前記一般式（２）で示される基を１〜６個鎖中又は末端に有する炭素数１〜６のアルキレン基を表す。ただし、Ａにおける一般式（２）で示される基の数が１個であるとき、一般式（２）におけるＲ３は前記一般式（２−１）で示される基を表す。｝
尚、一般式（１ａ）のＡにおける「−Ｏ−を鎖中に有していてもよく、且つ、前記一般式（２）で示される基を１〜６個鎖中又は末端に有する炭素数１〜６のアルキレン基」は、一般式（１）のＡ２と同じである。【００１０】
(iv)一般式（２）におけるＲ３が水素原子又は炭素数１〜６のアルキル基であるとき、一般式（１ａ）のＡにおける一般式（２）で示される基の数が２〜６個であり、一般式（２）におけるＲ３が一般式（２−１）で示される基であるとき、一般式（１ａ）のＡにおける一般式（２）で示される基の数が１〜３個である、前記一般式（１ａ）で示される化合物。【００１１】
(v)Ａが下記一般式（３ａ）で示されるものである、前記一般式（１ａ）で示される化合物。
0006750669.tif 000006
｛式中、Ｒ１、Ｒ３、Ａ３及びＹ２は、上記と同じであり、Ｒ７は、炭素数１〜６のアルキレン基又は単結合を表し、Ｒ８は、−Ｏ−を鎖中に有していてもよい炭素数１〜６のアルキレン基又は単結合を表し、ｎ１は、１〜６の整数を表す。ただし、複数のＲ１、複数のＲ３、複数のＲ８、複数のＡ３及び複数のＹ２は、それぞれ同一であっても異なっていてもよく、Ｒ７と複数のＲ８との炭素数の合計は１〜６であり、また、ｎ１が１であるとき、Ｒ３は前記一般式（２−１）で示される基を表す。｝
尚、一般式（３ａ）のＲ７における「炭素数１〜６のアルキレン基」は、一般式（１）のＡ１における「炭素数１〜６のアルキレン基」に準じ；Ｒ８における「−Ｏ−を鎖中に有していてもよい炭素数１〜６のアルキレン基又は単結合」は、後述する一般式（３）のＡ４に準じ；一般式（３ａ）のｎ１は、後述する一般式（３）のｎ１と同じである。【００１２】
(vi)Ａが下記一般式（４ａ−１）又は（４ａ−２）で示されるものである、前記一般式（１ａ）で示される化合物。
0006750669.tif 000007
（式中、Ｒ１、Ｒ７、Ａ３及びＹ２は、上記と同じであり、Ｒ４は、水素原子又は炭素数１〜６のアルキル基を表し、Ｒ８−１は、炭素数１〜６のアルキレン基又は単結合を表し、ｎ２は、２〜６の整数を表す。ただし、複数のＲ１、複数のＲ４、複数のＲ８−１、複数のＡ３及び複数のＹ２は、それぞれ同一であっても異なっていてもよく、Ｒ７と複数のＲ８−１との炭素数の合計は１〜６である。）
0006750669.tif 000008
（式中、Ｒ１、Ｒ７、Ｒ８−１、Ａ３及びＹ２は、上記と同じであり、Ｒ８−２は、−Ｏ−を鎖中に有する炭素数１〜６のアルキレン基を表し、ｎ３及びｎ４はそれぞれ独立して、０〜３の整数を表し、ｎ３＋ｎ４＝１〜３の整数である。ただし、複数のＲ１、複数のＲ８−１、複数のＲ８−２、複数のＡ３及び複数のＹ２は、それぞれ同一であっても異なっていてもよく、Ｒ７と複数のＲ８−１と複数のＲ８−２との炭素数の合計は１〜６である。）
尚、一般式（４ａ−１）のＲ４及びｎ２は、それぞれ後述する一般式（４−１）のＲ４及びｎ２と同じであり；一般式（４ａ−１）のＲ８−１における「炭素数１〜６のアルキレン基又は単結合」は、後述する一般式（４−１）のＡ４−１に準じ；一般式（４ａ−２）のＲ８−２における「−Ｏ−を鎖中に有する炭素数１〜６のアルキレン基」は、後述する一般式（４−２）のＡ４−２に準じ；一般式（４ａ−２）のｎ３及びｎ４は、それぞれ後述する一般式（４−２）のｎ３及びｎ４と同じである。【００１３】
(vii)Ａが下記式（１０１ａ）〜（１１６ａ）で示されるものである、前記一般式（１ａ）で示される化合物。
0006750669.tif 000009
【００１４】
(viii)前記一般式（１ａ）で示される化合物を含んでなる着色組成物。
【発明の効果】
【００１５】
本発明の化合物を着色剤として用いると、着色後にプロピレングリコールモノメチルエーテルアセテート（ＰＧＭＥＡ）等の溶剤中に浸漬しても着色剤がほとんど溶出せず、色濃度の低下や混色等の問題を有さないという優れた効果を奏する。即ち、本発明の化合物を含有する着色組成物は、従来よりも高い耐溶出性を有する優れた着色硬化物を形成することができる。そのため、本発明の着色組成物は、液晶表示装置（ＬＣＤ）や固体撮像素子（ＣＣＤ、ＣＭＯＳ等）、有機エレクトロルミネッセンス表示装置（ＯＬＥＤ）等に用いられるカラーフィルター等の着色画素形成用途、印刷インキ、インクジェットインキ、および塗料等の用途に用いることができ、特に、液晶表示装置のカラーフィルター用として好適である。さらに、本発明の着色組成物は、従来公知の成形方法により、シート、フィルム、ボトル、カップ等に成形して着色樹脂成形物として使用することもできる。よって、メガネ、コンタクトレンズ、カラーコンタクトレンズ等の用途にも使用することができ、公知の樹脂との多層構造体とすることによっても同様の用途に使用することができる。その他にも、例えば光学フィルム、ヘアカラーリング剤、化合物や生体物質に対する標識物質、有機太陽電池の材料等の用途にも用いることが可能である。
【発明を実施するための形態】
【００１６】
［本発明の化合物］
本発明の化合物は、一般式（１）で示される化合物である。
【００１７】
一般式（１）のＲ１としては、水素原子が好ましい。
【００１８】
一般式（１）のＹ０における直鎖状の炭素数１〜３のアルキレン基としては、具体的にはメチレン基、エチレン基、トリメチレン基が挙げられ、メチレン基が好ましい。
【００１９】
一般式（１）のＹ０は、Ｄｙｅの構造により好ましいものが異なり、例えば、Ｄｙｅがキサンテン系染料由来の残基である場合、単結合が好ましく；Ｄｙｅがトリアリールメタン系染料由来の残基である場合、−ＮＨ−及び単結合が好ましく；Ｄｙｅがシアニン系染料由来の残基である場合、メチレン基及び単結合が好ましい。より具体的には、Ｄｙｅが後述する一般式（Ｉ）で示される染料残基である場合、単結合が好ましく；Ｄｙｅが後述する一般式（ＩＩＩ−１−１）で示される染料残基である場合、単結合が好ましく；Ｄｙｅが後述する一般式（ＩＩＩ−１−２）で示される染料残基である場合、−ＮＨ−が好ましく；Ｄｙｅが後述する一般式（ＩＶ）で示される染料残基である場合、メチレン基及び単結合が好ましい。
【００２０】
一般式（１）のＹ１としては、−Ｏ−が好ましい。
【００２１】
一般式（１）のＹ２としては、−Ｏ−が好ましい。
【００２２】
一般式（１）のＡ１における「−Ｏ−、−ＯＣＯ−、−ＣＯＯ−、−ＮＨＣＯ−、−ＣＯＮＨ−、−ＮＨＣＯＮＨ−及び／又はフェニレン基を鎖中に有していてもよい炭素数１〜６のアルキレン基」における炭素数１〜６のアルキレン基としては、直鎖状又は分枝状のものが好ましく、直鎖状のものがより好ましい。また、炭素数１〜６のアルキレン基の中でも、炭素数１〜３のものが好ましい。具体的には例えば、メチレン基、エチレン基、メチルメチレン基、トリメチレン基、プロピレン基、ジメチルメチレン基、エチルメチレン基、テトラメチレン基、1-メチルトリメチレン基、2-メチルトリメチレン基、1,2-ジメチルエチレン基、1,1-ジメチルエチレン基、エチルエチレン基、エチルメチルメチレン基、プロピルメチレン基、ペンタメチレン基、1-メチルテトラメチレン基、2-メチルテトラメチレン基、1-エチルトリメチレン基、2-エチルトリメチレン基、n-プロピルエチレン基、イソプロピルエチレン基、n-ブチルメチレン基、イソブチルメチレン基、tert-ブチルメチレン基、ヘキサメチレン基、1-メチルペンタメチレン基、2-メチルペンタメチレン基、3-メチルペンタメチレン基、1-エチルテトラメチレン基、2-エチルテトラメチレン基、1-n-プロピルトリメチレン基、1-イソプロピルトリメチレン基、2-n-プロピルトリメチレン基、2-イソプロピルトリメチレン基、n-ブチルエチレン基、イソブチルエチレン基、tert-ブチルエチレン基、n-ペンチルメチレン基、イソペンチルメチレン基等が挙げられ、メチレン基、エチレン基、トリメチレン基、テトラメチレン基、ペンタメチレン基、ヘキサメチレン基が好ましく、メチレン基、エチレン基、トリメチレン基がより好ましい。
【００２３】
一般式（１）のＡ１における「−Ｏ−、−ＯＣＯ−、−ＣＯＯ−、−ＮＨＣＯ−、−ＣＯＮＨ−、−ＮＨＣＯＮＨ−及び／又はフェニレン基を鎖中に有していてもよい炭素数１〜６のアルキレン基」におけるフェニレン基としては、o-フェニレン基、m-フェニレン基及びp-フェニレン基のいずれであってもよいが、o-フェニレン基、p-フェニレン基が好ましく、o-フェニレン基がより好ましい。
【００２４】
一般式（１）のＡ１における、−Ｏ−、−ＯＣＯ−、−ＣＯＯ−、−ＮＨＣＯ−、−ＣＯＮＨ−、−ＮＨＣＯＮＨ−及び／又はフェニレン基を鎖中に有する炭素数１〜６のアルキレン基の具体例としては、例えば、下記一般式（１−１）〜（１−３）で示される基が挙げられる。
【００２５】
−(Ｒ５１−Ｏ)ｈ１−Ｒ５２−      （１−１）
（式中、Ｒ５１及びＲ５２はそれぞれ独立して、炭素数１〜５のアルキレン基を表し、ｈ１は、１〜５の整数を表す。ただし、ｈ１個のＲ５１とＲ５２の炭素数の合計は、２〜６である。）
【００２６】
−Ｒ５３−Ｙ３−Ｒ５４−      （１−２）
（式中、Ｒ５３及びＲ５４はそれぞれ独立して、炭素数１〜５のアルキレン基を表し、Ｙ３は、−ＯＣＯ−、−ＣＯＯ−、−ＮＨＣＯ−、−ＣＯＮＨ−、−ＮＨＣＯＮＨ−又はフェニレン基を表す。ただし、Ｒ５３とＲ５４の炭素数の合計は、２〜６である。）
【００２７】
−Ｒ５５−Ｙ６−Ｒ５６−Ｙ７−Ｒ５７−      （１−３）
（式中、Ｒ５５及びＲ５７はそれぞれ独立して、炭素数１〜４のアルキレン基を表し、Ｒ５６は、炭素数１〜４のアルキレン基又はフェニレン基を表し、Ｙ６は、−ＯＣＯ−又は−ＮＨＣＯ−を表し、Ｙ７は、−ＣＯＯ−又は−ＣＯＮＨ−を表す。ただし、Ｒ５５〜Ｒ５７におけるアルキレン基の炭素数の合計は、２〜６である。）
【００２８】
一般式（１−１）〜（１−２）のＲ５１〜Ｒ５４における炭素数１〜５のアルキレン基としては、直鎖状又は分枝状のものが好ましく、直鎖状のものがより好ましい。また、炭素数１〜５のアルキレン基の中でも、炭素数１〜３のものが好ましい。具体的には例えば、メチレン基、エチレン基、メチルメチレン基、トリメチレン基、プロピレン基、ジメチルメチレン基、エチルメチレン基、テトラメチレン基、1-メチルトリメチレン基、2-メチルトリメチレン基、1,2-ジメチルエチレン基、1,1-ジメチルエチレン基、エチルエチレン基、エチルメチルメチレン基、プロピルメチレン基、ペンタメチレン基、1-メチルテトラメチレン基、2-メチルテトラメチレン基、1-エチルトリメチレン基、2-エチルトリメチレン基、n-プロピルエチレン基、イソプロピルエチレン基、n-ブチルメチレン基、イソブチルメチレン基、tert-ブチルメチレン基等が挙げられ、メチレン基、エチレン基、トリメチレン基、テトラメチレン基、ペンタメチレン基が好ましく、メチレン基、エチレン基、トリメチレン基がより好ましい。
【００２９】
一般式（１−３）のＲ５５〜Ｒ５７における炭素数１〜４のアルキレン基としては、直鎖状又は分枝状のものが好ましく、直鎖状のものがより好ましい。また、炭素数１〜４のアルキレン基の中でも、炭素数１又は２のものが好ましい。具体的には例えば、メチレン基、エチレン基、メチルメチレン基、トリメチレン基、プロピレン基、ジメチルメチレン基、エチルメチレン基、テトラメチレン基、1-メチルトリメチレン基、2-メチルトリメチレン基、1,2-ジメチルエチレン基、1,1-ジメチルエチレン基、エチルエチレン基、エチルメチルメチレン基、プロピルメチレン基等が挙げられ、メチレン基、エチレン基、トリメチレン基、テトラメチレン基が好ましく、メチレン基、エチレン基がより好ましい。
【００３０】
一般式（１−１）のｈ１としては、１又は２が好ましく、１がより好ましい。
【００３１】
一般式（１−１）で示される基の好ましい具体例としては、例えば、下記一般式（１−４）で示される基が挙げられる。
【００３２】
−Ｒ５１−Ｏ−Ｒ５２−      （１−４）
（式中、Ｒ５１及びＲ５２は、上記と同じ。ただし、Ｒ５１とＲ５２の炭素数の合計は、２〜６である。）
【００３３】
一般式（１−４）で示される基の好ましい具体例としては、例えば、下記一般式（１−５）で示される基が挙げられる。
【００３４】
−(ＣＨ２)ｈ２−Ｏ−(ＣＨ２)ｈ３−      （１−５）
（式中、ｈ２及びｈ３はそれぞれ独立して、１〜５の整数を表し、ｈ２＋ｈ３＝２〜６の整数である。）
【００３５】
一般式（１−５）のｈ２としては、１〜３の整数が好ましく、１がより好ましい。
【００３６】
一般式（１−５）のｈ３としては、１〜３の整数が好ましく、１又は３がより好ましい。
【００３７】
一般式（１−５）で示される基としては、-CH2-O-CH2-、-CH2-O-(CH2)2-、
-CH2-O-(CH2)3-、-(CH2)2-O-CH2-、-(CH2)2-O-(CH2)2-、-(CH2)2-O-(CH2)3-、
-(CH2)3-O-CH2-、-(CH2)3-O-(CH2)2-、-(CH2)3-O-(CH2)3-が好ましく、
-CH2-O-CH2-、-CH2-O-(CH2)3-がより好ましい。
【００３８】
一般式（１−２）のＹ３におけるフェニレン基としては、o-フェニレン基、m-フェニレン基及びp-フェニレン基のいずれであってもよいが、o-フェニレン基、p-フェニレン基が好ましく、o-フェニレン基がより好ましい。
【００３９】
一般式（１−２）のＹ３としては、−ＯＣＯ−、−ＮＨＣＯ−、−ＮＨＣＯＮＨ−が好ましい。
【００４０】
一般式（１−２）で示される基の好ましい具体例としては、例えば、下記一般式（１−６）で示される基が挙げられる。
【００４１】
−(ＣＨ２)ｈ４−Ｙ３−(ＣＨ２)ｈ５−      （１−６）
（式中、Ｙ３は、上記と同じであり、ｈ４及びｈ５はそれぞれ独立して、１〜５の整数を表し、ｈ４＋ｈ５＝２〜６の整数である。）
【００４２】
一般式（１−６）のｈ４及びｈ５としては、ｈ４とｈ５が同じであるのが好ましく、また、１〜３の整数が好ましく、２がより好ましい。
【００４３】
一般式（１−６）で示される基の具体例としては、例えば
-CH2-OCO-CH2-、-(CH2)2-OCO-(CH2)2-、-(CH2)3-OCO-(CH2)3-、
-CH2-COO-CH2-、-(CH2)2-COO-(CH2)2-、-(CH2)3-COO-(CH2)3-、
-CH2-NHCO-CH2-、-(CH2)2-NHCO-(CH2)2-、-(CH2)3-NHCO-(CH2)3-、
-CH2-CONH-CH2-、-(CH2)2-CONH-(CH2)2-、-(CH2)3-CONH-(CH2)3-、
-CH2-NHCONH-CH2-、-(CH2)2-NHCONH-(CH2)2-、-(CH2)3-NHCONH-(CH2)3-、
0006750669.tif 000010
等が挙げられ、
-(CH2)2-OCO-(CH2)2-、-(CH2)2-NHCO-(CH2)2-、-(CH2)2-NHCONH-(CH2)2-が好ましい。
【００４４】
一般式（１−３）のＲ５６におけるフェニレン基としては、一般式（１−２）のＹ３におけるフェニレン基と同じものが挙げられ、好ましいものも同じである。
【００４５】
一般式（１−３）における「Ｒ５５〜Ｒ５７におけるアルキレン基の炭素数の合計」とは、Ｒ５６が炭素数１〜４のアルキレン基である場合、Ｒ５５、Ｒ５６及びＲ５７の炭素数の合計を意味し、Ｒ５６がフェニレン基である場合、Ｒ５５とＲ５７の炭素数の合計を意味する。
【００４６】
一般式（１−３）のＲ５６としては、メチレン基、エチレン基、トリメチレン基、o-フェニレン基、p-フェニレン基が好ましく、エチレン基、o-フェニレン基がより好ましい。
【００４７】
一般式（１−３）のＹ６としては、−ＮＨＣＯ−が好ましい。
【００４８】
一般式（１−３）のＹ７としては、−ＣＯＯ−が好ましい。
【００４９】
一般式（１−３）で示される基の好ましい具体例としては、例えば、下記一般式（１−７）又は（１−８）で示される基が挙げられる。
【００５０】
−(ＣＨ２)ｈ６−Ｙ６−(ＣＨ２)ｈ７−Ｙ７−(ＣＨ２)ｈ８−      （１−７）
（式中、Ｙ６及びＹ７は、上記と同じであり、ｈ６〜ｈ８はそれぞれ独立して、１〜４の整数を表し、ｈ６＋ｈ７＋ｈ８＝３〜６の整数である。）
【００５１】
−(ＣＨ２)ｈ９−Ｙ６−Ｒ５８−Ｙ７−(ＣＨ２)ｈ１０−      （１−８）
（式中、Ｙ６及びＹ７は、上記と同じであり、Ｒ５８は、フェニレン基を表し、ｈ９及びｈ１０はそれぞれ独立して、１〜５の整数を表し、ｈ９＋ｈ１０＝２〜６の整数である。）
【００５２】
一般式（１−７）のｈ６及びｈ７としては、１又は２が好ましく、２がより好ましい。
【００５３】
一般式（１−７）のｈ８としては、１又は２が好ましく、１がより好ましい。
【００５４】
一般式（１−７）におけるＹ６、Ｙ７、ｈ６〜ｈ８の好ましい組合せとしては、例えば、下記表に記載の組合せ１〜３２が挙げられ、その中でも組合せ１〜４、１３〜２０及び２９〜３２が好ましく、組合せ１７〜２０がより好ましく、組合せ１８が特に好ましい。
0006750669.tif 000011
【００５５】
一般式（１−８）のＲ５８におけるフェニレン基としては、一般式（１−２）のＹ３におけるフェニレン基と同じものが挙げられ、好ましいものも同じである。
【００５６】
一般式（１−８）のｈ９としては、１又は２が好ましく、２がより好ましい。
【００５７】
一般式（１−８）のｈ１０としては、１又は２が好ましく、１がより好ましい。
【００５８】
一般式（１−８）におけるＲ５８、Ｙ６、Ｙ７、ｈ９及びｈ１０の好ましい組合せとしては、例えば、下記表に記載の組合せ１〜３２が挙げられ、その中でも組合せ１〜１６が好ましく、組合せ９〜１２がより好ましく、組合せ１１が特に好ましい。
0006750669.tif 000012
【００５９】
一般式（１−８）におけるＲ５８、Ｙ６、Ｙ７、ｈ９及びｈ１０の組合せが上記組合せ９〜１２である場合、一般式（１−８）はそれぞれ下記式（１２１）〜（１２４）で表される。
0006750669.tif 000013
【００６０】
一般式（１）のＡ１としては、炭素数１〜６のアルキレン基、一般式（１−１）〜（１−３）で示される基及び単結合が好ましく、直鎖状の炭素数１〜６のアルキレン基、一般式（１−５）〜（１−８）で示される基及び単結合がより好ましく、直鎖状の炭素数１〜３のアルキレン基、一般式（１−７）又は（１−８）で示される基及び単結合がさらに好ましい。具体的には、メチレン基、エチレン基、トリメチレン基、
-(CH2)2-OCO-(CH2)2-COO-CH2-、-(CH2)2-NHCO-(CH2)2-COO-CH2-、
-(CH2)2-OCO-(CH2)2-CONH-CH2-、-(CH2)2-NHCO-(CH2)2-CONH-CH2-、
式（１２１）〜（１２４）で示される基、単結合が好ましく、
メチレン基、-(CH2)2-NHCO-(CH2)2-COO-CH2-、式（１２２）で示される基、単結合がより好ましく、
メチレン基が特に好ましい。
【００６１】
一般式（１）のＡ２における「−Ｏ−を鎖中に有していてもよく、且つ、一般式（２）で示される基を１〜６個鎖中又は末端に有する炭素数１〜６のアルキレン基」における炭素数１〜６のアルキレン基としては、一般式（１）のＡ１における炭素数１〜６のアルキレン基と同じものが挙げられ、好ましいものも同じである。
【００６２】
一般式（２）のＲ３における炭素数１〜６のアルキル基としては、直鎖状、分枝状及び環状のうちいずれであってもよいが、直鎖状及び分枝状が好ましい。また、炭素数１〜６のアルキル基の中でも、炭素数１〜４のものが好ましい。具体的には例えば、メチル基、エチル基、n-プロピル基、イソプロピル基、n-ブチル基、イソブチル基、sec-ブチル基、tert-ブチル基、シクロブチル基、n-ペンチル基、イソペンチル基、sec-ペンチル基、tert-ペンチル基、ネオペンチル基、2-メチルブチル基、1,2-ジメチルプロピル基、1-エチルプロピル基、シクロペンチル基、n-ヘキシル基、イソヘキシル基、sec-ヘキシル基、tert-ヘキシル基、ネオヘキシル基、2-メチルペンチル基、1,2-ジメチルブチル基、2,3-ジメチルブチル基、1-エチルブチル基、シクロヘキシル基等が挙げられ、メチル基、エチル基、n-プロピル基、n-ブチル基、n-ペンチル基、n-ヘキシル基が好ましく、メチル基、エチル基、n-プロピル基、n-ブチル基がより好ましい。
【００６３】
一般式（２）及び一般式（２−１）のＡ３における「−Ｏ−を鎖中に有していてもよい炭素数１〜６のアルキレン基」における炭素数１〜６のアルキレン基としては、一般式（１）のＡ１における炭素数１〜６のアルキレン基と同じものが挙げられ、好ましいものも同じである。
【００６４】
一般式（２）及び一般式（２−１）のＡ３における−Ｏ−を鎖中に有する炭素数１〜６のアルキレン基としては、具体的には例えば、一般式（１−１）で示される基が挙げられ、一般式（１−４）で示される基が好ましく、一般式（１−５）で示される基がより好ましい。より具体的には、
-CH2-O-CH2-、-CH2-O-(CH2)2-、-CH2-O-(CH2)3-、-(CH2)2-O-CH2-、-(CH2)2-O-(CH2)2-、
-(CH2)2-O-(CH2)3-、-(CH2)3-O-CH2-、-(CH2)3-O-(CH2)2-、-(CH2)3-O-(CH2)3-が好ましく、
-CH2-O-(CH2)3-がより好ましい。
【００６５】
一般式（２）のＡ３としては、直鎖状の炭素数１〜６のアルキレン基、一般式（１−４）で示される基及び単結合が好ましく、直鎖状の炭素数１〜３のアルキレン基、一般式（１−５）で示される基及び単結合がより好ましい。具体的には、メチレン基、エチレン基、トリメチレン基、テトラメチレン基、ペンタメチレン基、ヘキサメチレン基、
-CH2-O-CH2-、-CH2-O-(CH2)2-、-CH2-O-(CH2)3-、-CH2-O-(CH2)4-、-CH2-O-(CH2)5-、
-(CH2)2-O-CH2-、-(CH2)2-O-(CH2)2-、-(CH2)2-O-(CH2)3-、-(CH2)2-O-(CH2)4-、
-(CH2)3-O-CH2-、-(CH2)3-O-(CH2)2-、-(CH2)3-O-(CH2)3-、
-(CH2)4-O-CH2-、-(CH2)4-O-(CH2)2-、-(CH2)5-O-CH2-、単結合が好ましく、
メチレン基、エチレン基、トリメチレン基、
-CH2-O-CH2-、-CH2-O-(CH2)2-、-CH2-O-(CH2)3-、
-(CH2)2-O-CH2-、-(CH2)2-O-(CH2)2-、-(CH2)2-O-(CH2)3-、
-(CH2)3-O-CH2-、-(CH2)3-O-(CH2)2-、-(CH2)3-O-(CH2)3-、単結合がより好ましく、
メチレン基、-CH2-O-(CH2)3-、単結合がさらに好ましく、メチレン基が特に好ましい。
【００６６】
一般式（２−１）のＡ３としては、直鎖状の炭素数１〜６のアルキレン基及び一般式（１−４）で示される基が好ましく、直鎖状の炭素数１〜３のアルキレン基及び一般式（１−５）で示される基がより好ましい。具体的には、メチレン基、エチレン基、トリメチレン基、テトラメチレン基、ペンタメチレン基、ヘキサメチレン基、
-CH2-O-CH2-、-CH2-O-(CH2)2-、-CH2-O-(CH2)3-、-CH2-O-(CH2)4-、-CH2-O-(CH2)5-、
-(CH2)2-O-CH2-、-(CH2)2-O-(CH2)2-、-(CH2)2-O-(CH2)3-、-(CH2)2-O-(CH2)4-、
-(CH2)3-O-CH2-、-(CH2)3-O-(CH2)2-、-(CH2)3-O-(CH2)3-、
-(CH2)4-O-CH2-、-(CH2)4-O-(CH2)2-、-(CH2)5-O-CH2-が好ましく、
メチレン基、エチレン基、トリメチレン基、
-CH2-O-CH2-、-CH2-O-(CH2)2-、-CH2-O-(CH2)3-、
-(CH2)2-O-CH2-、-(CH2)2-O-(CH2)2-、-(CH2)2-O-(CH2)3-、
-(CH2)3-O-CH2-、-(CH2)3-O-(CH2)2-、-(CH2)3-O-(CH2)3-がより好ましく、
メチレン基、-CH2-O-(CH2)3-がさらに好ましく、メチレン基が特に好ましい。
【００６７】
一般式（２−１）で示される基の好ましい具体例としては、例えば、下記一般式（２−２）で示される基が挙げられる。
0006750669.tif 000014
（式中、Ｒ１及びＹ２は、上記と同じであり、Ａ３−１は、直鎖状の炭素数１〜６のアルキレン基又は一般式（１−４）で示される基を表す。）
【００６８】
一般式（２−２）のＡ３−１における直鎖状の炭素数１〜６のアルキレン基としては、炭素数１〜３のものが好ましく、具体的にはメチレン基、エチレン基、トリメチレン基、テトラメチレン基、ペンタメチレン基、ヘキサメチレン基が挙げられ、メチレン基、エチレン基、トリメチレン基が好ましく、メチレン基がより好ましい。
【００６９】
一般式（２−２）のＡ３−１としては、直鎖状の炭素数１〜３のアルキレン基及び一般式（１−５）で示される基が好ましい。具体的には、メチレン基、エチレン基、トリメチレン基、
-CH2-O-CH2-、-CH2-O-(CH2)2-、-CH2-O-(CH2)3-、
-(CH2)2-O-CH2-、-(CH2)2-O-(CH2)2-、-(CH2)2-O-(CH2)3-、
-(CH2)3-O-CH2-、-(CH2)3-O-(CH2)2-、-(CH2)3-O-(CH2)3-が好ましく、
メチレン基、-CH2-O-(CH2)3-がより好ましく、メチレン基が特に好ましい。
【００７０】
一般式（２−２）で示される基の好ましい具体例としては、例えば、下記一般式（２−３）で示される基が挙げられる。
0006750669.tif 000015
（式中、Ｒ１及びＹ２は、上記と同じであり、Ａ３−２は、直鎖状の炭素数１〜３のアルキレン基又は一般式（１−５）で示される基を表す。）
【００７１】
一般式（２−３）のＡ３−２における直鎖状の炭素数１〜３のアルキレン基としては、具体的にはメチレン基、エチレン基、トリメチレン基が挙げられ、メチレン基が好ましい。
【００７２】
一般式（２−３）のＡ３−２としては、メチレン基、-CH2-O-(CH2)3-が好ましく、メチレン基が特に好ましい。
【００７３】
一般式（２−３）で示される基の具体例としては、例えば下記のものが挙げられる（以下、官能基群（１）と略記する場合がある）。
0006750669.tif 000016
【００７４】
上記具体例の中でも、下記式（１３１）〜（１３６）で示される基が好ましく、中でも式（１３１）、（１３３）又は（１３５）で示される基がより好ましく、式（１３１）で示される基が特に好ましい。
0006750669.tif 000017
【００７５】
一般式（２）のＲ３としては、水素原子、直鎖状の炭素数１〜６のアルキル基及び一般式（２−２）で示される基が好ましく、水素原子及び一般式（２−３）で示される基がより好ましい。具体的には、水素原子、メチル基、エチル基、n-プロピル基、n-ブチル基及び官能基群（１）が好ましく、水素原子及び式（１３１）〜（１３６）で示される基がより好ましく、水素原子、及び式（１３１）、（１３３）又は（１３５）で示される基がさらに好ましく、式（１３１）で示される基が特に好ましい。
【００７６】
一般式（２）で示される基の好ましい具体例としては、例えば、下記一般式（２'）で示される基が挙げられる。
0006750669.tif 000018
（式中、Ｒ１及びＹ２は、上記と同じであり、Ｒ３'は、水素原子、直鎖状の炭素数１〜６のアルキル基又は一般式（２−２）で示される基を表し、Ａ３'は、直鎖状の炭素数１〜６のアルキレン基、一般式（１−４）で示される基又は単結合を表す。）
【００７７】
一般式（２'）のＲ３'における直鎖状の炭素数１〜６のアルキル基としては、炭素数１〜４のものが好ましく、具体的にはメチル基、エチル基、n-プロピル基、n-ブチル基、n-ペンチル基、n-ヘキシル基が挙げられ、メチル基、エチル基、n-プロピル基、n-ブチル基が好ましい。
【００７８】
一般式（２'）のＲ３'としては、水素原子及び一般式（２−３）で示される基が好ましい。具体的には、水素原子及び官能基群（１）等が挙げられ、水素原子及び式（１３１）〜（１３６）で示される基がより好ましく、水素原子、及び式（１３１）、（１３３）又は（１３５）で示される基がさらに好ましく、式（１３１）で示される基が特に好ましい。
【００７９】
一般式（２'）のＡ３'における直鎖状の炭素数１〜６のアルキレン基としては、一般式（２−２）のＡ３−１における直鎖状の炭素数１〜６のアルキレン基と同じものが挙げられ、好ましいものも同じである。
【００８０】
一般式（２'）のＡ３'としては、直鎖状の炭素数１〜３のアルキレン基、一般式（１−５）で示される基及び単結合が好ましい。具体的には、メチレン基、エチレン基、トリメチレン基、
-CH2-O-CH2-、-CH2-O-(CH2)2-、-CH2-O-(CH2)3-、
-(CH2)2-O-CH2-、-(CH2)2-O-(CH2)2-、-(CH2)2-O-(CH2)3-、
-(CH2)3-O-CH2-、-(CH2)3-O-(CH2)2-、-(CH2)3-O-(CH2)3-、単結合が好ましく、
メチレン基、-CH2-O-(CH2)3-、単結合がより好ましく、メチレン基が特に好ましい。
【００８１】
一般式（２'）で示される基の好ましい具体例としては、例えば、下記一般式（２''）で示される基が挙げられる。
0006750669.tif 000019
（式中、Ｒ１及びＹ２は、上記と同じであり、Ｒ３''は、水素原子又は一般式（２−３）で示される基を表し、Ａ３''は、直鎖状の炭素数１〜３のアルキレン基、一般式（１−５）で示される基又は単結合を表す。）
【００８２】
一般式（２''）のＲ３''としては、水素原子及び式（１３１）〜（１３６）で示される基が好ましく、水素原子、及び式（１３１）、（１３３）又は（１３５）で示される基がより好ましく、式（１３１）で示される基が特に好ましい。
【００８３】
一般式（２''）のＡ３''における直鎖状の炭素数１〜３のアルキレン基としては、メチレン基、エチレン基、トリメチレン基が挙げられ、メチレン基が好ましい。
【００８４】
一般式（２''）のＡ３''としては、メチレン基、-CH2-O-(CH2)3-、単結合が好ましく、メチレン基がより好ましい。
【００８５】
一般式（２''）で示される基の好ましい具体例としては、下記式（１４１）〜（１５０）で示される基が挙げられ、中でも式（１４１）、（１４３）、（１４５）、（１４７）又は（１４９）で示される基が好ましく、式（１４５）で示される基がより好ましい。
0006750669.tif 000020
【００８６】
一般式（１）のＡ２が鎖中又は末端に有する一般式（２）で示される基の数が１個であるとき、当該一般式（２）におけるＲ３は一般式（２−１）で示される基である。言い換えれば、一般式（１）のＡ２が鎖中又は末端に有する一般式（２）で示される基の数は、一般式（２）におけるＲ３が水素原子又は炭素数１〜６のアルキル基であるとき２〜６個であり、一般式（２）におけるＲ３が一般式（２−１）で示される基であるとき１〜６個である。
【００８７】
一般式（１）のＡ２が鎖中又は末端に有する一般式（２）で示される基の数は、Ｒ３が水素原子又は炭素数１〜６のアルキル基であるとき２〜６個であり、Ｒ３が一般式（２−１）で示される基であるとき１〜３個であるのが好ましく；Ｒ３が水素原子又は炭素数１〜６のアルキル基であるとき２〜４個であり、Ｒ３が一般式（２−１）で示される基であるとき１〜２個であるのがより好ましい。
【００８８】
一般式（１）のＡ２の具体例としては、例えば、下記一般式（３）で示される基が挙げられる。
0006750669.tif 000021
｛式中、Ｒ１、Ｒ３、Ａ３及びＹ２は、上記と同じであり、Ａ４は、−Ｏ−を鎖中に有していてもよい炭素数１〜６のアルキレン基又は単結合を表し、ｎ１は、１〜６の整数を表す。ただし、複数のＲ１、複数のＲ３、複数のＡ３、複数のＡ４及び複数のＹ２は、それぞれ同一であっても異なっていてもよく、ｎ１個のＡ４の炭素数の合計は１〜６であり、また、ｎ１が１であるとき、Ｒ３は前記一般式（２−１）で示される基を表す。｝
【００８９】
一般式（３）のＡ４における「−Ｏ−を鎖中に有していてもよい炭素数１〜６のアルキレン基」における炭素数１〜６のアルキレン基としては、一般式（１）のＡ１における炭素数１〜６のアルキレン基と同じものが挙げられ、好ましいものも同じである。
【００９０】
一般式（３）のＡ４における−Ｏ−を鎖中に有する炭素数１〜６のアルキレン基としては、具体的には例えば、一般式（１−１）で示される基が挙げられ、一般式（１−４）で示される基が好ましく、一般式（１−５）で示される基がより好ましい。より具体的には、一般式（１−５）で示される基の具体例と同じものが挙げられ、好ましいものも同じである。
【００９１】
一般式（３）のＡ４としては、直鎖状の炭素数１〜６のアルキレン基、一般式（１−４）で示される基及び単結合が好ましく、直鎖状の炭素数１〜３のアルキレン基、一般式（１−５）で示される基及び単結合がより好ましい。具体的には、メチレン基、エチレン基、トリメチレン基、テトラメチレン基、ペンタメチレン基、ヘキサメチレン基、
-CH2-O-CH2-、-CH2-O-(CH2)2-、-CH2-O-(CH2)3-、-CH2-O-(CH2)4-、-CH2-O-(CH2)5-、
-(CH2)2-O-CH2-、-(CH2)2-O-(CH2)2-、-(CH2)2-O-(CH2)3-、-(CH2)2-O-(CH2)4-、
-(CH2)3-O-CH2-、-(CH2)3-O-(CH2)2-、-(CH2)3-O-(CH2)3-、
-(CH2)4-O-CH2-、-(CH2)4-O-(CH2)2-、-(CH2)5-O-CH2-、単結合が好ましく、
メチレン基、エチレン基、トリメチレン基、
-CH2-O-CH2-、-CH2-O-(CH2)2-、-CH2-O-(CH2)3-、
-(CH2)2-O-CH2-、-(CH2)2-O-(CH2)2-、-(CH2)2-O-(CH2)3-、
-(CH2)3-O-CH2-、-(CH2)3-O-(CH2)2-、-(CH2)3-O-(CH2)3-、単結合がより好ましく、
メチレン基、-CH2-O-CH2-、-CH2-O-(CH2)3-、単結合がさらに好ましく、メチレン基、-CH2-O-CH2-が特に好ましい。
【００９２】
一般式（３）のｎ１は、Ｒ３が水素原子又は炭素数１〜６のアルキル基であるとき、２〜６の整数が好ましく、２〜４の整数がより好ましい。また、Ｒ３が一般式（２−１）で示される基であるとき、１〜３の整数が好ましく、１又は２がより好ましい。
【００９３】
一般式（３）で示される基の好ましい具体例としては、例えば、下記一般式（４−１）又は（４−２）で示される基が挙げられ、一般式（４−２）で示される基が好ましい。
0006750669.tif 000022
（式中、Ｒ１、Ａ３及びＹ２は、上記と同じであり、Ｒ４は、水素原子又は炭素数１〜６のアルキル基を表し、Ａ４−１は、炭素数１〜６のアルキレン基又は単結合を表し、ｎ２は、２〜６の整数を表す。ただし、複数のＲ１、複数のＲ４、複数のＡ３、複数のＡ４−１及び複数のＹ２は、それぞれ同一であっても異なっていてもよく、ｎ２個のＡ４−１の炭素数の合計は１〜６である。）
0006750669.tif 000023
（式中、Ｒ１、Ａ３、Ａ４−１及びＹ２は、上記と同じであり、Ａ４−２は、−Ｏ−を鎖中に有する炭素数１〜６のアルキレン基を表し、ｎ３及びｎ４はそれぞれ独立して、０〜３の整数を表し、ｎ３＋ｎ４＝１〜３の整数である。ただし、複数のＲ１、複数のＡ３、複数のＡ４−１、複数のＡ４−２及び複数のＹ２は、それぞれ同一であっても異なっていてもよく、ｎ４個のＡ４−１とｎ３個のＡ４−２との炭素数の合計は１〜６である。）
【００９４】
一般式（４−１）のＲ４における炭素数１〜６のアルキル基としては、一般式（２）のＲ３における炭素数１〜６のアルキル基と同じものが挙げられ、好ましいものも同じである。
【００９５】
一般式（４−１）のＲ４としては、水素原子及び直鎖状の炭素数１〜６のアルキル基が好ましく、水素原子がより好ましい。具体的には、水素原子、メチル基、エチル基、ｎ−プロピル基、ｎ−ブチル基が好ましく、水素原子がより好ましい。
【００９６】
一般式（４−１）のＡ４−１における炭素数１〜６のアルキレン基としては、一般式（１）のＡ１における炭素数１〜６のアルキレン基と同じものが挙げられ、好ましいものも同じである。
【００９７】
一般式（４−１）のＡ４−１としては、直鎖状の炭素数１〜６のアルキレン基及び単結合が好ましい。具体的には、メチレン基、エチレン基、トリメチレン基、テトラメチレン基、ペンタメチレン基、ヘキサメチレン基、単結合が好ましく、メチレン基、エチレン基、トリメチレン基、単結合がより好ましく、メチレン基、単結合が特に好ましい。
【００９８】
一般式（４−１）のｎ２としては、２〜４の整数が好ましく、４がより好ましい。
【００９９】
一般式（４−２）のＡ４−２における−Ｏ−を鎖中に有する炭素数１〜６のアルキレン基としては、一般式（３）のＡ４における−Ｏ−を鎖中に有する炭素数１〜６のアルキレン基と同じものが挙げられ、好ましいものも同じである。
【０１００】
一般式（４−２）のｎ３及びｎ４の組合せとしては下記表に記載の組合せ１〜９が考えられ、その中でも組合せ１、４及び５が好ましく、組合せ５がより好ましい。
0006750669.tif 000024
【０１０１】
一般式（４−１）で示される基の好ましい具体例としては、例えば、下記一般式（４−１'）で示される基が挙げられる。
0006750669.tif 000025
（式中、Ｒ１及びＹ２は、上記と同じであり、Ｒ４'は、水素原子又は直鎖状の炭素数１〜６のアルキル基を表し、Ａ３−３及びＡ４−３はそれぞれ独立して、直鎖状の炭素数１〜６のアルキレン基又は単結合を表し、ｎ２'は、２〜４の整数を表す。ただし、複数のＲ１、複数のＲ４'、複数のＡ３−３、複数のＡ４−３及び複数のＹ２'は、それぞれ同一であっても異なっていてもよく、ｎ２'個のＡ４−３の炭素数の合計は１〜６である。）
【０１０２】
一般式（４−１'）のＲ４'における直鎖状の炭素数１〜６のアルキレン基としては、一般式（２'）のＲ３'における直鎖状の炭素数１〜６のアルキル基と同じものが挙げられ、好ましいものも同じである。
【０１０３】
一般式（４−１'）のＲ４'としては、水素原子が好ましい。
【０１０４】
一般式（４−１'）のＡ３−３及びＡ４−３における直鎖状の炭素数１〜６のアルキレン基としては、一般式（２−２）のＡ３−１における直鎖状の炭素数１〜６のアルキレン基と同じものが挙げられ、好ましいものも同じである。
【０１０５】
一般式（４−１'）のＡ３−３及びＡ４−３としては、直鎖状の炭素数１〜３のアルキレン基及び単結合が好ましい。具体的には、メチレン基、エチレン基、トリメチレン基、単結合が好ましく、メチレン基、単結合がより好ましい。
【０１０６】
一般式（４−１'）のｎ２'としては、４が好ましい。
【０１０７】
一般式（４−１'）で示される基の好ましい具体例としては、例えば、下記一般式（４−１''）で示される基が挙げられる。
0006750669.tif 000026
（式中、ｎ２'は、上記と同じであり、Ａ３−４及びＡ４−４はそれぞれ独立して、直鎖状の炭素数１〜３のアルキレン基又は単結合を表す。ただし、複数のＡ３−４及び複数のＡ４−４は、それぞれ同一であっても異なっていてもよく、ｎ２'個のＡ４−４の炭素数の合計は１〜６である。）
【０１０８】
一般式（４−１''）のＡ３−４及びＡ４−４における直鎖状の炭素数１〜３のアルキレン基としては、メチレン基、エチレン基、トリメチレン基が挙げられ、メチレン基が好ましい。
【０１０９】
一般式（４−１''）のＡ３−４及びＡ４−４としては、メチレン基、単結合が好ましい。
【０１１０】
一般式（４−１''）における(ｎ２'個の)Ａ３−４、(ｎ２'個の)Ａ４−４及びｎ２'の好ましい組合せとしては、例えば下記表に記載の組合せ１〜１２が挙げられ、その中でも組合せ１、２、４、５、８及び９が好ましく、組合せ８及び９がより好ましく、組合せ９が特に好ましい。
0006750669.tif 000027
【０１１１】
一般式（４−１''）で示される基の好ましい具体例としては、下記のものが挙げられる（以下、官能基群（２−１）と略記する場合がある）。
0006750669.tif 000028
【０１１２】
一般式（４−２）で示される基の好ましい具体例としては、例えば、下記一般式（４−２'）で示される基が挙げられる。
0006750669.tif 000029
（式中、Ｒ１、Ａ３−１、Ａ４−３及びＹ２は、上記と同じであり、Ａ４−５は、一般式（１−４）で示される基を表し、ｎ３'及びｎ４'はそれぞれ独立して、０又は１を表す。ただし、複数のＲ１、複数のＡ３−１及び複数のＹ２は、それぞれ同一であっても異なっていてもよく、ｎ３'個のＡ４−３とｎ４'個のＡ４−５との炭素数の合計は１〜６である。）
【０１１３】
一般式（４−２'）のＡ４−５としては、一般式（１−５）で示される基が好ましい。具体的には、一般式（１−５）で示される基の具体例と同じものが挙げられ、好ましいものも同じである。
【０１１４】
一般式（４−２'）のｎ３'及びｎ４'としては、ｎ３'＝１且つｎ４'＝０、ｎ３'＝０且つｎ４'＝１、ｎ３'＝ｎ４'＝１が挙げられ、ｎ３'＝ｎ４'＝１が好ましい。
【０１１５】
一般式（４−２'）の複数のＲ１、複数のＡ３−１及び複数のＹ２は、それぞれ同一であっても異なっていてもよいが、それぞれにおいて同一のものであるのが好ましい。
【０１１６】
一般式（４−２'）で示される基の好ましい具体例としては、例えば、下記一般式（４−２''）で示される基が挙げられる。
0006750669.tif 000030
（式中、Ａ３−２、Ａ４−４、ｎ３'及びｎ４'は、上記と同じであり、Ｙ８は、−Ｏ−又は−ＮＨ−を表し、Ａ４−６は、一般式（１−５）で示される基を表す。ただし、複数のＡ３−２及び複数のＹ８は、それぞれ同一であり、ｎ３'個のＡ４−４とｎ４'個のＡ４−６との炭素数の合計は１〜６である。）
【０１１７】
一般式（４−２''）のＹ８としては、−Ｏ−が好ましい。
【０１１８】
一般式（４−２''）のＡ４−６としては、一般式（１−５）で示される基の具体例と同じものが挙げられ、好ましいものも同じである。
【０１１９】
一般式（４−２''）における(複数の)Ａ３−２、Ａ４−４、Ａ４−６、(複数の)Ｙ８、ｎ３'及びｎ４'の好ましい組合せとしては、例えば下記表に記載の組合せ１〜１５が挙げられ、その中でも組合せ１、４及び９が好ましく、組合せ４がより好ましい。
0006750669.tif 000031
【０１２０】
一般式（４−２''）で示される基の好ましい具体例としては、下記のものが挙げられる（以下、官能基群（２−２）と略記する場合がある）。
0006750669.tif 000032
【０１２１】
一般式（１）におけるＡ１及びＡ２の組合せとしては、Ａ１が炭素数１〜６のアルキレン基又は単結合であり、Ａ２が一般式（４−１）で示される基である組合せ；Ａ１が炭素数１〜６のアルキレン基、一般式（１−１）〜（１−３）で示される基又は単結合であり、Ａ２が一般式（４−２）で示される基である組合せが挙げられる。その中でも、Ａ１が直鎖状の炭素数１〜６のアルキレン基又は単結合であり、Ａ２が一般式（４−１'）で示される基である組合せ；Ａ１が直鎖状の炭素数１〜６のアルキレン基、一般式（１−５）〜（１−８）で示される基又は単結合であり、Ａ２が一般式（４−２'）で示される基である組合せが好ましく、Ａ１が直鎖状の炭素数１〜３のアルキレン基又は単結合であり、Ａ２が一般式（４−１''）で示される基である組合せ；Ａ１が直鎖状の炭素数１〜３のアルキレン基、一般式（１−７）又は（１−８）で示される基又は単結合であり、Ａ２が一般式（４−２''）で示される基である組合せがより好ましく、下記表に記載の組合せ１〜１６がさらに好ましく、組合せ１、４、５、９、１３及び１６が特に好ましい。
0006750669.tif 000033
【０１２２】
一般式（１）における−Ａ１−Ａ２−の好ましい具体例としては、下記式（１０１）〜（１１４）で示されるものが挙げられ、中でも式（１０３）、（１０６）、（１０７）、（１０８）、（１１０）〜（１１４）で示されるものが好ましく、式（１０３）、（１０６）、（１０８）、（１１３）及び（１１４）で示されるものがより好ましく、式（１０８）、（１１３）及び（１１４）で示されるものがさらに好ましく、式（１０８）で示されるものが特に好ましい。
0006750669.tif 000034
【０１２３】
一般式（１）におけるｎとしては、１が好ましい。
【０１２４】
一般式（１）のＤｙｅで表される染料残基は、従来公知の染料の分子中の水素等の基を除いた１価の残基であり、いずれの染料骨格を有するものでもよい。当該染料残基としては、例えば、キサンテン系染料、トリアリールメタン系染料、シアニン系染料、クマリン系染料、スチルベン系染料、ナフタルイミド系染料、ペリレン系染料、ピリジン系染料、オキサジン系染料、オレフィン系染料、アゾール系染料、アントラセン系染料、チアジン系染料、フタロシアニン系染料、アントラキノン系染料、アクリドン系染料、キナクリドン系染料、イソインドリノン系染料、チオフラビン系染料、チオインジゴ系染料、フルオレン系染料、アゾ系染料、ジフェニルメタン系染料、ターフェニル系染料、クリセン系染料、ピレン系染料等の染料由来の残基が挙げられ、中でも、キサンテン系染料、トリアリールメタン系染料及びシアニン系染料由来の残基が好ましく、キサンテン系染料及びシアニン系染料由来の残基がより好ましい。
【０１２５】
上記キサンテン系染料としては、例えばローダミンＢ、ローダミン６Ｇ、ローダミン３Ｂ、ローダミン１０１、ローダミン１１０、スルホローダミン１０１、ベーシックバイオレット１１、ベーシックレッド２等のローダミン系染料；例えばエオシンＹ、エオシンＢ等のエオシン系染料；例えばフルオレセイン、フルオレセインイソチオシアネート等のフルオレセイン系染料等が挙げられ、ローダミン系染料が好ましい。
【０１２６】
上記トリアリールメタン系染料としては、例えばトリフェニルメタン、ベーシックバイオレット３、フェノールレッド、フェノールフタレイン、グリーンＳ、マラカイトグリーン、チモールブルー等のトリアリールメタン系染料等が挙げられる。
【０１２７】
上記シアニン系染料としては、例えば４−ジシアノメチレン−２−メチル−６−（ｐ−ジメチルアミノスチリル）−４Ｈ−ピラン（ＤＣＭ）、ベーシックイエロー１１、ベーシックイエロー１３、ベーシックレッド１２、ベーシックレッド１３、ベーシックレッド１４、ベーシックレッド１５、ベーシックレッド３７、ベーシックバイオレット１５、ベーシックバイオレット１６等のシアニン系染料等が挙げられる。
【０１２８】
上記クマリン系染料としては、例えばクマリン６、クマリン７、クマリン１５３、クマリン３１４、クマリン３３４、クマリン５４５、クマリン５４５Ｔ、クマリン５４５Ｐ、７−ヒドロキシ−４−メチルクマリン等のクマリン系染料等が挙げられる。
【０１２９】
上記スチルベン系染料としては、例えば１,４−ビス（２−メチルスチリル）ベンゼン、トランス−４,４'−ジフェニルスチルベンゼン等のスチルベン系染料等が挙げられる。
【０１３０】
上記ナフタルイミド系染料としては、例えばベーシックイエロー５１、ソルベントイエロー１１、ソルベントイエロー９８、ソルベントイエロー１１６、ソルベントイエロー４３、ソルベントイエロー４４等のナフタルイミド系染料等が挙げられる。
【０１３１】
上記ペリレン系染料としては、例えばペリレン、ルモゲンイエロー、ルモゲングリーン、ルモゲンオレンジ、ルモゲンピンク、ルモゲンレッド、ソルベントオレンジ５、ソルベントグリーン５等のペリレン系染料等が挙げられる。
【０１３２】
上記ピリジン系化合物としては、例えば１−エチル−２−［４−（ｐ−ジメチルアミノフェニル）−１,３−ブタジエニル］−ピリジニウム−パークロレート（ピリジン１）等のピリジン系染料、アクリジン系染料等が挙げられる。
【０１３３】
上記オキサジン系化合物としては、例えば酢酸クレシルバイオレット等のオキサジン系染料、ジオキサジン系染料等が挙げられる。
【０１３４】
上記オレフィン系化合物としては、例えばエテン系染料、ブタジエン系染料、ヘキサトリエン系染料等が挙げられる。
【０１３５】
上記アゾール系化合物としては、例えばオキサゾール系染料、チアゾール系染料等が挙げられる。
【０１３６】
また、上述した染料は、酸性染料、塩基性染料又は非イオン性染料に分けることが出来る。ここで本発明において、酸性染料とは、アニオン部が発色団となるイオン性染料を意味し、塩基性染料とは、カチオン部が発色団となるイオン性染料を意味し、非イオン性染料とは、前述の酸性染料及び塩基性染料のいずれにも該当しない染料を意味する（ただし、分子内塩を形成しているイオン性染料も酸性染料又は塩基性染料に包含されるものとする）。一般式（１）のＤｙｅにおける染料残基は、酸性染料、塩基性染料又は非イオン性染料のいずれの染料由来のものでもよく、酸性染料又は塩基性染料由来のものが好ましく、塩基性染料由来のものがより好ましい。具体的には、上述した染料由来の残基のうち塩基性染料由来の残基が好ましく、中でも、キサンテン系の塩基性染料、トリアリールメタン系の塩基性染料及びシアニン系の塩基性染料由来の残基が好ましく、キサンテン系の塩基性染料及びシアニン系の塩基性染料由来の残基がより好ましく、ローダミン系染料及びシアニン系の塩基性染料由来の残基が特に好ましい。
【０１３７】
一般式（１）のＤｙｅにおける染料残基の具体例としては、下記一般式（Ｉ）、下記一般式（ＩＩＩ）及び下記一般式（ＩＶ）で示される染料残基が挙げられる。
【０１３８】
0006750669.tif 000035
｛式中、ｎ１０１個のＲ１０５はそれぞれ独立して、ハロゲノ基、炭素数１〜３０のアルキル基、炭素数１〜２０のアルコキシ基、炭素数１〜２０のアルキルチオ基、置換基を有する若しくは無置換のアミノ基、ヒドロキシ基、炭素数６〜１４のアリール基、炭素数６〜１４のアリールオキシ基又は炭素数７〜２０のアリールアルキル基を表し、Ｙ１０１は、酸素原子、硫黄原子又は−ＮＲ１３２−を表し、Ｒ１３２は、炭素数１〜６のアルキル基を表し、Ａｎ-は、アニオンを表し、Ａｒ１は、下記一般式（Ｉ−１−１）〜（Ｉ−１−７）で示される環構造を表し；
0006750669.tif 000036
（式中、Ｒ１０１及びＲ１０４はそれぞれ独立して、水素原子又はメチル基を表し、Ｒ１０２及びＲ１０３はそれぞれ独立して、炭素数１〜３０のアルキル基又は置換基を有する若しくは無置換の炭素数６〜１４のアリール基を表し、Ｒ１０１とＲ１０２とで炭素数２〜４のアルキレン基を形成していてもよく、Ｒ１０３とＲ１０４とで炭素数２〜４のアルキレン基を形成していてもよい。）、
0006750669.tif 000037
（式中、Ｒ１３１は、炭素数１〜３０のアルキル基を表す。）、
0006750669.tif 000038
（式中、Ｒ１３１は、上記と同じ。）、
0006750669.tif 000039
（式中、Ｒ１３１は、上記と同じ。）、
0006750669.tif 000040
（式中、Ｒ１３１は、上記と同じ。）、
0006750669.tif 000041
（式中、Ｒ１３１は、上記と同じ。）、
0006750669.tif 000042
（式中、Ｒ１３１は、上記と同じ。）、
＊及び＊＊は、それぞれの結合位置を表し、Ａｒ２は、ベンゼン環、ナフタレン環又はアントラセン環を表す。Ａｒ２がベンゼン環の場合、ｎ１０１は０〜４の整数を表し、Ａｒ２がナフタレン環の場合、ｎ１０１は０〜６の整数を表し、Ａｒ２がアントラセン環の場合、ｎ１０１は０〜８の整数を表す。｝
【０１３９】
0006750669.tif 000043
（式中、Ａｎ-は上記と同じであり、Ｒ３０１及びＲ３０６はそれぞれ独立して、水素原子又はメチル基を表し、Ｒ３０２〜Ｒ３０５はそれぞれ独立して、炭素数１〜３０のアルキル基又は置換基を有する若しくは無置換の炭素数６〜１４のアリール基を表し、ｎ３０１個のＲ３０８はそれぞれ独立して、炭素数１〜３０のアルキル基、炭素数１〜６のアルコキシ基、フェニル基、ナフチル基、ハロゲノ基、ヒドロキシ基、ニトロ基又はスルホ基を表し、Ａｒ３は、ベンゼン環又はナフタレン環を表す。前記一般式（１）のｎが１であり、且つＡｒ３がベンゼン環の場合、ｎ３０１は０〜４の整数を表し、前記一般式（１）のｎが２であり、且つＡｒ３がベンゼン環の場合、ｎ３０１は０〜３の整数を表し、前記一般式（１）のｎが１であり、且つＡｒ３がナフタレン環の場合、ｎ３０１は０〜６の整数を表し、前記一般式（１）のｎが２であり、且つＡｒ３がナフタレン環の場合、ｎ３０１は０〜５の整数を表す。）
【０１４０】
0006750669.tif 000044
（式中、Ａｎ-は上記と同じであり、Ｒ４０１〜Ｒ４０４はそれぞれ独立して、水素原子、炭素数１〜６のアルキル基、炭素数１〜６のアルコキシ基、炭素数２〜４のアルキルオキシカルボニル基、炭素数２〜４のアルキルカルボニルオキシ基、フェニルカルボニル基、ナフチルカルボニル基、ハロゲノ基、カルボキシ基、ニトロ基、シアノ基又はアミノ基を表し、Ｒ４０５及びＲ４０６はそれぞれ独立して、水素原子；炭素数１〜６のアルキル基；炭素数１〜６のアルキル基、ニトロ基、ハロゲノ基又はシアノ基を有する若しくは無置換の炭素数７〜９のフェニルアルキル基；或いは炭素数１１〜１３のナフチルアルキル基を表し、Ｒ４０７は、水素原子；炭素数１〜６のアルコキシ基、炭素数２〜４のアルキルオキシカルボニル基、ヒドロキシ基、カルボキシ基、ハロゲノ基、シアノ基又はアミノ基を有する若しくは無置換の炭素数１〜６のアルキル基；炭素数１〜６のアルコキシ基、ハロゲノ基又はアミノ基を有する若しくは無置換の炭素数７〜９のフェニルアルキル基；或いは炭素数１１〜１３のナフチルアルキル基を表し、ｎ４０１個のＲ４０８はそれぞれ独立して、炭素数１〜６のアルキル基、炭素数１〜６のアルコキシ基、炭素数２〜４のアルキルオキシカルボニル基、炭素数２〜４のアルキルカルボニルオキシ基、フェニルカルボニル基、ナフチルカルボニル基、ハロゲノ基、カルボキシ基、ニトロ基、シアノ基又はアミノ基を表し、前記一般式（１）のｎが１である場合、ｎ４０１は０〜４の整数を表し、前記一般式（１）のｎが２である場合、ｎ４０１は０〜３の整数を表す。）
【０１４１】
［Ａｎ-で示されるアニオン］
一般式（Ｉ）、一般式（ＩＩＩ）及び一般式（ＩＶ）のＡｎ-としては、通常この分野で用いられるアニオンであれば特に制限されない。具体的には例えば、電子吸引性の置換基を有するアリール基、電子吸引性の置換基を有するスルホニル基、ハロアルキル基若しくはハロゲノ基を含むアニオン、ハロゲンオキソ酸アニオン又はスルホン酸アニオン（以下、本発明に係るアニオンと略記する場合がある）が挙げられる。
【０１４２】
本発明に係るアニオンのうち、電子吸引性の置換基を有するアリール基、電子吸引性の置換基を有するスルホニル基又はハロアルキル基を含むアニオンにおけるアニオン部分としては、例えばスルホン酸アニオン、窒素アニオン（N-）、４級ホウ素アニオン、硝酸イオン、燐酸イオン等が挙げられ、スルホン酸アニオン、窒素アニオン、４級ホウ素アニオンが好ましく、４級ホウ素アニオンがより好ましい。
【０１４３】
本発明に係るアニオンのうち、ハロゲノ基を含むアニオンにおけるアニオン部分としては、例えば、４級ホウ素アニオン、リンアニオン、アンチモンアニオン等が挙げられ、リンアニオン、アンチモンアニオンが好ましく、リンアニオンがより好ましい。
【０１４４】
本発明に係るアニオンにおいて、電子吸引性の置換基を有するアリール基又は電子吸引性の置換基を有するスルホニル基における電子吸引性の置換基としては、例えば、炭素数１〜３のハロアルキル基、ハロゲノ基、ニトロ基等が挙げられ、中でも炭素数１〜３のハロアルキル基、ハロゲノ基が好ましく、ハロゲノ基が特に好ましい。
【０１４５】
上記電子吸引性の置換基としての炭素数１〜３のハロアルキル基としては、例えばクロロメチル基、トリクロロメチル基、2-クロロエチル基、2,2,2-トリクロロエチル基、ペンタクロロエチル基、2-クロロプロピル基、3-クロロプロピル基、2-クロロ-2-プロピル基、ヘプタクロロプロピル基等のクロロアルキル基；ブロモメチル基、トリブロモメチル基、2-ブロモエチル基、2,2,2-トリブロモエチル基、ペンタブロモエチル基、2-ブロモプロピル基、3-ブロモプロピル基、2-ブロモ-2-プロピル基、ヘプタブロモプロピル基等のブロモアルキル基；ヨードメチル基、トリヨードメチル基、2-ヨードエチル基、2,2,2-トリヨードエチル基、ペンタヨードエチル基、2-ヨードプロピル基、3-ヨードプロピル基、2-ヨード-2-プロピル基、ヘプタヨードプロピル基等のヨードアルキル基；フルオロメチル基、トリフルオロメチル基、2-フルオロエチル基、2,2,2-トリフルオロエチル基、1,1,2,2-テトラフルオロエチル基、ペンタフルオロエチル基、3-フルオロプロピル基、3,3,3-トリフルオロプロピル基、2,2,3,3-テトラフルオロプロピル基、ヘプタフルオロプロピル基等のフルオロアルキル基が挙げられる。この中でもトリクロロメチル基、ペンタクロロエチル基、ヘプタクロロプロピル基、トリブロモメチル基、ペンタブロモエチル基、ヘプタブロモプロピル基、トリヨードメチル基、ペンタヨードエチル基、ヘプタヨードプロピル基、トリフルオロメチル基、ペンタフルオロエチル基、ヘプタフルオロプロピル基等のパーハロゲノアルキル基が好ましく、トリフルオロメチル基、ペンタフルオロエチル基、ヘプタフルオロプロピル基等のパーフルオロアルキル基がより好ましく、トリフルオロメチル基が特に好ましい。
【０１４６】
上記電子吸引性の置換基としてのハロゲノ基としては、フルオロ基、クロロ基、ブロモ基、ヨード基が挙げられ、フルオロ基が好ましい。
【０１４７】
本発明に係るアニオンにおいて、電子吸引性の置換基を有するアリール基中の電子吸引性の置換基としては、上記具体例の中でも、電子吸引力が強いものが好ましく、トリフルオロメチル基、フルオロ基、ニトロ基が好ましく、フルオロ基がより好ましい。
【０１４８】
本発明に係るアニオンにおいて、電子吸引性の置換基を有するスルホニル基中の電子吸引性の置換基としては、上記具体例の中でも、トリフルオロメチル基、ペンタフルオロエチル基、ヘプタフルオロプロピル基、フルオロ基が好ましい。
【０１４９】
本発明に係るアニオンにおける電子吸引性の置換基を有するアリール基中のアリール基としては、例えば、フェニル基、ナフチル基等が挙げられ、フェニル基が好ましい。
【０１５０】
本発明に係るアニオンにおける電子吸引性の置換基を有するアリール基の具体例としては、例えば下記一般式（２０−１）及び（２０−２）で表されるものが挙げられる。
0006750669.tif 000045
（式中、ｍは、１〜５の整数を表し、ｍ個のＲ４１は、それぞれ独立して、炭素数１〜３のハロアルキル基、ハロゲノ基又はニトロ基を表す。）
【０１５１】
0006750669.tif 000046
（式中、ｋは、１〜７の整数を表し、Ｒ４１は上記と同じ。ｋ個のＲ４１は同一でも異なっていてもよい。）
【０１５２】
一般式（２０−１）におけるｍは、通常１〜５の整数であり、Ｒ４１がハロゲノ基の場合は、２〜５が好ましく、３〜５がより好ましく、５が更に好ましい。Ｒ４１がニトロ基の場合は、１〜３が好ましく、１がより好ましい。Ｒ４１がハロアルキル基の場合は、１〜５が好ましく、１〜３がより好ましい。
【０１５３】
一般式（２０−１）におけるｋは、通常１〜７の整数であり、Ｒ４１がハロゲノ基の場合は、２〜７が好ましい。Ｒ４１がニトロ基の場合は、１〜３が好ましく、１がより好ましい。Ｒ４１がハロアルキル基の場合は、１〜７が好ましく、１〜３がより好ましい。
【０１５４】
一般式（２０−１）及び（２０−２）におけるＲ４１の炭素数１〜３のハロアルキル基としては、上記本発明に係るアニオンにおける電子吸引性の置換基としての炭素数１〜３のハロアルキル基と同じものが挙げられ、好ましいものも同じである。
【０１５５】
一般式（２０−１）及び（２０−２）におけるＲ４１のハロゲノ基としては、フルオロ基、クロロ基、ブロモ基、ヨード基が挙げられ、中でもフルオロ基が好ましい。
【０１５６】
一般式（２０−１）及び（２０−２）におけるＲ４１の好ましい具体例は、上記の電子吸引性の置換基を有するアリール基中の電子吸引性の置換基の好ましいものと同じである。
【０１５７】
一般式（２０−１）で示される基としては、具体的には例えば、トリフルオロメチルフェニル基、ジ(トリフルオロメチル)フェニル基、トリ(トリフルオロメチル)フェニル基、ペンタフルオロエチルフェニル基、ジ(ペンタフルオロエチル)フェニル基、トリ(ペンタフルオロエチル)フェニル基、ヘプタフルオロプロピルフェニル基、ジ(ヘプタフルオロプロピル)フェニル基、トリ(ヘプタフルオロプロピル)フェニル基、モノフルオロフェニル基、ジフルオロフェニル基、トリフルオロフェニル基、パーフルオロフェニル基、モノクロロフェニル基、ジクロロフェニル基、トリクロロフェニル基、パークロロフェニル基、モノブロモフェニル基、ジブロモフェニル基、トリブロモフェニル基、パーブロモフェニル基、モノヨードフェニル基、ジヨードフェニル基、トリヨードフェニル基、パーヨードフェニル基、ニトロフェニル基、ジニトロフェニル基、トリニトロフェニル基等が挙げられ、ジフルオロフェニル基、トリフルオロフェニル基、パーフルオロフェニル基等が好ましく、パーフルオロフェニル基がより好ましい。
【０１５８】
一般式（２０−２）で示される基としては、具体的には例えば、トリフルオロメチルナフチル基、ジ(トリフルオロメチル)ナフチル基、トリ(トリフルオロメチル)ナフチル基、ペンタフルオロエチルナフチル基、ジ(ペンタフルオロエチル)ナフチル基、トリ(ペンタフルオロエチル)ナフチル基、ヘプタフルオロプロピルナフチル基、ジ(ヘプタフルオロプロピル)ナフチル基、トリ(ヘプタフルオロプロピル)ナフチル基、モノフルオロナフチル基、ジフルオロナフチル基、トリフルオロナフチル基、パーフルオロナフチル基、モノクロロナフチル基、ジクロロナフチル基、トリクロロナフチル基、パークロロナフチル基、モノブロモナフチル基、ジブロモナフチル基、トリブロモナフチル基、パーブロモナフチル基、モノヨードナフチル基、ジヨードナフチル基、トリヨードナフチル基、パーヨードナフチル基、ニトロナフチル基、ジニトロナフチル基、トリニトロナフチル基等が挙げられる。
【０１５９】
本発明に係るアニオンにおける電子吸引性の置換基を有するアリール基としては、上記具体例の中でも、一般式（２０−１）で示される基が好ましく、具体的にはトリフルオロメチルフェニル基、ペンタフルオロエチルフェニル基、ヘプタフルオロプロピルフェニル基、ニトロフェニル基、ジニトロフェニル基、トリニトロフェニル基、モノフルオロフェニル基、ジフルオロフェニル基、トリフルオロフェニル基、パーフルオロフェニル基が好ましく、ジフルオロフェニル基、トリフルオロフェニル基、パーフルオロフェニル基がより好ましく、パーフルオロフェニル基が特に好ましい。
【０１６０】
本発明に係るアニオンにおける電子吸引性の置換基を有するスルホニル基としては、例えば-SO2-CF3、-SO2-C2F5、-SO2-C3F7、-SO2-F、-SO2-Cl、-SO2-Br、-SO2-I等が挙げられる。
【０１６１】
本発明に係るアニオンにおけるハロアルキル基としては、上記本発明に係るアニオンにおける電子吸引性の置換基としての炭素数１〜３のハロアルキル基と同じものが挙げられ、好ましいものも同じである。
【０１６２】
本発明に係るアニオンにおけるハロゲノ基としては、フルオロ基、クロロ基、ブロモ基、ヨード基が挙げられ、フルオロ基が好ましい。
【０１６３】
本発明に係る電子吸引性の置換基を有するアリール基、電子吸引性の置換基を有するスルホニル基、ハロアルキル基又はハロゲノ基を含むアニオンとしては、具体的には例えば下記一般式（１３）〜（１９）で示されるものが挙げられる。
0006750669.tif 000047
（式中、Ｒ４１及びｍは上記と同じ。ｍ個のＲ４１は同一でも異なっていてもよい。）
【０１６４】
0006750669.tif 000048
（式中、Ｒ４１及びｋは上記と同じ。ｋ個のＲ４１は同一でも異なっていてもよい。）
【０１６５】
0006750669.tif 000049
（式中、Ｒ４１及びｋは上記と同じ。ｋ個のＲ４１は同一でも異なっていてもよい。）
【０１６６】
0006750669.tif 000050
（式中、Ｒ４２〜Ｒ４５はそれぞれ独立して、炭素数１〜３のハロアルキル基、ハロゲノ基又はニトロ基を表し、ｍ２〜ｍ５はそれぞれ独立して、１〜５の整数を表す。ｍ２個のＲ４２、ｍ３個のＲ４３、ｍ４個のＲ４４及びｍ５個のＲ４５は、それぞれ同一でも異なっていてもよい。）
【０１６７】
0006750669.tif 000051
（式中、４個のＲ４６はそれぞれ独立して、炭素数１〜３のハロアルキル基又はハロゲノ基を表す。）
【０１６８】
0006750669.tif 000052
（式中、Ｒ４７及びＲ４８はそれぞれ独立して、炭素数１〜３のハロアルキル基又はハロゲノ基を表す。Ｒ４７とＲ４８とで、炭素数２〜３のハロアルキレン基を形成してもよい。）
【０１６９】
0006750669.tif 000053
（式中、Ｒ４９は、リン原子又はアンチモン原子を表し、６個のＸは、全て同一のハロゲノ基を表す。）
【０１７０】
一般式（１６）のＲ４２〜Ｒ４５、一般式（１７）のＲ４６、並びに一般式（１８）のＲ４７及びＲ４８における炭素数１〜３のハロアルキル基としては、本発明に係るアニオンにおける電子吸引性の置換基としての炭素数１〜３のハロアルキル基と同じものが挙げられ、好ましいものも同じである。
【０１７１】
一般式（１６）のＲ４２〜Ｒ４５、一般式（１７）のＲ４６、一般式（１８）のＲ４７及びＲ４８、並びに一般式（１９）のＸにおけるハロゲノ基としては、フルオロ基、クロロ基、ブロモ基、ヨード基が挙げられ、中でもフルオロ基が好ましい。
【０１７２】
一般式（１８）のＲ４７とＲ４８とで形成される炭素数２〜３のハロアルキレン基としては、例えばテトラフルオロエチレン基、ヘキサフルオロトリメチレン基等が挙げられ、ヘキサフルオロトリメチレン基が好ましい。
【０１７３】
一般式（１９）のＲ４９としては、リン原子が好ましい。
【０１７４】
一般式（１３）におけるＲ４１及びｍの組合せとしては、例えば下記表に記載のものが挙げられる。尚、当該ｍ個のＲ４１は、全て同一の基である場合が好ましい。
【０１７５】
0006750669.tif 000054
【０１７６】
一般式（１３）で示されるアニオンの好ましい具体例としては、例えば下記のものが挙げられる。
0006750669.tif 000055
【０１７７】
一般式（１４）及び（１５）におけるＲ４１及びｋの組合せとしては、例えば下記表に記載のものが挙げられる。尚、当該ｋ個のＲ４１は、全て同一の基である場合が好ましい。
【０１７８】
0006750669.tif 000056
【０１７９】
一般式（１４）及び（１５）で示されるアニオンの好ましい具体例としては、例えば下記のものが挙げられる。
0006750669.tif 000057
【０１８０】
一般式（１６）におけるｍ２個のＲ４２、ｍ３個のＲ４３、ｍ４個のＲ４４及びｍ５個のＲ４５は、それぞれにおいて同一の基である場合が好ましい。一般式（１６）におけるＲ４２〜Ｒ４５及びｍ２〜ｍ５の組合せとしては、例えば下記表に記載のものが挙げられる。
【０１８１】
0006750669.tif 000058
【０１８２】
一般式（１６）で示されるアニオンの好ましい具体例としては、例えば、下記のものが挙げられる。
0006750669.tif 000059
【０１８３】
上記の具体例の中でも、下記のものが好ましく、テトラキス(ペンタフルオロフェニル)ホウ素(IV)アニオンがより好ましい。
0006750669.tif 000060
【０１８４】
一般式（１７）で示されるアニオンの好ましい具体例としては、例えばBF4-、CF3BF3-、C2F5BF3-、C3F7BF3-、(CF3)4B-、(C2F5)4B-、(C3F7)4B-等が挙げられる。
【０１８５】
一般式（１８）で示されるアニオンの好ましい具体例としては、例えば、下記のものが挙げられる。
0006750669.tif 000061
【０１８６】
一般式（１９）で示されるアニオンの好ましい具体例としては、例えば、PF6−、SbF6−等が挙げられ、PF6−が好ましい。
【０１８７】
本発明に係るアニオンにおけるハロゲンオキソ酸アニオンの具体例としては、例えば、次亜塩素酸アニオン、亜塩素酸アニオン、塩素酸アニオン、過塩素酸アニオン等が挙げられ、過塩素酸アニオンが好ましい。
【０１８８】
本発明に係るアニオンにおけるスルホン酸アニオンの具体例としては、例えば、メタンスルホン酸アニオン等の炭素数１〜２０のアルキルスルホン酸アニオン；トリフルオロメタンスルホン酸アニオン等の炭素数１〜２０のハロアルキルスルホン酸アニオン；ベンゼンスルホン酸アニオン、トルエンスルホン酸アニオン等の置換基を有している又は無置換のベンゼンスルホン酸アニオン等が挙げられる。
【０１８９】
一般式（Ｉ）、一般式（ＩＩＩ）及び一般式（ＩＶ）のＡｎ-としては、本発明に係るアニオンが好ましく、電子吸引性の置換基を有するアリール基、電子吸引性の置換基を有するスルホニル基、ハロアルキル基又はハロゲノ基を含むアニオンがより好ましく、具体的には、一般式（１６）〜（１９）で示されるものが好ましく、一般式（１６）、一般式（１８）及び一般式（１９）で示されるものがより好ましく、一般式（１６）及び一般式（１９）で示されるものがさらに好ましく、一般式（１６）で示されるものが特に好ましい。
【０１９０】
一般式（Ｉ）、一般式（ＩＩＩ）及び一般式（ＩＶ）のＡｎ-としては、上記具体例の中でも、下記のものが好ましく、テトラキス(ペンタフルオロフェニル)ホウ素(IV)アニオン、ビス(トリフルオロメタンスルホニル)イミドアニオン、PF6−がより好ましく、テトラキス(ペンタフルオロフェニル)ホウ素(IV)アニオン、PF6−がさらに好ましく、テトラキス(ペンタフルオロフェニル)ホウ素(IV)アニオンが特に好ましい。
0006750669.tif 000062
【０１９１】
［一般式（Ｉ）で示される染料残基］
0006750669.tif 000063
（式中、Ｒ１０５、Ｙ１０１、Ａｒ１、Ａｒ２、Ａｎ-、ｎ１０１、＊及び＊＊は、上記と同じ。）
【０１９２】
一般式（Ｉ）のＲ１０５におけるハロゲノ基としては、例えば、フルオロ基、クロロ基、ブロモ基、ヨード基が挙げられ、中でもフルオロ基が好ましい。
【０１９３】
一般式（Ｉ）のＲ１０５における炭素数１〜３０のアルキル基としては、直鎖状、分枝状及び環状のうちいずれであってもよく、なかでも、直鎖状及び分枝状が好ましい。また、炭素数１〜２０のアルキル基の中でも、炭素数１〜１２のものが好ましく、炭素数１〜６のものがより好ましく、炭素数１〜４のものが更に好ましく、炭素数１〜２のものが特に好ましい。具体的には例えば、メチル基、エチル基、n-プロピル基、イソプロピル基、n-ブチル基、イソブチル基、sec-ブチル基、tert-ブチル基、シクロブチル基、n-ペンチル基、イソペンチル基、sec-ペンチル基、tert-ペンチル基、ネオペンチル基、2-メチルブチル基、1,2-ジメチルプロピル基、1-エチルプロピル基、シクロペンチル基、n-ヘキシル基、イソヘキシル基、sec-ヘキシル基、tert-ヘキシル基、ネオヘキシル基、2-メチルペンチル基、1,2-ジメチルブチル基、2,3-ジメチルブチル基、1-エチルブチル基、シクロヘキシル基、n-ヘプチル基、イソヘプチル基、sec-ヘプチル基、tert-ヘプチル基、ネオヘプチル基、シクロヘプチル基、n-オクチル基、イソオクチル基、sec-オクチル基、tert-オクチル基、ネオオクチル基、2-エチルヘキシル基、シクロオクチル基、n-ノニル基、イソノニル基、sec-ノニル基、tert-ノニル基、ネオノニル基、シクロノニル基、n-デシル基、イソデシル基、sec-デシル基、tert-デシル基、ネオデシル基、シクロデシル基、n-ウンデシル基、シクロウンデシル基、n-ドデシル基、シクロドデシル基、n-トリデシル基、イソトリデシル基、n-テトラデシル基、イソテトラデシル基、n-ペンタデシル基、イソペンタデシル基、n-ヘキサデシル基、イソヘキサデシル基、n-ヘプタデシル基、イソヘプタデシル基、n-オクタデシル基、イソオクタデシル基、n-ノナデシル基、イソノナデシル基、n-イコシル基、イソイコシル基、n-ヘンイコシル基、イソヘンイコシル基、n-ドコシル基、イソドコシル基、n-トリコシル基、イソトリコシル基、n-テトラコシル基、イソテトラコシル基、n-ペンタコシル基、イソペンタコシル基、n-ヘキサコシル基、イソヘキサコシル基、n-ヘプタコシル基、イソヘプタコシル基、n-オクタコシル基、イソオクタコシル基、n-ノナコシル基、イソノナコシル基、n-トリアコンチル基、イソトリアコンチル基、シクロヘキシルメチル基、1-シクロヘキシルエチル基、2-メチルシクロへキシル基、3-メチルシクロへキシル基、4-メチルシクロへキシル基、2,6-ジメチルシクロへキシル基、2,4-ジメチルシクロへキシル基、3,5-ジメチルシクロへキシル基、2,5-ジメチルシクロへキシル基、2,3-ジメチルシクロへキシル基、3,3,5-トリメチルシクロへキシル基、4-tert-ブチルシクロへキシル基、1-アダマンチル基、2-アダマンチル基、イソボルニル基、ジシクロペンタニル基、1-メチルシクロペンチル基、1-エチルシクロペンチル基、1-n-プロピルシクロペンチル基、1-メチルシクロヘキシル基、1-エチルシクロヘキシル基、1-n-プロピルシクロヘキシル基、1-n-ブチルシクロヘキシル基、1-メチルシクロヘプチル基、1-エチルシクロヘプチル基、1-n-プロピルシクロヘプチル基、1-メチルシクロオクチル基、1-エチルシクロオクチル基等が挙げられ、メチル基、エチル基、n-プロピル基、イソプロピル基、n-ブチル基、イソブチル基、sec-ブチル基、tert-ブチル基、n-ペンチル基、イソペンチル基、sec-ペンチル基、tert-ペンチル基、ネオペンチル基、2-メチルブチル基、1,2-ジメチルプロピル基、1-エチルプロピル基、n-ヘキシル基、イソヘキシル基、sec-ヘキシル基、tert-ヘキシル基、ネオヘキシル基、2-メチルペンチル基、1,2-ジメチルブチル基、2,3-ジメチルブチル基、1-エチルブチル基、n-ヘプチル基、n-オクチル基、n-ノニル基、n-デシル基、n-ウンデシル基、n-ドデシル基が好ましく、メチル基、エチル基、n-プロピル基、イソプロピル基、n-ブチル基、イソブチル基、sec-ブチル基、tert-ブチル基、n-ペンチル基、イソペンチル基、n-ヘキシル基がより好ましく、メチル基、エチル基、n-プロピル基、イソプロピル基、n-ブチル基、イソブチル基、sec-ブチル基、tert-ブチル基がさらに好ましく、メチル基、エチル基が特に好ましい。
【０１９４】
一般式（Ｉ）のＲ１０５における炭素数１〜２０のアルコキシ基としては、直鎖状、分枝状及び環状のうちいずれであってもよく、なかでも、直鎖状及び分枝状が好ましい。また、炭素数１〜２０のアルコキシ基の中でも、炭素数１〜１２のものが好ましく、炭素数１〜６のものがより好ましく、炭素数１〜４のものが特に好ましい。具体的には例えば、メトキシ基、エトキシ基、n-プロポキシ基、イソプロポキシ基、n-ブトキシ基、イソブトキシ基、sec-ブトキシ基、tert-ブトキシ基、シクロブトキシ基、n-ペンチルオキシ基、イソペンチルオキシ基、sec-ペンチルオキシ基、tert-ペンチルオキシ基、ネオペンチルオキシ基、2-メチルブトキシ基、1,2-ジメチルプロポキシ基、1-エチルプロポキシ基、シクロペンチルオキシ基、n-ヘキシルオキシ基、イソヘキシルオキシ基、sec-ヘキシルオキシ基、tert-ヘキシルオキシ基、ネオヘキシルオキシ基、2-メチルペンチルオキシ基、1,2-ジメチルブトキシ基、2,3-ジメチルブトキシ基、1-エチルブトキシ基、シクロヘキシルオキシ基、n-ヘプチルオキシ基、イソヘプチルオキシ基、sec-ヘプチルオキシ基、tert-ヘプチルオキシ基、ネオヘプチルオキシ基、シクロヘプチルオキシ基、n-オクチルオキシ基、イソオクチルオキシ基、sec-オクチルオキシ基、tert-オクチルオキシ基、ネオオクチルオキシ基、2-エチルヘキシルオキシ基、シクロオクチルオキシ基、n-ノニルオキシ基、イソノニルオキシ基、sec-ノニルオキシ基、tert-ノニルオキシ基、ネオノニルオキシ基、シクロノニルオキシ基、n-デシルオキシ基、イソデシルオキシ基、sec-デシルオキシ基、tert-デシルオキシ基、ネオデシルオキシ基、シクロデシルオキシ基、n-ウンデシルオキシ基、シクロウンデシルオキシ基、n-ドデシルオキシ基、シクロドデシルオキシ基、n-トリデシルオキシ基、イソトリデシルオキシ基、n-テトラデシルオキシ基、イソテトラデシルオキシ基、n-ペンタデシルオキシ基、イソペンタデシルオキシ基、n-ヘキサデシルオキシ基、イソヘキサデシルオキシ基、n-ヘプタデシルオキシ基、イソヘプタデシルオキシ基、n-オクタデシルオキシ基、イソオクタデシルオキシ基、n-ノナデシルオキシ基、イソノナデシルオキシ基、n-イコシルオキシ基、イソイコシルオキシ基等が挙げられ、メトキシ基、エトキシ基、n-プロポキシ基、イソプロポキシ基、n-ブトキシ基、イソブトキシ基、sec-ブトキシ基、tert-ブトキシ基、n-ペンチルオキシ基、イソペンチルオキシ基、sec-ペンチルオキシ基、tert-ペンチルオキシ基、ネオペンチルオキシ基、2-メチルブトキシ基、1,2-ジメチルプロポキシ基、1-エチルプロポキシ基、n-ヘキシルオキシ基、イソヘキシルオキシ基、sec-ヘキシルオキシ基、tert-ヘキシルオキシ基、ネオヘキシルオキシ基、2-メチルペンチルオキシ基、1,2-ジメチルブトキシ基、2,3-ジメチルブトキシ基、1-エチルブトキシ基が好ましく、メトキシ基、エトキシ基、n-プロポキシ基、イソプロポキシ基、n-ブトキシ基、イソブトキシ基、sec-ブトキシ基、tert-ブトキシ基がより好ましく、メトキシ基、エトキシ基がさらに好ましい。
【０１９５】
一般式（Ｉ）のＲ１０５における炭素数１〜２０のアルキルチオ基としては、直鎖状、分枝状及び環状のうちいずれであってもよく、なかでも、直鎖状及び分枝状が好ましい。また、炭素数１〜２０のアルキルチオ基の中でも、炭素数１〜１２のものが好ましく、炭素数１〜６のものがより好ましく、炭素数１〜４のものが特に好ましい。具体的には例えば、メチルチオ基、エチルチオ基、n-プロピルチオ基、イソプロピルチオ基、n-ブチルチオ基、イソブチルチオ基、sec-ブチルチオ基、tert-ブチルチオ基、シクロブチルチオ基、n-ペンチルチオ基、イソペンチルチオ基、sec-ペンチルチオ基、tert-ペンチルチオ基、ネオペンチルチオ基、2-メチルブチルチオ基、1,2-ジメチルプロピルチオ基、1-エチルプロピルチオ基、シクロペンチルチオ基、n-ヘキシルチオ基、イソヘキシルチオ基、sec-ヘキシルチオ基、tert-ヘキシルチオ基、ネオヘキシルチオ基、2-メチルペンチルチオ基、1,2-ジメチルブチルチオ基、2,3-ジメチルブチルチオ基、1-エチルブチルチオ基、シクロヘキシルチオ基、n-ヘプチルチオ基、イソヘプチルチオ基、sec-ヘプチルチオ基、tert-ヘプチルチオ基、ネオヘプチルチオ基、シクロヘプチルチオ基、n-オクチルチオ基、イソオクチルチオ基、sec-オクチルチオ基、tert-オクチルチオ基、ネオオクチルチオ基、2-エチルヘキシルチオ基、シクロオクチルチオ基、n-ノニルチオ基、イソノニルチオ基、sec-ノニルチオ基、tert-ノニルチオ基、ネオノニルチオ基、シクロノニルチオ基、n-デシルチオ基、イソデシルチオ基、sec-デシルチオ基、tert-デシルチオ基、ネオデシルチオ基、シクロデシルチオ基、n-ウンデシルチオ基、シクロウンデシルチオ基、n-ドデシルチオ基、シクロドデシルチオ基、n-トリデシルチオ基、イソトリデシルチオ基、n-テトラデシルチオ基、イソテトラデシルチオ基、n-ペンタデシルチオ基、イソペンタデシルチオ基、n-ヘキサデシルチオ基、イソヘキサデシルチオ基、n-ヘプタデシルチオ基、イソヘプタデシルチオ基、n-オクタデシルチオ基、イソオクタデシルチオ基、n-ノナデシルチオ基、イソノナデシルチオ基、n-イコシルチオ基、イソイコシルチオ基等が挙げられ、メチルチオ基、エチルチオ基、n-プロピルチオ基、イソプロピルチオ基、n-ブチルチオ基、イソブチルチオ基、sec-ブチルチオ基、tert-ブチルチオ基、n-ペンチルチオ基、イソペンチルチオ基、sec-ペンチルチオ基、tert-ペンチルチオ基、ネオペンチルチオ基、2-メチルブチルチオ基、1,2-ジメチルプロピルチオ基、1-エチルプロピルチオ基、n-ヘキシルチオ基、イソヘキシルチオ基、sec-ヘキシルチオ基、tert-ヘキシルチオ基、ネオヘキシルチオ基、2-メチルペンチルチオ基、1,2-ジメチルブチルチオ基、2,3-ジメチルブチルチオ基、1-エチルブチルチオ基が好ましく、メチルチオ基、エチルチオ基、n-プロピルチオ基、イソプロピルチオ基、n-ブチルチオ基、イソブチルチオ基、sec-ブチルチオ基、tert-ブチルチオ基がより好ましく、メチルチオ基、エチルチオ基がさらに好ましい。
【０１９６】
一般式（Ｉ）のＲ１０５における置換基を有するアミノ基は、１個又は２個の置換基を有する。当該置換基としては、例えば、炭素数１〜３０のアルキル基、炭素数１〜２０のハロアルキル基、炭素数６〜１０のアリール基、炭素数７〜１３のアリールアルキル基等が挙げられる。
【０１９７】
一般式（Ｉ）のＲ１０５における置換基を有するアミノ基の置換基における炭素数１〜３０のアルキル基としては、一般式（Ｉ）のＲ１０５における炭素数１〜３０のアルキル基と同じものが挙げられ、好ましいものも同じである。
【０１９８】
一般式（Ｉ）のＲ１０５における置換基を有するアミノ基の置換基における炭素数１〜２０のハロアルキル基としては、直鎖状、分枝状及び環状のうちいずれであってもよく、なかでも、直鎖状及び分枝状が好ましい。また、炭素数１〜２０のハロアルキル基の中でも、炭素数１〜１２のものが好ましく、炭素数１〜６のものがより好ましく、炭素数１〜３のものが特に好ましい。具体的には例えば、クロロメチル基、トリクロロメチル基、2-クロロエチル基、2,2,2-トリクロロエチル基、ペンタクロロエチル基、2-クロロプロピル基、3-クロロプロピル基、2-クロロ-2-プロピル基、ヘプタクロロプロピル基等のクロロアルキル基；ブロモメチル基、トリブロモメチル基、2-ブロモエチル基、2,2,2-トリブロモエチル基、ペンタブロモエチル基、2-ブロモプロピル基、3-ブロモプロピル基、2-ブロモ-2-プロピル基、ヘプタブロモプロピル基等のブロモアルキル基；ヨードメチル基、トリヨードメチル基、2-ヨードエチル基、2,2,2-トリヨードエチル基、ペンタヨードエチル基、2-ヨードプロピル基、3-ヨードプロピル基、2-ヨード-2-プロピル基、ヘプタヨードプロピル基等のヨードアルキル基；フルオロメチル基、トリフルオロメチル基、2-フルオロエチル基、2,2,2-トリフルオロエチル基、1,1,2,2-テトラフルオロエチル基、ペンタフルオロエチル基、3-フルオロプロピル基、3,3,3-トリフルオロプロピル基、2,2,3,3-テトラフルオロプロピル基、ヘプタフルオロプロピル基等のフルオロアルキル基が挙げられる。この中でもトリクロロメチル基、ペンタクロロエチル基、ヘプタクロロプロピル基、トリブロモメチル基、ペンタブロモエチル基、ヘプタブロモプロピル基、トリヨードメチル基、ペンタヨードエチル基、ヘプタヨードプロピル基、トリフルオロメチル基、ペンタフルオロエチル基、ヘプタフルオロプロピル基等のパーハロゲノアルキル基が好ましく、トリフルオロメチル基、ペンタフルオロエチル基、ヘプタフルオロプロピル基等のパーフルオロアルキル基がより好ましく、トリフルオロメチル基が特に好ましい。
【０１９９】
一般式（Ｉ）のＲ１０５における置換基を有するアミノ基の置換基における炭素数６〜１０のアリール基としては、フェニル基、ナフチル基等が挙げられ、フェニル基が好ましい。
【０２００】
一般式（Ｉ）のＲ１０５における置換基を有するアミノ基の置換基における炭素数７〜１３のアリールアルキル基としては、炭素数７〜９のフェニルアルキル基、炭素数１１〜１３のナフチルアルキル基等が挙げられ、炭素数７〜９のフェニルアルキル基が好ましい。具体的には例えば、ベンジル基、フェネチル基（2-フェニルエチル基）、1-フェニルエチル基、ヒドロシンナミル基（3-フェニルプロピル基）、2-フェニルプロピル基、1-フェニルプロピル基、クミル基（2-フェニルプロパン-2-イル基）、ナフチルメチル基、2-ナフチルエチル基、3-ナフチルプロピル基等が挙げられ、ベンジル基、フェネチル基、1-フェニルエチル基、ヒドロシンナミル基、2-フェニルプロピル基、1-フェニルプロピル基、クミル基が好ましく、ベンジル基、フェネチル基、ヒドロシンナミル基がより好ましく、ベンジル基がさらに好ましい。
【０２０１】
一般式（Ｉ）のＲ１０５における置換基を有する又は無置換のアミノ基としては、置換基を有するアミノ基が好ましく、炭素数１〜３０のアルキル基、炭素数１〜２０のハロアルキル基、炭素数６〜１０のアリール基又は炭素数７〜１３のアリールアルキル基を有するアミノ基がより好ましく、炭素数１〜１２のアルキル基、フェニル基又は炭素数７〜９のフェニルアルキル基を有するアミノ基がさらに好ましい。具体的には例えば、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、n-ペンチルアミノ基、イソペンチルアミノ基、n-ヘキシルアミノ基、フェニルアミノ基、ベンジルアミノ基、フェネチルアミノ基、ヒドロシンナミルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基、ジ-n-ペンチルアミノ基、ジイソペンチルアミノ基、ジ-n-ヘキシルアミノ基、ジフェニルアミノ基、ジベンジルアミノ基、ジフェネチルアミノ基、ビス(ヒドロシンナミル)アミノ基等が挙げられ、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、フェニルアミノ基、ベンジルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基、ジフェニルアミノ基、ジベンジルアミノ基が好ましく、メチルアミノ基、エチルアミノ基、フェニルアミノ基、ベンジルアミノ基、ジメチルアミノ基、ジエチルアミノ基、ジフェニルアミノ基、ジベンジルアミノ基がより好ましい。
【０２０２】
一般式（Ｉ）のＲ１０５における炭素数６〜１４のアリール基としては、具体的には例えば、フェニル基、ナフチル基、アントラセニル基等が挙げられ、フェニル基が好ましい。
【０２０３】
一般式（Ｉ）のＲ１０５における炭素数６〜１４のアリールオキシ基としては、具体的には例えば、フェノキシ基、ナフチルオキシ基、アントラセニルオキシ基等が挙げられ、フェノキシ基が好ましい。
【０２０４】
一般式（Ｉ）のＲ１０５における炭素数７〜２０のアリールアルキル基としては、炭素数７〜１２のフェニルアルキル基、炭素数１１〜１６のナフチルアルキル基、炭素数１５〜２０のアントラセニルアルキル基等が挙げられ、炭素数７〜１２のフェニルアルキル基が好ましく、炭素数７〜９のフェニルアルキル基がより好ましい。具体的には例えば、ベンジル基、フェネチル基（2-フェニルエチル基）、1-フェニルエチル基、ヒドロシンナミル基（3-フェニルプロピル基）、2-フェニルプロピル基、1-フェニルプロピル基、クミル基（2-フェニルプロパン-2-イル基）、4-フェニルブチル基、3-フェニルブチル基、2-フェニルブチル基、1-フェニルブチル基、5-フェニルペンチル基、4-フェニルペンチル基、3-フェニルペンチル基、2-フェニルペンチル基、1-フェニルペンチル基、6-フェニルヘキシル基、5-フェニルヘキシル基、4-フェニルヘキシル基、3-フェニルヘキシル基、2-フェニルヘキシル基、1-フェニルヘキシル基、ナフチルメチル基、2-ナフチルエチル基、3-ナフチルプロピル基、4-ナフチルブチル基、5-ナフチルペンチル基、6-ナフチルヘキシル基、アントラセニルメチル基、2-アントラセニルエチル基、3-アントラセニルプロピル基、4-アントラセニルブチル基、5-アントラセニルペンチル基、6-アントラセニルヘキシル基等が挙げられ、ベンジル基、フェネチル基、1-フェニルエチル基、ヒドロシンナミル基、2-フェニルプロピル基、1-フェニルプロピル基、クミル基、4-フェニルブチル基、3-フェニルブチル基、2-フェニルブチル基、1-フェニルブチル基、5-フェニルペンチル基、4-フェニルペンチル基、3-フェニルペンチル基、2-フェニルペンチル基、1-フェニルペンチル基、6-フェニルヘキシル基、5-フェニルヘキシル基、4-フェニルヘキシル基、3-フェニルヘキシル基、2-フェニルヘキシル基、1-フェニルヘキシル基が好ましく、ベンジル基、フェネチル基、1-フェニルエチル基、ヒドロシンナミル基、2-フェニルプロピル基、1-フェニルプロピル基、クミル基がより好ましく、ベンジル基、フェネチル基、ヒドロシンナミル基、クミル基がさらに好ましい。
【０２０５】
一般式（Ｉ）のＲ１０５としては、ハロゲノ基；炭素数１〜１２のアルキル基；炭素数１〜１２のアルコキシ基；炭素数１〜１２のアルキルチオ基；炭素数１〜３０のアルキル基、炭素数１〜２０のハロアルキル基、炭素数６〜１０のアリール基又は炭素数７〜１３のアリールアルキル基を有するアミノ基；ヒドロキシ基；炭素数６〜１４のアリール基；炭素数６〜１４のアリールオキシ基；及び炭素数７〜２０のアリールアルキル基が好ましく、ハロゲノ基；炭素数１〜１２のアルキル基；炭素数１〜１２のアルコキシ基；炭素数１〜１２のアルキルチオ基；炭素数１〜１２のアルキル基、フェニル基又は炭素数７〜９のフェニルアルキル基を有するアミノ基；ヒドロキシ基；フェニル基；フェノキシ基；及び炭素数７〜１２のフェニルアルキル基がより好ましく、ハロゲノ基；炭素数１〜６のアルキル基；炭素数１〜６のアルコキシ基；炭素数１〜６のアルキルチオ基；炭素数１〜１２のアルキル基、フェニル基又は炭素数７〜９のフェニルアルキル基を有するアミノ基；ヒドロキシ基；フェニル基；フェノキシ基；及び炭素数７〜９のフェニルアルキル基がさらに好ましい。具体的には、フッ素原子、メチル基、エチル基、n-プロピル基、イソプロピル基、n-ブチル基、イソブチル基、sec-ブチル基、tert-ブチル基、n-ペンチル基、イソペンチル基、n-ヘキシル基、メトキシ基、エトキシ基、n-プロポキシ基、イソプロポキシ基、n-ブトキシ基、イソブトキシ基、sec-ブトキシ基、tert-ブトキシ基、メチルチオ基、エチルチオ基、n-プロピルチオ基、イソプロピルチオ基、n-ブチルチオ基、イソブチルチオ基、sec-ブチルチオ基、tert-ブチルチオ基、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、フェニルアミノ基、ベンジルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基、ジフェニルアミノ基、ジベンジルアミノ基、ヒドロキシ基、フェニル基、フェノキシ基、ベンジル基、フェネチル基、1-フェニルエチル基、ヒドロシンナミル基、2-フェニルプロピル基、1-フェニルプロピル基、クミル基が好ましく、フッ素原子、メチル基、エチル基、n-プロピル基、イソプロピル基、n-ブチル基、イソブチル基、sec-ブチル基、tert-ブチル基、メトキシ基、エトキシ基、メチルチオ基、エチルチオ基、メチルアミノ基、エチルアミノ基、フェニルアミノ基、ベンジルアミノ基、ジメチルアミノ基、ジエチルアミノ基、ジフェニルアミノ基、ジベンジルアミノ基、ヒドロキシ基、フェニル基、フェノキシ基、ベンジル基、フェネチル基、ヒドロシンナミル基、クミル基がより好ましい。
【０２０６】
一般式（Ｉ）のＹ１０１において、Ｒ１３２における炭素数１〜６のアルキル基としては、一般式（２）のＲ３における炭素数１〜６のアルキル基と同じものが挙げられ、好ましいものも同じである。
【０２０７】
一般式（Ｉ）のＹ１０１としては、酸素原子及び−ＮＲ１３２−が好ましく、酸素原子がより好ましい。具体的には、例えば、酸素原子、硫黄原子、-NCH3-、-NC2H5-、-NC3H7-、-NC4H9-等が挙げられ、酸素原子、硫黄原子、-NCH3-が好ましく、酸素原子、-NCH3-がより好ましく、酸素原子が特に好ましい。
【０２０８】
一般式（Ｉ−１−１）のＲ１０２及びＲ１０３における炭素数１〜３０のアルキル基としては、一般式（Ｉ）のＲ１０５における炭素数１〜３０のアルキル基と同じものが挙げられ、好ましいものも同じである。
【０２０９】
一般式（Ｉ−１−１）のＲ１０２及びＲ１０３における「置換基を有する若しくは無置換の炭素数６〜１４のアリール基」の炭素数６〜１４のアリール基としては、フェニル基、ナフチル基、アントラセニル基等が挙げられ、フェニル基が好ましい。
【０２１０】
一般式（Ｉ−１−１）のＲ１０２及びＲ１０３における置換基を有する炭素数６〜１４のアリール基は、通常１〜５個、好ましくは１〜３個、より好ましくは１個の置換基を有する。当該置換基としては、例えば、炭素数１〜３０のアルキル基等が挙げられる。当該炭素数１〜３０のアルキル基としては、一般式（Ｉ）のＲ１０５における炭素数１〜３０のアルキル基と同じものが挙げられ、好ましいものも同じである。
【０２１１】
一般式（Ｉ−１−１）のＲ１０２及びＲ１０３における置換基を有する炭素数６〜１４のアリール基としては、炭素数１〜３０のアルキル基を有する炭素数６〜１４のアリール基等が挙げられ、炭素数１〜３０のアルキル基を有するフェニル基、ナフチル基及びアントラセニル基が好ましく、炭素数１〜１２のアルキル基を有するフェニル基がより好ましく、炭素数１〜６のアルキル基を有するフェニル基がさらに好ましく、炭素数１〜３のアルキル基を有するフェニル基が特に好ましい。具体的には例えば、o-トリル基（メチルフェニル基）、m-トリル基、p-トリル基、o-エチルフェニル基、m-エチルフェニル基、p-エチルフェニル基、o-プロピルフェニル基、m-プロピルフェニル基、p-プロピルフェニル基、o-ブチルフェニル基、m-ブチルフェニル基、p-ブチルフェニル基、o-ペンチルフェニル基、m-ペンチルフェニル基、p-ペンチルフェニル基、o-ヘキシルフェニル基、m-ヘキシルフェニル基、p-ヘキシルフェニル基、2,3-キシリル基（2,3-ジメチルフェニル基）、2,4-キシリル基、2,5-キシリル基、2,6-キシリル基、3,4-キシリル基、3,5-キシリル基、メシチル基（2,4,6-トリメチルフェニル基）等が挙げられ、p-トリル基、p-エチルフェニル基、p-プロピルフェニル基、p-ブチルフェニル基、p-ペンチルフェニル基、p-ヘキシルフェニル基、2,4-キシリル基、2,6-キシリル基、3,5-キシリル基、メシチル基が好ましく、p-トリル基、p-エチルフェニル基、p-プロピルフェニル基がより好ましい。尚、上記具体例中のアルキル基は、normal-体に限定されず、sec-体、tert-体、イソ体（iso-体）、ネオ体（neo-体）等の分岐状のものも全て含む。
【０２１２】
一般式（Ｉ−１−１）のＲ１０１とＲ１０２とで炭素数２〜４のアルキレン基を形成している場合及びＲ１０３とＲ１０４とで炭素数２〜４のアルキレン基を形成している場合における、炭素数２〜４のアルキレン基としては、直鎖状または分枝状のいずれであってもよく、直鎖状が好ましい。具体的には、例えばエチレン基、トリメチレン基、プロピレン基、1,1-ジメチルメチレン基、テトラメチレン基、1-メチルトリメチレン基、2-メチルトリメチレン基、1,2-ジメチルエチレン基、1,1-ジメチルエチレン基、エチルエチレン基等が挙げられ、エチレン基、トリメチレン基、テトラメチレン基が好ましく、トリメチレン基がより好ましい。
【０２１３】
一般式（Ｉ−１−１）において、Ｒ１０１とＲ１０２とで炭素数２〜４のアルキレン基を形成している場合及び／又はＲ１０３とＲ１０４とで炭素数２〜４のアルキレン基を形成している場合における、一般式（Ｉ−１−１）で示される環構造の具体例としては、例えば、下記一般式（Ｉ−１−１−１）〜（Ｉ−１−１−９）で示される環構造が挙げられ、中でも一般式（Ｉ−１−１−２）、（Ｉ−１−１−５）又は（Ｉ−１−１−８）で示される環構造が好ましく、一般式（Ｉ−１−１−８）で示される環構造がより好ましい。
0006750669.tif 000064
（式中、Ｒ１０１〜Ｒ１０４、＊及び＊＊は、上記と同じ。）
【０２１４】
一般式（Ｉ−１−１）のＲ１０１としては、水素原子、メチル基、及びＲ１０１とＲ１０２とで炭素数２〜４の直鎖アルキレン基を形成しているものが好ましい。具体的には、例えば、水素原子、メチル基、Ｒ１０１とＲ１０２とでエチレン基を形成しているもの、Ｒ１０１とＲ１０２とでトリメチレン基を形成しているもの、Ｒ１０１とＲ１０２とでテトラメチレン基を形成しているもの等が挙げられ、水素原子、メチル基、Ｒ１０１とＲ１０２とでトリメチレン基を形成しているものが好ましい。
【０２１５】
一般式（Ｉ−１−１）のＲ１０２としては、炭素数１〜１２のアルキル基、炭素数１〜６のアルキル基を有する又は無置換のフェニル基、及びＲ１０１とＲ１０２とで炭素数２〜４のアルキレン基を形成しているものが好ましく、炭素数１〜６のアルキル基、炭素数１〜３のアルキル基を有する又は無置換のフェニル基、及びＲ１０１とＲ１０２とで炭素数２〜４の直鎖アルキレン基を形成しているものがより好ましい。具体的には、例えば、メチル基、エチル基、プロピル基、ブチル基、ペンチル基、ヘキシル基、フェニル基、p-トリル基、p-エチルフェニル基、p-プロピルフェニル基、p-ブチルフェニル基、p-ペンチルフェニル基、p-ヘキシルフェニル基、2,4-キシリル基、2,6-キシリル基、3,5-キシリル基、メシチル基、Ｒ１０１とＲ１０２とでエチレン基を形成しているもの、Ｒ１０１とＲ１０２とでトリメチレン基を形成しているもの、Ｒ１０１とＲ１０２とでテトラメチレン基を形成しているもの等が挙げられ、メチル基、エチル基、プロピル基、ブチル基、ペンチル基、ヘキシル基、フェニル基、p-トリル基、p-エチルフェニル基、p-プロピルフェニル基、Ｒ１０１とＲ１０２とでトリメチレン基を形成しているものが好ましい。尚、上記具体例中のアルキル基は、normal-体に限定されず、sec-体、tert-体、イソ体（iso-体）、ネオ体（neo-体）等の分岐状のものも全て含む。
【０２１６】
一般式（Ｉ−１−１）のＲ１０３としては、炭素数１〜１２のアルキル基、炭素数１〜６のアルキル基を有する又は無置換のフェニル基、及びＲ１０３とＲ１０４とで炭素数２〜４のアルキレン基を形成しているものが好ましく、炭素数１〜６のアルキル基、炭素数１〜３のアルキル基を有する又は無置換のフェニル基、及びＲ１０３とＲ１０４とで炭素数２〜４の直鎖アルキレン基を形成しているものがより好ましい。具体的には、例えば、メチル基、エチル基、プロピル基、ブチル基、ペンチル基、ヘキシル基、フェニル基、p-トリル基、p-エチルフェニル基、p-プロピルフェニル基、p-ブチルフェニル基、p-ペンチルフェニル基、p-ヘキシルフェニル基、2,4-キシリル基、2,6-キシリル基、3,5-キシリル基、メシチル基、Ｒ１０３とＲ１０４とでエチレン基を形成しているもの、Ｒ１０３とＲ１０４とでトリメチレン基を形成しているもの、Ｒ１０３とＲ１０４とでテトラメチレン基を形成しているもの等が挙げられ、メチル基、エチル基、プロピル基、ブチル基、ペンチル基、ヘキシル基、フェニル基、p-トリル基、p-エチルフェニル基、p-プロピルフェニル基、Ｒ１０３とＲ１０４とでトリメチレン基を形成しているものが好ましい。尚、上記具体例中のアルキル基は、normal-体に限定されず、sec-体、tert-体、イソ体（iso-体）、ネオ体（neo-体）等の分岐状のものも全て含む。
【０２１７】
一般式（Ｉ−１−１）のＲ１０４としては、水素原子、メチル基、及びＲ１０３とＲ１０４とで炭素数２〜４の直鎖アルキレン基を形成しているものが好ましい。具体的には、例えば、水素原子、メチル基、Ｒ１０３とＲ１０４とでエチレン基を形成しているもの、Ｒ１０３とＲ１０４とでトリメチレン基を形成しているもの、Ｒ１０３とＲ１０４とでテトラメチレン基を形成しているもの等が挙げられ、水素原子、Ｒ１０３とＲ１０４とでトリメチレン基を形成しているものが好ましい。
【０２１８】
一般式（Ｉ−１−１）におけるＲ１０１〜Ｒ１０４の好ましい組合せとしては、例えば下記表に記載のものが挙げられる。
0006750669.tif 000065
【０２１９】
一般式（Ｉ−１−２）〜（Ｉ−１−７）のＲ１３１における炭素数１〜３０のアルキル基としては、一般式（Ｉ）のＲ１０５における炭素数１〜３０のアルキル基と同じものが挙げられ、好ましいものも同じである。
【０２２０】
一般式（Ｉ）のＡｒ１としては、一般式（Ｉ−１−１）で示される環構造が好ましい。
【０２２１】
一般式（Ｉ）における＊及び＊＊は、一般式（Ｉ−１−１）〜（Ｉ−１−７）における＊及び＊＊と対応しており、一般式（Ｉ−１−１）〜（Ｉ−１−７）で示される環構造が一般式（Ｉ）で示される染料残基の＊及び＊＊で示される位置に結合することを表している。具体的には、下記の構造で示される。
0006750669.tif 000066
（式中、Ｒ１０１〜Ｒ１０５、Ｒ１３１、Ｙ１０１、Ａｎ-、Ａｒ２及びｎ１０１は、上記と同じ。）
【０２２２】
一般式（Ｉ）のＡｒ２としては、ベンゼン環及びナフタレン環が好ましく、ベンゼン環がより好ましい。
【０２２３】
一般式（１）のｎ１０１としては、Ａｒ２がベンゼン環の場合、０〜３の整数が好ましく、１又は２がより好ましく、Ａｒ２がナフタレン環及びアントラセン環の場合、０又は１が好ましく、０がより好ましい。
【０２２４】
一般式（Ｉ）において、Ａｒ２がベンゼン環の場合、一般式（Ｉ）は下記一般式（Ｉ−２−１）で表され、Ａｒ２がナフタレン環の場合、一般式（Ｉ）は下記一般式（Ｉ−２−２）〜（Ｉ−２−４）で表され、Ａｒ２がアントラセン環の場合、一般式（Ｉ）は下記一般式（Ｉ−２−５）〜（Ｉ−２−７）で表される。これらの中でも、一般式（Ｉ−２−１）、（Ｉ−２−２）及び（Ｉ−２−５）が好ましく、一般式（Ｉ−２−１）がより好ましい。
【０２２５】
0006750669.tif 000067
（式中、I〜VIIIは、Ｒ１０５が置換可能な位置を表し、Ｒ１０５、Ｙ１０１、Ａｎ-、Ａｒ１、ｎ１０１、＊及び＊＊は上記と同じ。）
【０２２６】
一般式（Ｉ−２−１）におけるｎ１０１個のＲ１０５の位置は、ベンゼン環のI〜IV位のいずれでもよく、ｎ１０１が１の場合、II位又はIII位に位置しているのが好ましく、ｎ１０１が２の場合、II位及びIII位、又はII位及びIV位に位置しているのが好ましく、ｎ１０１が３の場合、I位、II位及びIII位又はII位、III位及びIV位に位置しているのが好ましい。
【０２２７】
一般式（Ｉ−２−２）におけるｎ１０１個のＲ１０５の位置は、ナフタレン環のI〜VI位のいずれでもよく、IV位又はVI位に位置しているのが好ましい。
【０２２８】
一般式（Ｉ−２−３）におけるｎ１０１個のＲ１０５の位置は、ナフタレン環のI〜VI位のいずれでもよく、III位に位置しているのが好ましい。
【０２２９】
一般式（Ｉ−２−４）におけるｎ１０１個のＲ１０５の位置は、ナフタレン環のI〜VI位のいずれでもよく、II位又はIV位に位置しているのが好ましい。
【０２３０】
一般式（Ｉ−２−５）におけるｎ１０１個のＲ１０５の位置は、アントラセン環のI〜VIII位のいずれでもよく、I位、V位又はVI位に位置しているのが好ましい。
【０２３１】
一般式（Ｉ−２−６）におけるｎ１０１個のＲ１０５の位置は、アントラセン環のI〜VIII位のいずれでもよく、II位、V位又はVII位に位置しているのが好ましい。
【０２３２】
一般式（Ｉ−２−７）におけるｎ１０１個のＲ１０５の位置は、アントラセン環のI〜VIII位のいずれでもよく、IV位又はV位に位置しているのが好ましい。
【０２３３】
一般式（１）のＤｙｅが一般式（Ｉ）で示される染料残基である場合、当該染料残基においてＹ０が結合する部位は、一般式（Ｉ）中のフェニル基のオルト位、メタ位、パラ位のいずれに位置していてもよく；一般式（１）のｎが１であるとき、オルト位又はパラ位が好ましく、オルト位がより好ましく；一般式（１）のｎが２であるとき、オルト位とパラ位の組合せが好ましい。具体的には、一般式（１）のｎが１であるとき、下記一般式（Ｉ'−１）で示される化合物のようにＹ０が結合しているものが好ましく；一般式（１）のｎが２であるとき、下記一般式（Ｉ'−２）で示される化合物のようにＹ０が結合しているものが好ましい。
【０２３４】
0006750669.tif 000068
（式中、Ｒ１、Ｒ１０５、Ｙ０、Ｙ１、Ｙ２、Ｙ１０１、Ａ１、Ａ２、Ａｒ１、Ａｒ２、Ａｎ-、ｎ１０１、＊及び＊＊は、上記と同じ。ただし、複数のＲ１、複数のＹ０、複数のＹ１、複数のＹ２、複数のＡ１及び複数のＡ２は、それぞれ同一であっても異なっていてもよい。）
【０２３５】
一般式（Ｉ）の好ましい具体例としては、下記一般式（Ｉ−３）で示される染料残基が挙げられる。
0006750669.tif 000069
（式中、Ａｎ'-は、電子吸引性の置換基を有するアリール基、電子吸引性の置換基を有するスルホニル基、ハロアルキル基又はハロゲノ基を含むアニオンを表し、Ｒ１０１〜Ｒ１０５、Ａｒ２及びｎ１０１は、上記と同じ。）
【０２３６】
一般式（Ｉ−３）のＡｎ'-における電子吸引性の置換基を有するアリール基、電子吸引性の置換基を有するスルホニル基、ハロアルキル基又はハロゲノ基を含むアニオンとしては、本発明に係るアニオンのそれらと同じものが挙げられ、好ましいものも同じである。
【０２３７】
一般式（Ｉ−３）の好ましい具体例としては、下記一般式（Ｉ−４）で示される染料残基が挙げられる。
0006750669.tif 000070
（式中、Ｒ１０１〜Ｒ１０５、Ａｎ'-及びｎ１０１は、上記と同じ。）
【０２３８】
一般式（Ｉ−４）の好ましい具体例としては、下記一般式（Ｉ−５）で示される染料残基が挙げられる。
0006750669.tif 000071
（式中、Ｒ２０１及びＲ２０４はそれぞれ独立して、水素原子又はメチル基を表し、Ｒ２０２及びＲ２０３はそれぞれ独立して、炭素数１〜１２のアルキル基、炭素数１〜６のアルキル基を有する又は無置換のフェニル基を表し、ｎ２０１個のＲ２０５は、ハロゲノ基；炭素数１〜１２のアルキル基；炭素数１〜１２のアルコキシ基；炭素数１〜１２のアルキルチオ基；炭素数１〜３０のアルキル基、炭素数１〜２０のハロアルキル基、炭素数６〜１０のアリール基又は炭素数７〜１３のアリールアルキル基を有するアミノ基；ヒドロキシ基；炭素数６〜１４のアリール基；炭素数６〜１４のアリールオキシ基；及び炭素数７〜２０のアリールアルキル基を表し、ｎ２０１は、０〜４の整数を表し、Ｒ２０１とＲ２０２とで炭素数２〜４のアルキレン基を形成していてもよく、Ｒ２０３とＲ２０４とで炭素数２〜４のアルキレン基を形成していてもよく、Ａｎ'-は、上記と同じ。）
【０２３９】
一般式（Ｉ−５）のＲ２０２及びＲ２０３における炭素数１〜１２のアルキル基としては、直鎖状、分枝状及び環状のうちいずれであってもよく、なかでも、直鎖状及び分枝状が好ましい。また、炭素数１〜１２のアルキル基の中でも、炭素数１〜６のものがより好ましく、炭素数１〜４のものが更に好ましく、炭素数１〜２のものが特に好ましい。具体的には例えば、メチル基、エチル基、n-プロピル基、イソプロピル基、n-ブチル基、イソブチル基、sec-ブチル基、tert-ブチル基、シクロブチル基、n-ペンチル基、イソペンチル基、sec-ペンチル基、tert-ペンチル基、ネオペンチル基、2-メチルブチル基、1,2-ジメチルプロピル基、1-エチルプロピル基、シクロペンチル基、n-ヘキシル基、イソヘキシル基、sec-ヘキシル基、tert-ヘキシル基、ネオヘキシル基、2-メチルペンチル基、1,2-ジメチルブチル基、2,3-ジメチルブチル基、1-エチルブチル基、シクロヘキシル基、n-ヘプチル基、イソヘプチル基、sec-ヘプチル基、tert-ヘプチル基、ネオヘプチル基、シクロヘプチル基、n-オクチル基、イソオクチル基、sec-オクチル基、tert-オクチル基、ネオオクチル基、2-エチルヘキシル基、シクロオクチル基、n-ノニル基、イソノニル基、sec-ノニル基、tert-ノニル基、ネオノニル基、シクロノニル基、n-デシル基、イソデシル基、sec-デシル基、tert-デシル基、ネオデシル基、シクロデシル基、n-ウンデシル基、シクロウンデシル基、n-ドデシル基、シクロドデシル基、シクロヘキシルメチル基、1-シクロヘキシルエチル基、2-メチルシクロへキシル基、3-メチルシクロへキシル基、4-メチルシクロへキシル基、2,6-ジメチルシクロへキシル基、2,4-ジメチルシクロへキシル基、3,5-ジメチルシクロへキシル基、2,5-ジメチルシクロへキシル基、2,3-ジメチルシクロへキシル基、3,3,5-トリメチルシクロへキシル基、4-tert-ブチルシクロへキシル基、1-アダマンチル基、2-アダマンチル基等が挙げられ、メチル基、エチル基、n-プロピル基、イソプロピル基、n-ブチル基、イソブチル基、sec-ブチル基、tert-ブチル基、n-ペンチル基、イソペンチル基、sec-ペンチル基、tert-ペンチル基、ネオペンチル基、2-メチルブチル基、1,2-ジメチルプロピル基、1-エチルプロピル基、n-ヘキシル基、イソヘキシル基、sec-ヘキシル基、tert-ヘキシル基、ネオヘキシル基、2-メチルペンチル基、1,2-ジメチルブチル基、2,3-ジメチルブチル基、1-エチルブチル基、n-ヘプチル基、n-オクチル基、n-ノニル基、n-デシル基、n-ウンデシル基、n-ドデシル基が好ましく、メチル基、エチル基、n-プロピル基、イソプロピル基、n-ブチル基、イソブチル基、sec-ブチル基、tert-ブチル基、n-ペンチル基、イソペンチル基、n-ヘキシル基がより好ましく、メチル基、エチル基、n-プロピル基、イソプロピル基、n-ブチル基、イソブチル基、sec-ブチル基、tert-ブチル基がさらに好ましく、メチル基、エチル基が特に好ましい。
【０２４０】
一般式（Ｉ−５）のＲ２０２及びＲ２０３における炭素数１〜６のアルキル基を有するフェニル基は、通常１〜５個、好ましくは１〜３個、より好ましくは１個のアルキル基を有する。当該アルキル基としては、一般式（２）のＲ３における炭素数１〜６のアルキル基と同じものが挙げられ、好ましいものも同じである。
【０２４１】
一般式（Ｉ−５）のＲ２０２及びＲ２０３における炭素数１〜６のアルキル基を有するフェニル基としては、炭素数１〜３のアルキル基を有するフェニル基が特に好ましく、具体的には例えば、o-トリル基、m-トリル基、p-トリル基、o-エチルフェニル基、m-エチルフェニル基、p-エチルフェニル基、o-プロピルフェニル基、m-プロピルフェニル基、p-プロピルフェニル基、o-ブチルフェニル基、m-ブチルフェニル基、p-ブチルフェニル基、o-ペンチルフェニル基、m-ペンチルフェニル基、p-ペンチルフェニル基、o-ヘキシルフェニル基、m-ヘキシルフェニル基、p-ヘキシルフェニル基、2,3-キシリル基、2,4-キシリル基、2,5-キシリル基、2,6-キシリル基、3,4-キシリル基、3,5-キシリル基、メシチル基等が挙げられ、p-トリル基、p-エチルフェニル基、p-プロピルフェニル基、p-ブチルフェニル基、p-ペンチルフェニル基、p-ヘキシルフェニル基、2,4-キシリル基、2,6-キシリル基、3,5-キシリル基、メシチル基が好ましく、p-トリル基、p-エチルフェニル基、p-プロピルフェニル基がより好ましい。尚、上記具体例中のアルキル基は、normal-体に限定されず、sec-体、tert-体、イソ体（iso-体）、ネオ体（neo-体）等の分岐状のものも全て含む。
【０２４２】
一般式（Ｉ−５）のＲ２０１とＲ２０２とで炭素数２〜４のアルキレン基を形成している場合及びＲ２０３とＲ２０４とで炭素数２〜４のアルキレン基を形成している場合における、炭素数２〜４のアルキレン基としては、一般式（Ｉ−１−１）のＲ１０１とＲ１０２とで炭素数２〜４のアルキレン基を形成している場合及びＲ１０３とＲ１０４とで炭素数２〜４のアルキレン基を形成している場合における、炭素数２〜４のアルキレン基と同じものが挙げられ、好ましいものも同じである。
【０２４３】
一般式（Ｉ−５）において、Ｒ２０１とＲ２０２とで炭素数２〜４のアルキレン基を形成している場合及び／又はＲ２０３とＲ２０４とで炭素数２〜４のアルキレン基を形成している場合の具体例としては、例えば、下記一般式（Ｉ−５−１）〜（Ｉ−５−９）が挙げられ、一般式（Ｉ−５−２）、（Ｉ−５−５）又は（Ｉ−５−８）が好ましく、一般式（Ｉ−５−８）がより好ましい。
0006750669.tif 000072
（式中、Ｒ２０１〜Ｒ２０５、Ａｎ'-及びｎ２０１は、上記と同じ。）
【０２４４】
一般式（Ｉ−５）のＲ２０１としては、水素原子、メチル基、及びＲ２０１とＲ２０２とで炭素数２〜４の直鎖アルキレン基を形成しているものが好ましい。具体的には、例えば、水素原子、メチル基、Ｒ２０１とＲ２０２とでエチレン基を形成しているもの、Ｒ２０１とＲ２０２とでトリメチレン基を形成しているもの、Ｒ２０１とＲ２０２とでテトラメチレン基を形成しているもの等が挙げられ、水素原子、メチル基、Ｒ２０１とＲ２０２とでトリメチレン基を形成しているものが好ましい。
【０２４５】
一般式（Ｉ−５）のＲ２０２としては、炭素数１〜６のアルキル基、炭素数１〜３のアルキル基を有する又は無置換のフェニル基、及びＲ２０１とＲ２０２とで炭素数２〜４の直鎖アルキレン基を形成しているものが好ましい。具体的には、例えば、メチル基、エチル基、プロピル基、ブチル基、ペンチル基、ヘキシル基、フェニル基、p-トリル基、p-エチルフェニル基、p-プロピルフェニル基、p-ブチルフェニル基、p-ペンチルフェニル基、p-ヘキシルフェニル基、2,4-キシリル基、2,6-キシリル基、3,5-キシリル基、メシチル基、Ｒ２０１とＲ２０２とでエチレン基を形成しているもの、Ｒ２０１とＲ２０２とでトリメチレン基を形成しているもの、Ｒ２０１とＲ２０２とでテトラメチレン基を形成しているもの等が挙げられ、メチル基、エチル基、プロピル基、ブチル基、ペンチル基、ヘキシル基、フェニル基、p-トリル基、p-エチルフェニル基、p-プロピルフェニル基、Ｒ２０１とＲ２０２とでトリメチレン基を形成しているものが好ましい。尚、上記具体例中のアルキル基は、normal-体に限定されず、sec-体、tert-体、イソ体（iso-体）、ネオ体（neo-体）等の分岐状のものも全て含む。
【０２４６】
一般式（Ｉ−５）のＲ２０３としては、炭素数１〜６のアルキル基、炭素数１〜３のアルキル基を有する又は無置換のフェニル基、及びＲ２０３とＲ２０４とで炭素数２〜４の直鎖アルキレン基を形成しているものが好ましい。具体的には、例えば、メチル基、エチル基、プロピル基、ブチル基、ペンチル基、ヘキシル基、フェニル基、p-トリル基、p-エチルフェニル基、p-プロピルフェニル基、p-ブチルフェニル基、p-ペンチルフェニル基、p-ヘキシルフェニル基、2,4-キシリル基、2,6-キシリル基、3,5-キシリル基、メシチル基、Ｒ２０３とＲ２０４とでエチレン基を形成しているもの、Ｒ２０３とＲ２０４とでトリメチレン基を形成しているもの、Ｒ２０３とＲ２０４とでテトラメチレン基を形成しているもの等が挙げられ、メチル基、エチル基、プロピル基、ブチル基、ペンチル基、ヘキシル基、フェニル基、p-トリル基、p-エチルフェニル基、p-プロピルフェニル基、Ｒ２０３とＲ２０４とでトリメチレン基を形成しているものが好ましい。尚、上記具体例中のアルキル基は、normal-体に限定されず、sec-体、tert-体、イソ体（iso-体）、ネオ体（neo-体）等の分岐状のものも全て含む。
【０２４７】
一般式（Ｉ−５）のＲ２０４としては、水素原子、メチル基、及びＲ２０３とＲ２０４とで炭素数２〜４の直鎖アルキレン基を形成しているものが好ましい。具体的には、例えば、水素原子、メチル基、Ｒ２０３とＲ２０４とでエチレン基を形成しているもの、Ｒ２０３とＲ２０４とでトリメチレン基を形成しているもの、Ｒ２０３とＲ２０４とでテトラメチレン基を形成しているもの等が挙げられ、水素原子、Ｒ２０３とＲ２０４とでトリメチレン基を形成しているものが好ましい。
【０２４８】
一般式（Ｉ−５）のＲ２０５におけるハロゲノ基としては、例えば、フルオロ基、クロロ基、ブロモ基、ヨード基が挙げられ、中でもフルオロ基が好ましい。
【０２４９】
一般式（Ｉ−５）のＲ２０５における炭素数１〜１２のアルキル基としては、一般式（Ｉ−５）のＲ２０２及びＲ２０３における炭素数１〜１２のアルキル基と同じものが挙げられ、好ましいものも同じである。
【０２５０】
一般式（Ｉ−５）のＲ２０５における炭素数１〜１２のアルコキシ基としては、直鎖状、分枝状及び環状のうちいずれであってもよく、なかでも、直鎖状及び分枝状が好ましい。また、炭素数１〜１２のアルコキシ基の中でも、炭素数１〜６のものが好ましく、炭素数１〜４のものがより好ましい。具体的には例えば、メトキシ基、エトキシ基、n-プロポキシ基、イソプロポキシ基、n-ブトキシ基、イソブトキシ基、sec-ブトキシ基、tert-ブトキシ基、シクロブトキシ基、n-ペンチルオキシ基、イソペンチルオキシ基、sec-ペンチルオキシ基、tert-ペンチルオキシ基、ネオペンチルオキシ基、2-メチルブトキシ基、1,2-ジメチルプロポキシ基、1-エチルプロポキシ基、シクロペンチルオキシ基、n-ヘキシルオキシ基、イソヘキシルオキシ基、sec-ヘキシルオキシ基、tert-ヘキシルオキシ基、ネオヘキシルオキシ基、2-メチルペンチルオキシ基、1,2-ジメチルブトキシ基、2,3-ジメチルブトキシ基、1-エチルブトキシ基、シクロヘキシルオキシ基、n-ヘプチルオキシ基、イソヘプチルオキシ基、sec-ヘプチルオキシ基、tert-ヘプチルオキシ基、ネオヘプチルオキシ基、シクロヘプチルオキシ基、n-オクチルオキシ基、イソオクチルオキシ基、sec-オクチルオキシ基、tert-オクチルオキシ基、ネオオクチルオキシ基、2-エチルヘキシルオキシ基、シクロオクチルオキシ基、n-ノニルオキシ基、イソノニルオキシ基、sec-ノニルオキシ基、tert-ノニルオキシ基、ネオノニルオキシ基、シクロノニルオキシ基、n-デシルオキシ基、イソデシルオキシ基、sec-デシルオキシ基、tert-デシルオキシ基、ネオデシルオキシ基、シクロデシルオキシ基、n-ウンデシルオキシ基、シクロウンデシルオキシ基、n-ドデシルオキシ基、シクロドデシルオキシ基等が挙げられ、メトキシ基、エトキシ基、n-プロポキシ基、イソプロポキシ基、n-ブトキシ基、イソブトキシ基、sec-ブトキシ基、tert-ブトキシ基、n-ペンチルオキシ基、イソペンチルオキシ基、sec-ペンチルオキシ基、tert-ペンチルオキシ基、ネオペンチルオキシ基、2-メチルブトキシ基、1,2-ジメチルプロポキシ基、1-エチルプロポキシ基、n-ヘキシルオキシ基、イソヘキシルオキシ基、sec-ヘキシルオキシ基、tert-ヘキシルオキシ基、ネオヘキシルオキシ基、2-メチルペンチルオキシ基、1,2-ジメチルブトキシ基、2,3-ジメチルブトキシ基、1-エチルブトキシ基が好ましく、メトキシ基、エトキシ基、n-プロポキシ基、イソプロポキシ基、n-ブトキシ基、イソブトキシ基、sec-ブトキシ基、tert-ブトキシ基がより好ましく、メトキシ基、エトキシ基がさらに好ましい。
【０２５１】
一般式（Ｉ−５）のＲ２０５における炭素数１〜１２のアルキルチオ基としては、直鎖状、分枝状及び環状のうちいずれであってもよく、なかでも、直鎖状及び分枝状が好ましい。また、炭素数１〜１２のアルキルチオ基の中でも、炭素数１〜６のものが好ましく、炭素数１〜４のものがより好ましい。具体的には例えば、メチルチオ基、エチルチオ基、n-プロピルチオ基、イソプロピルチオ基、n-ブチルチオ基、イソブチルチオ基、sec-ブチルチオ基、tert-ブチルチオ基、シクロブチルチオ基、n-ペンチルチオ基、イソペンチルチオ基、sec-ペンチルチオ基、tert-ペンチルチオ基、ネオペンチルチオ基、2-メチルブチルチオ基、1,2-ジメチルプロピルチオ基、1-エチルプロピルチオ基、シクロペンチルチオ基、n-ヘキシルチオ基、イソヘキシルチオ基、sec-ヘキシルチオ基、tert-ヘキシルチオ基、ネオヘキシルチオ基、2-メチルペンチルチオ基、1,2-ジメチルブチルチオ基、2,3-ジメチルブチルチオ基、1-エチルブチルチオ基、シクロヘキシルチオ基、n-ヘプチルチオ基、イソヘプチルチオ基、sec-ヘプチルチオ基、tert-ヘプチルチオ基、ネオヘプチルチオ基、シクロヘプチルチオ基、n-オクチルチオ基、イソオクチルチオ基、sec-オクチルチオ基、tert-オクチルチオ基、ネオオクチルチオ基、2-エチルヘキシルチオ基、シクロオクチルチオ基、n-ノニルチオ基、イソノニルチオ基、sec-ノニルチオ基、tert-ノニルチオ基、ネオノニルチオ基、シクロノニルチオ基、n-デシルチオ基、イソデシルチオ基、sec-デシルチオ基、tert-デシルチオ基、ネオデシルチオ基、シクロデシルチオ基、n-ウンデシルチオ基、シクロウンデシルチオ基、n-ドデシルチオ基、シクロドデシルチオ基等が挙げられ、メチルチオ基、エチルチオ基、n-プロピルチオ基、イソプロピルチオ基、n-ブチルチオ基、イソブチルチオ基、sec-ブチルチオ基、tert-ブチルチオ基、n-ペンチルチオ基、イソペンチルチオ基、sec-ペンチルチオ基、tert-ペンチルチオ基、ネオペンチルチオ基、2-メチルブチルチオ基、1,2-ジメチルプロピルチオ基、1-エチルプロピルチオ基、n-ヘキシルチオ基、イソヘキシルチオ基、sec-ヘキシルチオ基、tert-ヘキシルチオ基、ネオヘキシルチオ基、2-メチルペンチルチオ基、1,2-ジメチルブチルチオ基、2,3-ジメチルブチルチオ基、1-エチルブチルチオ基が好ましく、メチルチオ基、エチルチオ基、n-プロピルチオ基、イソプロピルチオ基、n-ブチルチオ基、イソブチルチオ基、sec-ブチルチオ基、tert-ブチルチオ基がより好ましく、メチルチオ基、エチルチオ基がさらに好ましい。
【０２５２】
一般式（Ｉ−５）のＲ２０５の「炭素数１〜３０のアルキル基、炭素数１〜２０のハロアルキル基、炭素数６〜１０のアリール基又は炭素数７〜１３のアリールアルキル基を有するアミノ基」における炭素数１〜３０のアルキル基、炭素数１〜２０のハロアルキル基、炭素数６〜１０のアリール基及び炭素数７〜１３のアリールアルキル基の具体例は、一般式（Ｉ）のＲ１０５における「置換基を有するアミノ基」のそれらと同じものが挙げられ、好ましいものも同じである。
【０２５３】
一般式（Ｉ−５）のＲ２０５における「炭素数１〜３０のアルキル基、炭素数１〜２０のハロアルキル基、炭素数６〜１０のアリール基又は炭素数７〜１３のアリールアルキル基を有するアミノ基」としては、炭素数１〜１２のアルキル基、フェニル基又は炭素数７〜９のフェニルアルキル基を有するアミノ基が好ましい。具体的には例えば、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、n-ペンチルアミノ基、イソペンチルアミノ基、n-ヘキシルアミノ基、フェニルアミノ基、ベンジルアミノ基、フェネチルアミノ基、ヒドロシンナミルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基、ジ-n-ペンチルアミノ基、ジイソペンチルアミノ基、ジ-n-ヘキシルアミノ基、ジフェニルアミノ基、ジベンジルアミノ基、ジフェネチルアミノ基、ビス(ヒドロシンナミル)アミノ基等が挙げられ、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、フェニルアミノ基、ベンジルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基、ジフェニルアミノ基、ジベンジルアミノ基が好ましく、メチルアミノ基、エチルアミノ基、フェニルアミノ基、ベンジルアミノ基、ジメチルアミノ基、ジエチルアミノ基、ジフェニルアミノ基、ジベンジルアミノ基がより好ましい。
【０２５４】
一般式（Ｉ−５）のＲ２０５の炭素数６〜１４のアリール基、炭素数６〜１４のアリールオキシ基及び炭素数７〜２０のアリールアルキル基の具体例は、一般式（Ｉ）のＲ１０５におけるそれらと同じものが挙げられ、好ましいものも同じである。
【０２５５】
一般式（Ｉ−５）のＲ２０５としては、ハロゲノ基；炭素数１〜１２のアルキル基；炭素数１〜１２のアルコキシ基；炭素数１〜１２のアルキルチオ基；炭素数１〜１２のアルキル基、フェニル基又は炭素数７〜９のフェニルアルキル基を有するアミノ基；ヒドロキシ基；フェニル基；フェノキシ基；及び炭素数７〜１２のフェニルアルキル基がより好ましく、ハロゲノ基；炭素数１〜６のアルキル基；炭素数１〜６のアルコキシ基；炭素数１〜６のアルキルチオ基；炭素数１〜１２のアルキル基、フェニル基又は炭素数７〜９のフェニルアルキル基を有するアミノ基；ヒドロキシ基；フェニル基；フェノキシ基；及び炭素数７〜９のフェニルアルキル基がさらに好ましい。具体的には、フッ素原子、メチル基、エチル基、n-プロピル基、イソプロピル基、n-ブチル基、イソブチル基、sec-ブチル基、tert-ブチル基、n-ペンチル基、イソペンチル基、n-ヘキシル基、メトキシ基、エトキシ基、n-プロポキシ基、イソプロポキシ基、n-ブトキシ基、イソブトキシ基、sec-ブトキシ基、tert-ブトキシ基、メチルチオ基、エチルチオ基、n-プロピルチオ基、イソプロピルチオ基、n-ブチルチオ基、イソブチルチオ基、sec-ブチルチオ基、tert-ブチルチオ基、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、フェニルアミノ基、ベンジルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基、ジフェニルアミノ基、ジベンジルアミノ基、ヒドロキシ基、フェニル基、フェノキシ基、ベンジル基、フェネチル基、1-フェニルエチル基、ヒドロシンナミル基、2-フェニルプロピル基、1-フェニルプロピル基、クミル基が好ましく、フッ素原子、メチル基、エチル基、n-プロピル基、イソプロピル基、n-ブチル基、イソブチル基、sec-ブチル基、tert-ブチル基、メトキシ基、エトキシ基、メチルチオ基、エチルチオ基、メチルアミノ基、エチルアミノ基、フェニルアミノ基、ベンジルアミノ基、ジメチルアミノ基、ジエチルアミノ基、ジフェニルアミノ基、ジベンジルアミノ基、ヒドロキシ基、フェニル基、フェノキシ基、ベンジル基、フェネチル基、ヒドロシンナミル基、クミル基がより好ましい。
【０２５６】
一般式（Ｉ−５）のｎ２０１としては、０〜３の整数が好ましく、１又は２がより好ましい。
【０２５７】
一般式（Ｉ−５）におけるｎ２０１個のＲ２０５の位置は、下記一般式（Ｉ−６）におけるベンゼン環のI〜IV位のいずれでもよく、ｎ２０１が１の場合、II位又はIII位に位置しているのが好ましく、ｎ２０１が２の場合、II位及びIII位、又はII位及びIV位に位置しているのが好ましく、ｎ２０１が３の場合、I位、II位及びIII位、又はII位、III位及びIV位に位置しているのが好ましい。
0006750669.tif 000073
（式中、I〜IVは、Ｒ２０５が置換可能な位置を表し、Ｒ２０１〜Ｒ２０５、Ａｎ'-及びｎ２０１は上記と同じ。）
【０２５８】
一般式（Ｉ−５）の好ましい具体例としては、下記一般式（ＩＩ）で示される染料残基が挙げられる。
0006750669.tif 000074
（式中、Ｒ２０６及びＲ２０７はそれぞれ独立して、炭素数１〜１２のアルキル基、フェニル基又は炭素数７〜９のフェニルアルキル基を表し、ｎ２０２は、０〜３の整数を表し、Ｒ２０１〜Ｒ２０５及びＡｎ'-は、上記と同じ。）
【０２５９】
一般式（ＩＩ）のＲ２０６及びＲ２０７の炭素数１〜１２のアルキル基としては、一般式（Ｉ−５）のＲ２０２及びＲ２０３における炭素数１〜１２のアルキル基と同じものが挙げられ、好ましいものも同じである。
【０２６０】
一般式（ＩＩ）のＲ２０６及びＲ２０７の炭素数７〜９のフェニルアルキル基としては、ベンジル基、フェネチル基、1-フェニルエチル基、ヒドロシンナミル基、2-フェニルプロピル基、1-フェニルプロピル基、クミル基が挙げられ、ベンジル基、フェネチル基、ヒドロシンナミル基、クミル基が好ましい。
【０２６１】
一般式（ＩＩ）のＲ２０６及びＲ２０７としては、炭素数１〜６のアルキル基、フェニル基及び炭素数７〜９のフェニルアルキル基が好ましく、炭素数１〜６のアルキル基がより好ましい。具体的には、例えば、メチル基、エチル基、プロピル基、ブチル基、ペンチル基、ヘキシル基、フェニル基、ベンジル基、フェネチル基、ヒドロシンナミル基、クミル基等が挙げられ、メチル基、エチル基、プロピル基、ブチル基、ペンチル基、ヘキシル基が好ましい。尚、上記具体例中のアルキル基は、normal-体に限定されず、sec-体、tert-体、イソ体（iso-体）、ネオ体（neo-体）等の分岐状のものも全て含む。
【０２６２】
また、一般式（ＩＩ）のＲ２０６は、一般式（ＩＩ）のＲ２０３と同じ官能基であるのが好ましく、一般式（ＩＩ）のＲ２０７は、一般式（ＩＩ）のＲ２０２と同じ官能基であるのが好ましい。
【０２６３】
一般式（ＩＩ）のｎ２０２としては、０又は１が好ましい。
【０２６４】
一般式（ＩＩ）におけるｎ２０２個のＲ２０５の位置は、下記一般式（ＩＩ−１）におけるベンゼン環のI位、III位又はIV位のいずれでもよく、ｎ２０２が１の場合、III位又はIV位に位置しているのが好ましく、III位に位置しているのがより好ましく、ｎ２０２が２の場合、I位及びIII位、又はIII位及びIV位に位置しているのが好ましく、I位及びIII位に位置しているのがより好ましい。
0006750669.tif 000075
（式中、I、III及びIVは、Ｒ２０５が置換可能な位置を表し、Ｒ２０１〜Ｒ２０７、Ａｎ'-及びｎ２０２は上記と同じ。）
【０２６５】
一般式（ＩＩ）におけるＲ２０１〜Ｒ２０７及びｎ２０２の好ましい組合せとしては、例えば下記表に記載のものが挙げられる。
0006750669.tif 000076
【０２６６】
また、前記表に記載の組合せと合わせて用いられるＡｎ'-としては、下記のものが挙げられ、テトラキス(ペンタフルオロフェニル)ホウ素(IV)アニオン、ビス(トリフルオロメタンスルホニル)イミドアニオン、PF6−が好ましく、テトラキス(ペンタフルオロフェニル)ホウ素(IV)アニオン、PF6−がより好ましく、テトラキス(ペンタフルオロフェニル)ホウ素(IV)アニオンが特に好ましい。
0006750669.tif 000077
【０２６７】
［一般式（ＩＩＩ）で示される染料残基］
0006750669.tif 000078
（式中、Ｒ３０１〜Ｒ３０６、Ｒ３０８、Ａｒ３、Ａｎ-及びｎ３０１は、上記と同じ。）
【０２６８】
一般式（ＩＩＩ）におけるＲ３０１及びＲ３０６は、それぞれ独立して水素原子又はメチル基であるが、Ｒ３０１とＲ３０６が同一であるのが好ましい。
【０２６９】
一般式（ＩＩＩ）のＲ３０２〜Ｒ３０５及びＲ３０８における炭素数１〜３０のアルキル基としては、一般式（Ｉ）のＲ１０５における炭素数１〜３０のアルキル基と同じものが挙げられ、好ましいものも同じである。
【０２７０】
一般式（ＩＩＩ）のＲ３０２〜Ｒ３０５における無置換の炭素数６〜１４のアリール基としては、フェニル基、ナフチル基、アントラセニル基等が挙げられ、フェニル基が好ましい。
【０２７１】
一般式（ＩＩＩ）のＲ３０２〜Ｒ３０５における置換基を有する炭素数６〜１４のアリール基としては、一般式（Ｉ−１−１）のＲ１０２及びＲ１０３における置換基を有する炭素数６〜１４のアリール基と同じものが挙げられ、好ましいものも同じである。
【０２７２】
一般式（ＩＩＩ）におけるＲ３０２〜Ｒ３０５としては、水素原子及び炭素数１〜３０のアルキル基が好ましく、水素原子及び炭素数１〜１２のアルキル基がより好ましく、水素原子及び炭素数１〜６のアルキル基が特に好ましい。具体的には、水素原子、メチル基、エチル基、n-プロピル基、イソプロピル基、n-ブチル基、イソブチル基、sec-ブチル基、tert-ブチル基、n-ペンチル基、n-ヘキシル基が好ましく、水素原子、メチル基、エチル基、n-プロピル基、イソプロピル基、n-ブチル基、イソブチル基、sec-ブチル基、tert-ブチル基がより好ましく、水素原子、メチル基、エチル基が特に好ましい。
【０２７３】
一般式（ＩＩＩ）のＲ３０８における炭素数１〜６のアルコキシ基としては、メトキシ基、エトキシ基、n-プロポキシ基、イソプロポキシ基、n-ブトキシ基、イソブトキシ基、sec-ブトキシ基、tert-ブトキシ基、n-ペンチルオキシ基、n-ヘキシルオキシ基等が挙げられ、メトキシ基、エトキシ基、n-プロポキシ基、イソプロポキシ基、n-ブトキシ基、イソブトキシ基、sec-ブトキシ基、tert-ブトキシ基が好ましく、メトキシ基、エトキシ基、n-プロポキシ基、n-ブトキシ基がより好ましい。
【０２７４】
一般式（ＩＩＩ）のＲ３０８におけるハロゲノ基としては、例えば、フルオロ基、クロロ基、ブロモ基、ヨード基が挙げられる。
【０２７５】
一般式（ＩＩＩ）のＲ３０８としては、炭素数１〜６のアルコキシ基、ハロゲノ基、ヒドロキシ基、ニトロ基及びスルホ基が好ましく、炭素数１〜４のアルコキシ基、ハロゲノ基、ヒドロキシ基、ニトロ基及びスルホ基がより好ましい。具体的には例えば、メトキシ基、エトキシ基、n-プロポキシ基、イソプロポキシ基、n-ブトキシ基、イソブトキシ基、sec-ブトキシ基、tert-ブトキシ基、フルオロ基、クロロ基、ブロモ基、ヨード基、ヒドロキシ基、ニトロ基、スルホ基が好ましく、メトキシ基、エトキシ基、フルオロ基、ヒドロキシ基、ニトロ基、スルホ基がより好ましい。
【０２７６】
一般式（ＩＩＩ）において、Ａｒ３がベンゼン環の場合、一般式（ＩＩＩ）は下記一般式（ＩＩＩ−１−１）で表され、Ａｒ３がナフタレン環の場合、一般式（ＩＩＩ）は下記一般式（ＩＩＩ−１−２）で表される。
【０２７７】
0006750669.tif 000079
（式中、Ｒ３０１〜Ｒ３０６、Ｒ３０８、Ａｎ-及びｎ３０１は、上記と同じ。）
【０２７８】
一般式（ＩＩＩ）のｎ３０１としては、０〜１が好ましく、０がより好ましい。
【０２７９】
一般式（１）のＤｙｅが一般式（ＩＩＩ）で示される染料残基である場合において、当該染料残基においてＹ０が結合する部位は、一般式（ＩＩＩ）のＡｒ３がベンゼン環である場合、オルト位、メタ位、パラ位のいずれに位置していてもよく；一般式（１）のｎが１であるとき、パラ位が好ましく；一般式（１）のｎが２であるとき、オルト位とパラ位、及びメタ位とパラ位の組合せが好ましい。また、一般式（ＩＩＩ）のＡｒ３がナフタレン環である場合、Ｙ０が結合する部位は、２〜８位のいずれに位置していてもよく；一般式（１）のｎが１であるとき、４位が好ましく；一般式（１）のｎが２であるとき、２位と４位、３位と４位、及び４位と７位の組合せが好ましい。具体的には、一般式（ＩＩＩ）のＡｒ３がベンゼン環である場合において、一般式（１）のｎが１であるとき、下記一般式（ＩＩＩ'−１−１）で示される化合物のようにＹ０が結合しているものが好ましく；一般式（１）のｎが２であるとき、下記一般式（ＩＩＩ'−１−２）又は（ＩＩＩ'−１−３）で示される化合物のようにＹ０が結合しているものが好ましい。また、一般式（ＩＩＩ）のＡｒ３がナフタレン環である場合において、一般式（１）のｎが１であるとき、下記一般式（ＩＩＩ'−２−１）で示される化合物のようにＹ０が結合しているものが好ましく；一般式（１）のｎが２であるとき、下記一般式（ＩＩＩ'−２−２）〜（ＩＩＩ'−２−４）で示される化合物のようにＹ０が結合しているものが好ましい。
【０２８０】
0006750669.tif 000080
（式中、Ｒ１、Ｒ３０１〜Ｒ３０６、Ｒ３０８、Ｙ０、Ｙ１、Ｙ２、Ａ１、Ａ２、Ａｎ-及びｎ３０１は、上記と同じ。ただし、複数のＲ１、複数のＹ０、複数のＹ１、複数のＹ２、複数のＡ１及び複数のＡ２は、それぞれ同一であっても異なっていてもよい。）
【０２８１】
0006750669.tif 000081
（式中、Ｒ１、Ｒ３０１〜Ｒ３０６、Ｒ３０８、Ｙ０、Ｙ１、Ｙ２、Ａ１、Ａ２、Ａｎ-及びｎ３０１は、上記と同じ。ただし、複数のＲ１、複数のＹ０、複数のＹ１、複数のＹ２、複数のＡ１及び複数のＡ２は、それぞれ同一であっても異なっていてもよい。）
【０２８２】
一般式（ＩＩＩ）におけるＲ３０１〜Ｒ３０６、Ｒ３０８、Ａｒ３及びｎ３０１の好ましい組合せとしては、例えば下記表に記載のものが挙げられる。
【０２８３】
0006750669.tif 000082
【０２８４】
また、前記表に記載の組合せと合わせて用いられるＡｎ-としては、下記のものが挙げられ、テトラキス(ペンタフルオロフェニル)ホウ素(IV)アニオン、ビス(トリフルオロメタンスルホニル)イミドアニオン、PF6−が好ましく、テトラキス(ペンタフルオロフェニル)ホウ素(IV)アニオン、PF6−がより好ましく、テトラキス(ペンタフルオロフェニル)ホウ素(IV)アニオンが特に好ましい。
0006750669.tif 000083
【０２８５】
［一般式（ＩＶ）で示される染料残基］
0006750669.tif 000084
（式中、Ｒ４０１〜Ｒ４０８、Ａｎ-及びｎ４０１は、上記と同じ。）
【０２８６】
一般式（ＩＶ）のＲ４０１〜Ｒ４０６及びＲ４０８における炭素数１〜６のアルキル基としては、一般式（２）のＲ３における炭素数１〜６のアルキル基と同じものが挙げられ、好ましいものも同じである。
【０２８７】
一般式（ＩＶ）のＲ４０１〜Ｒ４０４及びＲ４０８における炭素数１〜６のアルコキシ基としては、一般式（ＩＩＩ）のＲ３０８における炭素数１〜６のアルコキシ基と同じものが挙げられ、好ましいものも同じである。
【０２８８】
一般式（ＩＶ）のＲ４０１〜Ｒ４０４及びＲ４０８における炭素数２〜４のアルキルオキシカルボニル基としては、例えば、メトキシカルボニル基、エトキシカルボニル基、n-プロポキシカルボニル基、イソプロポキシカルボニル基等が挙げられる。
【０２８９】
一般式（ＩＶ）のＲ４０１〜Ｒ４０４及びＲ４０８における炭素数２〜４のアルキルカルボニルオキシ基としては、例えば、メチルカルボニルオキシ基、エチルカルボニルオキシ基、n-プロピルカルボニルオキシ基、イソプロピルカルボニルオキシ基等が挙げられる。
【０２９０】
一般式（ＩＶ）のＲ４０１〜Ｒ４０４及びＲ４０８におけるハロゲノ基としては、例えば、フルオロ基、クロロ基、ブロモ基、ヨード基が挙げられる。
【０２９１】
一般式（ＩＶ）のＲ４０１〜Ｒ４０４としては、水素原子及び炭素数１〜６のアルキル基が好ましく、水素原子がより好ましい。
【０２９２】
一般式（ＩＶ）のＲ４０８としては、炭素数１〜６のアルキル基及び炭素数１〜６のアルコキシ基が好ましく、炭素数１〜６のアルコキシ基がより好ましく、炭素数１〜４のアルコキシ基が特に好ましい。具体的には例えば、メトキシ基、エトキシ基、n-プロポキシ基、イソプロポキシ基、n-ブトキシ基、イソブトキシ基、sec-ブトキシ基、tert-ブトキシ基が好ましく、メトキシ基、エトキシ基がより好ましい。
【０２９３】
一般式（ＩＶ）のＲ４０５及びＲ４０６における「炭素数１〜６のアルキル基、ニトロ基、ハロゲノ基又はシアノ基を有する若しくは無置換の炭素数７〜９のフェニルアルキル基」の炭素数７〜９のフェニルアルキル基としては、ベンジル基、フェネチル基、3-フェニルプロピル基等が挙げられる。
【０２９４】
一般式（ＩＶ）のＲ４０５及びＲ４０６における炭素数１〜６のアルキル基、ニトロ基、ハロゲノ基又はシアノ基を有する炭素数７〜９のフェニルアルキル基は、当該フェニルアルキル基のベンゼン環上にいずれか１種類以上の置換基を１〜５個有するものであり、いずれか１種類の置換基を１〜３個有するものが好ましく、いずれか１種類の置換基を１個有するものがより好ましい。また、当該置換基の位置は、オルト位、メタ位、パラ位のいずれでも良く、パラ位が好ましい。
【０２９５】
一般式（ＩＶ）のＲ４０５及びＲ４０６における「炭素数１〜６のアルキル基、ニトロ基、ハロゲノ基又はシアノ基を有する若しくは無置換の炭素数７〜９のフェニルアルキル基」の炭素数１〜６のアルキル基としては、一般式（２）のＲ３における炭素数１〜６のアルキル基と同じものが挙げられ、好ましいものも同じである。
【０２９６】
一般式（ＩＶ）のＲ４０５及びＲ４０６における「炭素数１〜６のアルキル基、ニトロ基、ハロゲノ基又はシアノ基を有する若しくは無置換の炭素数７〜９のフェニルアルキル基」のハロゲノ基としては、例えば、フルオロ基、クロロ基、ブロモ基、ヨード基が挙げられる。
【０２９７】
一般式（ＩＶ）のＲ４０５及びＲ４０６における炭素数１〜６のアルキル基、ニトロ基、ハロゲノ基又はシアノ基を有する炭素数７〜９のフェニルアルキル基としては、具体的には例えば、メチルベンジル基、メチルフェネチル基、3-(メチルフェニル)プロピル基、エチルベンジル基、エチルフェネチル基、3-(エチルフェニル)プロピル基、n-プロピルベンジル基、n-プロピルフェネチル基、3-(n-プロピルフェニル)プロピル基、イソプロピルベンジル基、イソプロピルフェネチル基、3-(イソプロピルフェニル)プロピル基、n-ブチルベンジル基、n-ブチルフェネチル基、3-(n-ブチルフェニル)プロピル基、イソブチルベンジル基、イソブチルフェネチル基、3-(イソブチルフェニル)プロピル基、sec-ブチルベンジル基、sec-ブチルフェネチル基、3-(sec-ブチルフェニル)プロピル基、tert-ブチルベンジル基、tert-ブチルフェネチル基、3-(tert-ブチルフェニル)プロピル基、n-ペンチルベンジル基、n-ペンチルフェネチル基、3-(n-ペンチルフェニル)プロピル基、n-ヘキシルベンジル基、n-ヘキシルフェネチル基、3-(n-ヘキシルフェニル)プロピル基、フルオロベンジル基、フルオロフェネチル基、3-(フルオロフェニル)プロピル基、クロロベンジル基、クロロフェネチル基、3-(クロロフェニル)プロピル基、ブロモベンジル基、ブロモフェネチル基、3-(ブロモフェニル)プロピル基、ヨードベンジル基、ヨードフェネチル基、3-(ヨードフェニル)プロピル基、ニトロベンジル基、ニトロフェネチル基、3-(ニトロフェニル)プロピル基、シアノベンジル基、シアノフェネチル基、3-(シアノフェニル)プロピル基等が挙げられる。尚、上記具体例には、オルト体、メタ体及びパラ体を全て含む。
【０２９８】
一般式（ＩＶ）のＲ４０５及びＲ４０６における炭素数１〜６のアルキル基、ニトロ基、ハロゲノ基又はシアノ基を有する若しくは無置換の炭素数７〜９のフェニルアルキル基としては、無置換の炭素数７〜９のフェニルアルキル基が好ましい。
【０２９９】
一般式（ＩＶ）のＲ４０５及びＲ４０６における炭素数１１〜１３のナフチルアルキル基としては、1-ナフチルメチル基、2-ナフチルメチル基、2-(1-ナフチル)エチル基、2-(2-ナフチル)エチル基、3-(1-ナフチル)プロピル基、3-(2-ナフチル)エチル基等が挙げられる。
【０３００】
一般式（ＩＶ）のＲ４０５及びＲ４０６としては、水素原子及び炭素数１〜６のアルキル基が好ましく、炭素数１〜６のアルキル基がより好ましく、炭素数１〜４のアルキル基が特に好ましい。具体的には例えば、メチル基、エチル基、n-プロピル基、イソプロピル基、n-ブチル基、イソブチル基、sec-ブチル基、tert-ブチル基が好ましく、メチル基、エチル基がより好ましい。
【０３０１】
一般式（ＩＶ）のＲ４０７における「炭素数１〜６のアルコキシ基、炭素数２〜４のアルキルオキシカルボニル基、ヒドロキシ基、カルボキシ基、ハロゲノ基、シアノ基又はアミノ基を有する若しくは無置換の炭素数１〜６のアルキル基」の炭素数１〜６のアルキル基としては、一般式（２）のＲ３における炭素数１〜６のアルキル基と同じものが挙げられ、好ましいものも同じである。
【０３０２】
一般式（ＩＶ）のＲ４０７における炭素数１〜６のアルコキシ基、炭素数２〜４のアルキルオキシカルボニル基、ヒドロキシ基、カルボキシ基、ハロゲノ基、シアノ基又はアミノ基を有する炭素数１〜６のアルキル基は、当該アルキル基上にいずれか１種類以上の置換基を１個以上有するものであり、いずれか１種類の置換基を１個有するものが好ましい。
【０３０３】
一般式（ＩＶ）のＲ４０７における「炭素数１〜６のアルコキシ基、ハロゲノ基又はアミノ基を有する若しくは無置換の炭素数７〜９のフェニルアルキル基」の炭素数７〜９のフェニルアルキル基としては、ベンジル基、フェネチル基、3-フェニルプロピル基等が挙げられる。
【０３０４】
一般式（ＩＶ）のＲ４０７における炭素数１〜６のアルコキシ基、ハロゲノ基又はアミノ基を有する炭素数７〜９のフェニルアルキル基は、当該フェニルアルキル基のベンゼン環上にいずれか１種類以上の置換基を１〜５個有するものであり、いずれか１種類の置換基を１〜３個有するものが好ましく、いずれか１種類の置換基を１個有するものがより好ましい。また、当該置換基の位置は、オルト位、メタ位、パラ位のいずれでも良く、パラ位が好ましい。
【０３０５】
一般式（ＩＶ）のＲ４０７における「炭素数１〜６のアルコキシ基、炭素数２〜４のアルキルオキシカルボニル基、ヒドロキシ基、カルボキシ基、ハロゲノ基、シアノ基又はアミノ基を有する若しくは無置換の炭素数１〜６のアルキル基」或いは「炭素数１〜６のアルコキシ基、ハロゲノ基又はアミノ基を有する若しくは無置換の炭素数７〜９のフェニルアルキル基」の炭素数１〜６のアルコキシ基としては、一般式（ＩＩＩ）のＲ３０８における炭素数１〜６のアルコキシ基と同じものが挙げられ、好ましいものも同じである。
【０３０６】
一般式（ＩＶ）のＲ４０７における「炭素数１〜６のアルコキシ基、炭素数２〜４のアルキルオキシカルボニル基、ヒドロキシ基、カルボキシ基、ハロゲノ基、シアノ基又はアミノ基を有する若しくは無置換の炭素数１〜６のアルキル基」の炭素数２〜４のアルキルオキシカルボニル基としては、例えば、メトキシカルボニル基、エトキシカルボニル基、n-プロポキシカルボニル基、イソプロポキシカルボニル基等が挙げられる。
【０３０７】
一般式（ＩＶ）のＲ４０７における「炭素数１〜６のアルコキシ基、炭素数２〜４のアルキルオキシカルボニル基、ヒドロキシ基、カルボキシ基、ハロゲノ基、シアノ基又はアミノ基を有する若しくは無置換の炭素数１〜６のアルキル基」或いは「炭素数１〜６のアルコキシ基、ハロゲノ基又はアミノ基を有する若しくは無置換の炭素数７〜９のフェニルアルキル基」のハロゲノ基としては、例えば、フルオロ基、クロロ基、ブロモ基、ヨード基が挙げられる。
【０３０８】
一般式（ＩＶ）のＲ４０７における炭素数１〜６のアルコキシ基、炭素数２〜４のアルキルオキシカルボニル基、ヒドロキシ基、カルボキシ基、ハロゲノ基、シアノ基又はアミノ基を有する炭素数１〜６のアルキル基としては、具体的には例えば、メトキシメチル基、メトキシエチル基、3-メトキシ-n-プロピル基、4-メトキシ-n-ブチル基、エトキシメチル基、エトキシエチル基、3-エトキシ-n-プロピル基、4-エトキシ-n-ブチル基、n-プロポキシメチル基、n-プロポキシエチル基、3-n-プロポキシ-n-プロピル基、4-n-プロポキシ-n-ブチル基、n-ブトキシメチル基、n-ブトキシエチル基、3-n-ブトキシ-n-プロピル基、4-n-ブトキシ-n-ブチル基、メトキシカルボニルメチル基、メトキシカルボニルエチル基、3-メトキシカルボニル-n-プロピル基、4-メトキシカルボニル-n-ブチル基、エトキシカルボニルメチル基、エトキシカルボニルエチル基、3-エトキシカルボニル-n-プロピル基、4-エトキシカルボニル-n-ブチル基、n-プロポキシカルボニルメチル基、n-プロポキシカルボニルエチル基、3-n-プロポキシカルボニル-n-プロピル基、4-n-プロポキシカルボニル-n-ブチル基、イソプロポキシカルボニルメチル基、イソプロポキシカルボニルエチル基、3-イソプロポキシカルボニル-n-プロピル基、4-イソプロポキシカルボニル-n-ブチル基、ヒドロキシメチル基、ヒドロキシエチル基、3-ヒドロキシ-n-プロピル基、4-ヒドロキシ-n-ブチル基、カルボキシメチル基、カルボキシエチル基、3-カルボキシ-n-プロピル基、4-カルボキシ-n-ブチル基、フルオロメチル基、フルオロエチル基、3-フルオロ-n-プロピル基、4-フルオロ-n-ブチル基、クロロメチル基、クロロエチル基、3-クロロ-n-プロピル基、4-クロロ-n-ブチル基、ブロモメチル基、ブロモエチル基、3-ブロモ-n-プロピル基、4-ブロモ-n-ブチル基、ヨードメチル基、ヨードエチル基、3-ヨード-n-プロピル基、4-ヨード-n-ブチル基、シアノメチル基、シアノエチル基、3-シアノ-n-プロピル基、4-シアノ-n-ブチル基、アミノメチル基、アミノエチル基、3-アミノ-n-プロピル基、4-アミノ-n-ブチル基等が挙げられる。
【０３０９】
一般式（ＩＶ）のＲ４０７における炭素数１〜６のアルコキシ基、炭素数２〜４のアルキルオキシカルボニル基、ヒドロキシ基、カルボキシ基、ハロゲノ基、シアノ基又はアミノ基を有する若しくは無置換の炭素数１〜６のアルキル基としては、無置換の炭素数１〜６のアルキル基が好ましい。
【０３１０】
一般式（ＩＶ）のＲ４０７における炭素数１〜６のアルコキシ基、ハロゲノ基又はアミノ基を有する炭素数７〜９のフェニルアルキル基としては、具体的には例えば、メトキシベンジル基、メトキシフェネチル基、3-(メトキシフェニル)プロピル基、エトキシベンジル基、エトキシフェネチル基、3-(エトキシフェニル)プロピル基、n-プロポキシベンジル基、n-プロポキシフェネチル基、3-(n-プロポキシフェニル)プロピル基、イソプロポキシベンジル基、イソプロポキシフェネチル基、3-(イソプロポキシフェニル)プロピル基、n-ブトキシベンジル基、n-ブトキシフェネチル基、3-(n-ブトキシフェニル)プロピル基、イソブトキシベンジル基、イソブトキシフェネチル基、3-(イソブトキシフェニル)プロピル基、sec-ブトキシベンジル基、sec-ブトキシフェネチル基、3-(sec-ブトキシフェニル)プロピル基、tert-ブトキシベンジル基、tert-ブトキシフェネチル基、3-(tert-ブトキシフェニル)プロピル基、n-ペンチルオキシベンジル基、n-ペンチルオキシフェネチル基、3-(n-ペンチルオキシフェニル)プロピル基、n-ヘキシルオキシベンジル基、n-ヘキシルオキシフェネチル基、3-(n-ヘキシルオキシフェニル)プロピル基、フルオロベンジル基、フルオロフェネチル基、3-(フルオロフェニル)プロピル基、クロロベンジル基、クロロフェネチル基、3-(クロロフェニル)プロピル基、ブロモベンジル基、ブロモフェネチル基、3-(ブロモフェニル)プロピル基、ヨードベンジル基、ヨードフェネチル基、3-(ヨードフェニル)プロピル基、アミノベンジル基、アミノフェネチル基、3-(アミノフェニル)プロピル基等が挙げられる。尚、上記具体例には、オルト体、メタ体及びパラ体を全て含む。
【０３１１】
一般式（ＩＶ）のＲ４０７における炭素数１〜６のアルコキシ基、ハロゲノ基又はアミノ基を有する若しくは無置換の炭素数７〜９のフェニルアルキル基としては、無置換の炭素数７〜９のフェニルアルキル基が好ましい。
【０３１２】
一般式（ＩＶ）のＲ４０７における炭素数１１〜１３のナフチルアルキル基としては、一般式（ＩＶ）のＲ４０５及びＲ４０６における炭素数１１〜１３のナフチルアルキル基と同じものが挙げられ、好ましいものも同じである。
【０３１３】
一般式（ＩＶ）のＲ４０７としては、炭素数１〜６のアルコキシ基、炭素数２〜４のアルキルオキシカルボニル基、ヒドロキシ基、カルボキシ基、ハロゲノ基、シアノ基又はアミノ基を有する若しくは無置換の炭素数１〜６のアルキル基が好ましく、無置換の炭素数１〜６のアルキル基がより好ましく、炭素数１〜４のアルキル基が特に好ましい。具体的には例えば、メチル基、エチル基、n-プロピル基、イソプロピル基、n-ブチル基、イソブチル基、sec-ブチル基、tert-ブチル基が好ましく、メチル基、エチル基がより好ましい。
【０３１４】
一般式（ＩＶ）のｎ４０１としては、０〜２が好ましく、０がより好ましい。
【０３１５】
一般式（１）のＤｙｅが一般式（ＩＶ）で示される染料残基である場合、当該染料残基においてＹ０が結合する部位は、一般式（ＩＶ）中のフェニル基のオルト位、メタ位、パラ位のいずれに位置していてもよく；一般式（１）のｎが１であるとき、パラ位が好ましく；一般式（１）のｎが２であるとき、オルト位とパラ位、メタ位とパラ位、及びメタ位２箇所の組合せが好ましい。具体的には、一般式（１）のｎが１であるとき、下記一般式（ＩＶ'−１）で示される化合物のようにＹ０が結合しているものが好ましく；一般式（１）のｎが２であるとき、下記一般式（ＩＶ'−２）〜（ＩＶ'−４）で示される化合物のようにＹ０が結合しているものが好ましい。
【０３１６】
0006750669.tif 000085
（式中、Ｒ１、Ｒ４０１〜Ｒ４０８、Ｙ０、Ｙ１、Ｙ２、Ａ１、Ａ２、Ａｎ-及びｎ４０１は、上記と同じ。ただし、複数のＲ１、複数のＹ０、複数のＹ１、複数のＹ２、複数のＡ１及び複数のＡ２は、それぞれ同一であっても異なっていてもよい。）
【０３１７】
一般式（ＩＶ）の好ましい具体例としては、下記一般式（Ｖ）で示される染料残基が挙げられる。
0006750669.tif 000086
（式中、Ａｎ'-は上記と同じであり、Ｒ５０１〜Ｒ５０６はそれぞれ独立して、水素原子又は炭素数１〜６のアルキル基を表し、Ｒ５０７は、炭素数１〜６のアルコキシ基、炭素数２〜４のアルキルオキシカルボニル基、ヒドロキシ基、カルボキシ基、ハロゲノ基、シアノ基又はアミノ基を有する若しくは無置換の炭素数１〜６のアルキル基を表し、ｎ５０１個のＲ５０８はそれぞれ独立して、炭素数１〜６のアルキル基又は炭素数１〜６のアルコキシ基を表し、前記一般式（１）のｎが１である場合、ｎ５０１は０〜２の整数を表し、前記一般式（１）のｎが２である場合、ｎ５０１は０〜３の整数を表す。）
【０３１８】
一般式（Ｖ）のＲ５０１〜Ｒ５０６及びＲ５０８における炭素数１〜６のアルキル基；Ｒ５０７における、炭素数１〜６のアルコキシ基、炭素数２〜４のアルキルオキシカルボニル基、ヒドロキシ基、カルボキシ基、ハロゲノ基、シアノ基又はアミノ基を有する若しくは無置換の炭素数１〜６のアルキル基；並びに、Ｒ５０８における炭素数１〜６のアルコキシ基としては、一般式（ＩＶ）のＲ４０１〜Ｒ４０８におけるそれらと同じものが挙げられ、好ましいものも同じである。
【０３１９】
一般式（Ｖ）のＲ５０１〜Ｒ５０４としては、水素原子好ましい。
【０３２０】
一般式（Ｖ）のＲ５０５及びＲ５０６としては、炭素数１〜６のアルキル基が好ましく、炭素数１〜４のアルキル基がより好ましい。具体的には例えば、メチル基、エチル基、n-プロピル基、イソプロピル基、n-ブチル基、イソブチル基、sec-ブチル基、tert-ブチル基が好ましく、メチル基、エチル基がより好ましい。
【０３２１】
一般式（Ｖ）のＲ５０７としては、無置換の炭素数１〜６のアルキル基が好ましく、炭素数１〜４のアルキル基がより好ましい。具体的には例えば、メチル基、エチル基、n-プロピル基、イソプロピル基、n-ブチル基、イソブチル基、sec-ブチル基、tert-ブチル基が好ましく、メチル基、エチル基がより好ましい。
【０３２２】
一般式（Ｖ）のＲ５０８としては、炭素数１〜６のアルコキシ基が好ましく、炭素数１〜４のアルコキシ基がより好ましい。具体的には例えば、メトキシ基、エトキシ基、n-プロポキシ基、イソプロポキシ基、n-ブトキシ基、イソブトキシ基、sec-ブトキシ基、tert-ブトキシ基が好ましく、メトキシ基、エトキシ基がより好ましい。
【０３２３】
一般式（Ｖ）のｎ５０１としては、０が好ましい。
【０３２４】
一般式（Ｖ）におけるＲ５０１〜Ｒ５０８及びｎ５０１の好ましい組合せとしては、例えば下記表に記載のものが挙げられる。
【０３２５】
0006750669.tif 000087
【０３２６】
また、前記表に記載の組合せと合わせて用いられるＡｎ-としては、下記のものが挙げられ、テトラキス(ペンタフルオロフェニル)ホウ素(IV)アニオン、ビス(トリフルオロメタンスルホニル)イミドアニオン、PF6−が好ましく、テトラキス(ペンタフルオロフェニル)ホウ素(IV)アニオン、PF6−がより好ましく、テトラキス(ペンタフルオロフェニル)ホウ素(IV)アニオンが特に好ましい。
0006750669.tif 000088
【０３２７】
一般式（１）のＤｙｅにおける染料残基としては、一般式（Ｉ）、（ＩＩＩ）又は（ＩＶ）で示される染料残基が好ましく、一般式（Ｉ）又は（ＩＶ）で示される染料残基がより好ましく、一般式（ＩＩ）又は（Ｖ）で示される染料残基がさらに好ましい。
【０３２８】
一般式（１）の好ましい具体例としては、下記一般式（１−１０）が挙げられる。
0006750669.tif 000089
（式中、Ｄｙｅ、Ｒ１、Ｒ３、Ａ１、Ａ３、Ａ４、Ｙ０、Ｙ１、Ｙ２、ｎ及びｎ１は、上記と同じ。ただし、複数のＲ１、複数のＲ３、複数のＡ１、複数のＡ３、複数のＡ４、複数のＹ０、複数のＹ１、複数のＹ２及び複数のｎ１は、それぞれ同一であっても異なっていてもよく、ｎ１個のＡ４の炭素数の合計は１〜６であり、また、ｎ１が１であるとき、Ｒ３は一般式（２−１）で示される基を表す。）
【０３２９】
一般式（１−１０）の好ましい具体例としては、下記一般式（１−１１−１）又は（１−１１−２）が挙げられる。
0006750669.tif 000090
（式中、Ｄｙｅ、Ｒ１、Ｒ４、Ａ３、Ａ４−１、Ｙ０、Ｙ１、Ｙ２、ｎ及びｎ２は、上記と同じであり、Ａ１−１は、炭素数１〜６のアルキレン基又は単結合を表す。ただし、複数のＲ１、複数のＲ４、複数のＡ１−１、複数のＡ３、複数のＡ４−１、複数のＹ０、複数のＹ１、複数のＹ２及び複数のｎ２は、それぞれ同一であっても異なっていてもよく、ｎ２個のＡ４−１の炭素数の合計は１〜６である。）
0006750669.tif 000091
（式中、Ｄｙｅ、Ｒ１、Ａ３、Ａ４ー１、Ａ４−２、Ｙ０、Ｙ１、Ｙ２、ｎ、ｎ３及びｎ４は、上記と同じであり、Ａ１−２は、炭素数１〜６のアルキレン基、一般式（１−１）〜（１−３）で示される基又は単結合を表す。ただし、複数のＲ１、複数のＡ１−２、複数のＡ３、複数のＡ４−１、複数のＡ４−２、複数のＹ０、複数のＹ１、複数のＹ２、複数のｎ３及び複数のｎ４は、それぞれ同一であっても異なっていてもよく、ｎ４個のＡ４−１とｎ３個のＡ４−２との炭素数の合計は１〜６である。）
【０３３０】
一般式（１−１１−１）のＡ１−１及び一般式（１−１１−２）のＡ１−２における炭素数１〜６のアルキレン基としては、一般式（１）のＡ１における炭素数１〜６のアルキレン基と同じものが挙げられ、好ましいものも同じである。
【０３３１】
一般式（１−１１−２）のＡ１−２における一般式（１−１）〜（１−３）で示される基は、一般式（１）のＡ１における一般式（１−１）〜（１−３）で示される基と同じである。
【０３３２】
一般式（１−１１−１）のＡ１−１としては、直鎖状の炭素数１〜６のアルキレン基及び単結合が好ましく、直鎖状の炭素数１〜３のアルキレン基及び単結合がより好ましい。具体的には、メチレン基、エチレン基、トリメチレン基、単結合が好ましく、メチレン基、単結合がより好ましい。
【０３３３】
一般式（１−１１−２）のＡ１−２としては、直鎖状の炭素数１〜６のアルキレン基、一般式（１−５）〜（１−８）で示される基及び単結合が好ましく、直鎖状の炭素数１〜３のアルキレン基、一般式（１−７）又は（１−８）で示される基及び単結合がより好ましい。具体的には、一般式（１）のＡ１における具体例と同じものが挙げられ、好ましいものも同じである。
【０３３４】
一般式（１−１１−１）の好ましい具体例としては、下記一般式（１−１２−１）が挙げられ、一般式（１−１１−２）の好ましい具体例としては、下記一般式（１−１２−２）が挙げられる。
0006750669.tif 000092
（式中、Ｄｙｅ、Ｒ１、Ｒ４'、Ａ３−３、Ａ４−３、Ｙ１、Ｙ２、ｎ及びｎ２'は、上記と同じであり、Ｙ０'は、メチレン基、−ＮＨ−又は単結合を表し、Ａ１−３は、直鎖状の炭素数１〜６のアルキレン基又は単結合を表す。ただし、複数のＲ１、複数のＲ４'、複数のＡ１−３、複数のＡ３−３、複数のＡ４−３、複数のＹ０'、複数のＹ１、複数のＹ２及び複数のｎ２'は、それぞれ同一であっても異なっていてもよく、ｎ２'個のＡ４−３の炭素数の合計は１〜６である。）
0006750669.tif 000093
（式中、Ｄｙｅ、Ｒ１、Ａ３−１、Ａ４ー３、Ａ４−５、Ｙ０'、Ｙ１、Ｙ２、ｎ、ｎ３'及びｎ４'は、上記と同じであり、Ａ１−４は、直鎖状の炭素数１〜６のアルキレン基、一般式（１−５）〜（１−８）で示される基又は単結合を表す。ただし、複数のＲ１、複数のＡ１−４、複数のＡ３−１、複数のＡ４−３、複数のＡ４−５、複数のＹ０'、複数のＹ１、複数のＹ２、複数のｎ３'及び複数のｎ４'は、それぞれ同一であっても異なっていてもよく、ｎ４'個のＡ４−３とｎ３'個のＡ４−５との炭素数の合計は１〜６である。）
【０３３５】
一般式（１−１２−１）及び（１−１２−２）のＹ０'は、Ｄｙｅの構造により好ましいものが異なり、例えば、Ｄｙｅがキサンテン系染料由来の残基である場合、単結合が好ましく；Ｄｙｅがトリアリールメタン系染料由来の残基である場合、−ＮＨ−及び単結合が好ましく；Ｄｙｅがシアニン系染料由来の残基である場合、メチレン基及び単結合が好ましい。より具体的には、Ｄｙｅが一般式（Ｉ）で示される染料残基である場合、単結合が好ましく；Ｄｙｅが一般式（ＩＩＩ−１−１）で示される染料残基である場合、単結合が好ましく；Ｄｙｅが一般式（ＩＩＩ−１−２）で示される染料残基である場合、−ＮＨ−が好ましく；Ｄｙｅが一般式（ＩＶ）で示される染料残基である場合、メチレン基及び単結合が好ましい。
【０３３６】
一般式（１−１２−１）のＡ１−３及び一般式（１−１２−２）のＡ１−４における直鎖状の炭素数１〜６のアルキレン基としては、一般式（２−２）のＡ３−１における直鎖状の炭素数１〜６のアルキレン基と同じものが挙げられ、好ましいものも同じである。
【０３３７】
一般式（１−１２−２）のＡ１−４における一般式（１−５）〜（１−８）で示される基は、一般式（１）のＡ１における一般式（１−５）〜（１−８）で示される基と同じである。
【０３３８】
一般式（１−１２−１）のＡ１−３としては、直鎖状の炭素数１〜３のアルキレン基及び単結合が好ましい。具体的には、メチレン基、エチレン基、トリメチレン基、単結合が挙げられ、メチレン基、単結合が好ましい。
【０３３９】
一般式（１−１２−２）のＡ１−４としては、直鎖状の炭素数１〜３のアルキレン基、一般式（１−７）又は（１−８）で示される基及び単結合が好ましい。具体的には、一般式（１）のＡ１における具体例と同じものが挙げられ、好ましいものも同じである。
【０３４０】
一般式（１−１２−１）の好ましい具体例としては、下記一般式（１−１３−１）が挙げられ、一般式（１−１２−２）の好ましい具体例としては、下記一般式（１−１３−２）が挙げられる。
0006750669.tif 000094
（式中、Ｄｙｅ、Ａ３−４、Ａ４−４、Ｙ０'、ｎ及びｎ２'は、上記と同じであり、Ａ１−５は、直鎖状の炭素数１〜３のアルキレン基又は単結合を表す。ただし、複数のＡ１−５及び複数のｎ２'は、それぞれ同一であり、複数のＡ３−４、複数のＡ４−４及び複数のＹ０'は、それぞれ同一であっても異なっていてもよく、ｎ２'個のＡ４−４の炭素数の合計は１〜６である。）
0006750669.tif 000095
（式中、Ｄｙｅ、Ａ３−２、Ａ４ー４、Ａ４−６、Ｙ０'、Ｙ８、ｎ、ｎ３'及びｎ４'は、上記と同じであり、Ａ１−６は、直鎖状の炭素数１〜３のアルキレン基、一般式（１−７）若しくは（１−８）で示される基又は単結合を表す。ただし、複数のＡ１−６、複数のＡ３−２、複数のＡ４−４、複数のＡ４−６、複数のＹ８、複数のｎ３'及び複数のｎ４'は、それぞれ同一であり、複数のＹ０'は、それぞれ同一であっても異なっていてもよく、ｎ４'個のＡ４−４とｎ３'個のＡ４−６との炭素数の合計は１〜６である。）
【０３４１】
一般式（１−１３−１）のＡ１−５及び一般式（１−１３−２）のＡ１−６における直鎖状の炭素数１〜３のアルキレン基としては、メチレン基、エチレン基、トリメチレン基が挙げられ、メチレン基が好ましい。
【０３４２】
一般式（１−１３−２）のＡ１−６における一般式（１−７）又は（１−８）で示される基としては、一般式（１）のＡ１における一般式（１−７）又は（１−８）で示される基と同じである。
【０３４３】
一般式（１−１３−１）のＡ１−５としては、メチレン基、単結合が好ましい。
【０３４４】
一般式（１−１３−２）のＡ１−６としては、メチレン基、-(CH2)2-NHCO-(CH2)2-COO-CH2-、式（１２２）で示される基、単結合が好ましく、メチレン基がより好ましい。
【０３４５】
一般式（１−１３−１）におけるＡ１−５、Ａ３−４、Ａ４−４、ｎ及びｎ２'の好ましい組合せとしては、例えば下記表に記載の組合せ１〜２４が挙げられ、中でも組合せ１〜４、７〜１０及び１５〜１８が好ましく、組合せ１、４、７、１０、１５及び１８がより好ましく、組合せ１５及び１８がさらに好ましく、組合せ１８が特に好ましい。
0006750669.tif 000096
【０３４６】
一般式（１−１３−１）におけるＤｙｅ及びＹ０'を除く部分の好ましい具体例としては、例えば下記式（１６１）〜（１７２）が挙げられ、中でも式（１６２）、（１６３）、（１６６）、（１６７）、（１７０）及び（１７１）が好ましく、式（１７０）及び（１７１）がより好ましく、式（１７１）が特に好ましい。
0006750669.tif 000097
【０３４７】
また、前記「一般式（１−１３−１）におけるＡ１−５、Ａ３−４、Ａ４−４、ｎ及びｎ２'の好ましい組合せ」又は前記「一般式（１−１３−１）におけるＤｙｅ及びＹ０'を除く部分の好ましい具体例」は、一般式（１−１３−１）におけるｎが１である場合、下記表中の組合せ１〜５に記載のＤｙｅ及びＹ０'と組み合わせるのが好ましく、中でも組合せ１及び４に記載のものと組み合わせるのがより好ましく；一般式（１−１３−１）におけるｎが２である場合、下記表中の組合せ６〜１１に記載のＤｙｅ及びＹ０'と組み合わせるのが好ましく、中でも組合せ６及び９〜１１に記載のものと組み合わせるのがより好ましい。さらに、当該Ｄｙｅ及びＹ０'の組合せの中でも好ましい組合せとしては、下記表に記載の組合せ１２〜１７が挙げられ、中でも組合せ１２〜１４が好ましい。
0006750669.tif 000098
【０３４８】
一般式（１−１３−２）におけるＡ１−６、Ａ３−２、Ａ４ー４、Ａ４−６、Ｙ８、ｎ、ｎ３'及びｎ４'の好ましい組合せとしては、例えば下記表に記載の組合せ１〜１５が挙げられる。
0006750669.tif 000099
【０３４９】
上記好ましい組合せの中でもより好ましい組合せとしては、例えば下記表に記載の組合せ１〜２０が挙げられ、中でも組合せ１〜３、５〜７、９〜１１、１６及び２０が好ましく、組合せ１〜３、５、９〜１１及び２０がより好ましく、組合せ９〜１１がさらに好ましく、組合せ９が特に好ましい。
0006750669.tif 000100
【０３５０】
一般式（１−１３−２）におけるＤｙｅ及びＹ０'を除く部分の好ましい具体例としては、例えば下記式（１８１）〜（１９６）が挙げられ、中でも式（１８１）〜（１８３）、（１８５）〜（１８７）、（１９２）及び（１９６）が好ましく、式（１８１）〜（１８３）、（１８５）〜（１８７）及び（１９６）がより好ましく、式（１８５）〜（１８７）がさらに好ましく、式（１７１）が特に好ましい。
0006750669.tif 000101
【０３５１】
また、前記「一般式（１−１３−２）におけるＡ１−６、Ａ３−２、Ａ４ー４、Ａ４−６、Ｙ８、ｎ、ｎ３'及びｎ４'の好ましい組合せ」又は前記「一般式（１−１３−２）におけるＤｙｅ及びＹ０'を除く部分の好ましい具体例」と組み合わせるＤｙｅ及びＹ０'の組合せとしては、「一般式（１−１３−１）におけるＡ１−５、Ａ３−４、Ａ４−４、ｎ及びｎ２'の好ましい組合せ」又は「一般式（１−１３−１）におけるＤｙｅを除く部分の好ましい具体例」と組み合わせるＤｙｅ及びＹ０'の組合せと同じものが挙げられ、好ましいものも同じである。
【０３５２】
［本発明の化合物の製造方法］
本発明の化合物は、次の反応［Ｉ−Ｉ］及び［Ｉ−ＩＩ］に示す一連の方法で製造することができる。すなわち、下記一般式（２１）で示される化合物を、要すれば塩交換反応を行った上で（反応［Ｉ−Ｉ］）、下記一般式（２２）で示される化合物と反応させればよい（反応［Ｉ−ＩＩ］）。
【０３５３】
0006750669.tif 000102
（式中、Ｙ９は、ヒドロキシ基又はアミノ基を表し、Ｒ１、Ｙ０、Ｙ１、Ｙ２、Ａ１、Ａ２、ｎ及びＤｙｅは、上記と同じ。ただし、複数のＲ１、複数のＹ０、複数のＹ１、複数のＹ２、複数のＡ１及び複数のＡ２は、それぞれ同一であっても異なっていてもよい。）
【０３５４】
一般式（２２）のＹ９がヒドロキシ基であるとき、Ｙ１は−Ｏ−であり、Ｙ９がアミノ基であるとき、Ｙ１は−ＮＨ−である。一般式（２２）のＹ９としては、ヒドロキシ基が好ましい。
【０３５５】
一般式（２２）の好ましい具体例としては、例えば下記一般式（２２−１）が挙げられる。
0006750669.tif 000103
（式中、Ｒ１、Ｒ３、Ａ１、Ａ３、Ａ４、Ｙ２、Ｙ９及びｎ１は、上記と同じ。ただし、複数のＲ１、複数のＲ３、複数のＡ３、複数のＡ４及び複数のＹ２は、それぞれ同一であっても異なっていてもよく、ｎ１個のＡ４の炭素数の合計は１〜６であり、また、ｎ１が１であるとき、Ｒ３は一般式（２−１）で示される基を表す。）
【０３５６】
一般式（２２−１）の好ましい具体例としては、例えば下記一般式（２２−２−１）又は（２２−２−２）が挙げられる。
0006750669.tif 000104
（式中、Ｒ１、Ｒ４、Ａ１−１、Ａ１−２、Ａ３、Ａ４−１、Ａ４−２、Ｙ２、Ｙ９、ｎ及びｎ２〜ｎ４は、上記と同じ。ただし、複数のＲ１、複数のＲ４、複数のＡ３、複数のＡ４−１、複数のＡ４−２及び複数のＹ２は、それぞれ同一であっても異なっていてもよく、また、ｎ２個のＡ４−１の炭素数の合計は１〜６であり、ｎ４個のＡ４−１とｎ３個のＡ４−２との炭素数の合計は１〜６である。）
【０３５７】
一般式（２１）で示される化合物は、市販のもの、あるいは自体公知の方法によって適宜合成したものを用いればよい。一般式（２１）で示される化合物の具体例としては、上記Ｄｙｅで示される染料残基の具体例に−COOH基を１個又は２個結合させたものが挙げられ、より具体的には、一般式（Ｉ）、（ＩＩＩ）及び（ＩＶ）で示される染料残基に−COOH基を１個又は２個結合させた下記一般式（Ｉ−COOH）、（ＩＩＩ−COOH）及び（ＩＶ−COOH）で示される化合物が挙げられる。
0006750669.tif 000105
（式中、Ｒ１０５、Ｒ３０１〜Ｒ３０６、Ｒ３０８、Ｒ４０１〜Ｒ４０８、Ｙ０、Ｙ１０１、Ａｒ１、Ａｒ２、Ａｒ３、Ａｎ-、ｎ、ｎ１０１、ｎ３０１、ｎ４０１、＊及び＊＊は、上記と同じ。ただし、複数のＹ０は、それぞれ同一であっても異なっていてもよい。）
【０３５８】
上記反応［Ｉ−Ｉ］における塩交換反応は、一般式（２１）で示される化合物に、本発明に係るアニオンの塩を溶媒中で接触させることによりなされる。
【０３５９】
上記塩交換反応における溶媒としては、メタノール、エタノール、イソプロピルアルコール、テトラヒドロフラン、1,4-ジオキサン、N,N-ジメチルホルムアミド、ジクロロメタン、ジクロロエタン等の有機溶媒が挙げられ、中でもジクロロメタンが好ましい。該溶媒はそれぞれ単独でも或いは二種以上適宜組み合わせて用いてもよい。反応溶媒の使用量は、一般式（２１）で示される化合物の重量１ｇに対して通常０．１〜５００ｍｌ、好ましくは１〜１００ｍｌである。
【０３６０】
上記塩交換反応は、通常０〜１００℃、好ましくは１０〜５０℃で、通常１〜１２時間、好ましくは１〜６時間反応させればよい。
【０３６１】
上記塩交換反応における本発明に係るアニオンの塩としては、本発明に係るアニオンと、ナトリウムの塩、カリウムの塩、リチウムの塩等が挙げられ、リチウムの塩が好ましい。本発明に係るアニオンの塩の使用量は、一般式（２１）で示される化合物のｍｏｌ数に対して通常１〜２当量、好ましくは１〜１．５当量である。
【０３６２】
上記反応［Ｉ−ＩＩ］において、一般式（２１）で示される化合物又は当該化合物の塩交換反応により得られた化合物と、一般式（２２）で示される化合物との反応は、溶媒中、脱水縮合剤の存在下で通常０〜１００℃、好ましくは１０〜５０℃で、通常１〜２４時間、好ましくは１〜１２時間反応させることによりなされる。
【０３６３】
上記溶媒としては、例えばジエチルエーテル、ジイソプロピルエーテル、エチルメチルエーテル、テトラヒドロフラン、1,4-ジオキサン、ジメトキシエタン等のエーテル類；例えばアセトン、ジメチルケトン、メチルエチルケトン、ジエチルケトン、2-ヘキサノン、tert-ブチルメチルケトン、シクロペンタノン、シクロヘキサノン等のケトン類；例えばクロロメタン、クロロホルム、ジクロロメタン、ジクロロエタン、トリクロロエタン、四塩化炭素、クロロベンゼン等のハロゲン化炭化水素類；例えばn-ヘキサン、ベンゼン、トルエン、キシレン等の炭化水素類；例えば酢酸エチル、酢酸ブチル、プロピオン酸メチル等のエステル類；例えばアセトニトリル等のニトリル類；例えばN,N-ジメチルホルムアミド等のアミド類等が挙げられ、中でもエーテル類、ハロゲン化炭化水素類、炭化水素類が好ましく、テトラヒドロフラン、ジクロロメタン、トルエンがより好ましい。該溶媒はそれぞれ単独でも或いは二種以上適宜組み合わせて用いてもよい。反応溶媒の使用量は、反応させる化合物の総重量１ｇに対して、通常０．１〜５００ｍｌ、好ましくは１〜１００ｍｌである。
【０３６４】
上記脱水縮合剤としては、一般に脱水縮合剤として使用されるものであればよく、例えば五酸化二リン、無水塩化亜鉛等の無機脱水剤類；例えばジシクロヘキシルカルボジイミド、ジイソプロピルカルボジイミド、1-エチル-3-(3-ジメチルアミノプロピル)カルボジイミド塩酸塩等のカルボジイミド類；例えばポリリン酸、無水酢酸、硫酸、カルボニルジイミダゾール、p-トルエンスルホン酸等が挙げられ、カルボジイミド類が好ましい。該脱水縮合剤の使用量は、一般式（２１）で示される化合物又は当該化合物の塩交換反応により得られた化合物のｍｏｌ数に対して、通常１〜２０当量、好ましくは１〜１０当量である。
【０３６５】
上記反応［Ｉ］においては、脱水縮合剤の効率を向上させるために、ジメチルアミノピリジン等の触媒を用いてもよい。該触媒の使用量は、一般式（２１）で示される化合物又は当該化合物の塩交換反応により得られた化合物のｍｏｌ数に対して、通常０．１〜１０当量である。
【０３６６】
一般式（２２）で示される化合物の使用量は、一般式（１）及び（２１）におけるｎが１のとき、一般式（２１）で示される化合物又は当該化合物の塩交換反応により得られた化合物のｍｏｌ数に対して、通常１〜２当量、好ましくは１〜１．５当量であり、一般式（１）及び（２１）におけるｎが２のとき、通常２〜４当量、好ましくは２〜３当量である。
【０３６７】
一般式（２２）で示される化合物は、市販のもの、あるいは自体公知の方法によって適宜合成したものを用いればよい。一般式（２２）で示される化合物の具体例としては、例えば下記のものが挙げられる。
0006750669.tif 000106
【０３６８】
一般式（２２）で示される化合物のうち、例えば下記一般式（２７）で示される化合物を合成する場合、次の反応［ＩＩ］〜［ＩＶ］に示す一連の方法で合成することができる。すなわち、まず、下記一般式（２３）で示される化合物と下記一般式（２４）で示される化合物とを反応させ、下記一般式（２５）で示される化合物を得る（反応［ＩＩ］）。次に、得られた一般式（２５）で示される化合物を還元反応させることにより、下記一般式（２６）で示される化合物を得る（反応［ＩＩＩ］）。その後、得られた一般式（２６）で示される化合物を、3-クロロプロピオニルクロリドと反応させればよい（反応［ＩＶ］）。
【０３６９】
0006750669.tif 000107
（式中、Ｒ６３は、水素原子又はメチル基を表し、ｎ９、ｎ１０及びｎ１１はそれぞれ独立して、１又は２を表す。）
【０３７０】
一般式（２４）〜（２７）のＲ６３は、水素原子が好ましい。
【０３７１】
一般式（２３）及び（２５）〜（２７）のｎ９、ｎ１０及びｎ１１は、全て等しいのが好ましく、また、１が好ましい。
【０３７２】
一般式（２３）で示される化合物は、市販のもの、あるいは自体公知の方法によって適宜合成したものを用いればよい。一般式（２３）で示される化合物の具体例としては、トリス(ヒドロキシメチル)アミノメタン、2-アミノ-2-ヒドロキシメチル-1,4-ブタンジオール、3-アミノ-3-(2-ヒドロキシメチル)-1,5-ペンタンジオール、3-アミノ-3-(2-ヒドロキシエチル)-1,5-ペンタンジオールが挙げられる。
【０３７３】
一般式（２４）で示される化合物は、Ｒ６３が水素原子のときアクリロニトリルであり、Ｒ６３がメチル基のときメタアクリロニトリルであり、アクリロニトリルが好ましい。
【０３７４】
上記反応［ＩＩ］における一般式（２３）で示される化合物と一般式（２４）で示される化合物との反応は、溶媒中、塩基存在下で通常０〜１００℃、好ましくは３０〜８０℃で、通常１〜２４時間、好ましくは１〜１２時間反応させることによりなされる。
【０３７５】
上記溶媒としては、反応［Ｉ−ＩＩ］における溶媒と同じものが挙げられ、中でもニトリル類が好ましく、アセトニトリルがより好ましい。該溶媒はそれぞれ単独でも或いは二種以上適宜組み合わせて用いてもよい。反応溶媒の使用量は、一般式（２３）で示される化合物と一般式（２４）で示される化合物との総重量１ｇに対して、通常０．１〜５００ｍｌ、好ましくは１〜１００ｍｌである。
【０３７６】
上記塩基としては、例えば水素化ナトリウム、水素化カリウム等のアルカリ金属水素化物；ナトリウムメトキシド、カリウムメトキシド、ナトリウムエトキシド、カリウムエトキシド、リチウム-tert-ブトキシド、ナトリウム-tert-ブトキシド、カリウム-tert-ブトキシド等のアルカリ金属アルコキシド；n-ブチルリチウム、sec-ブチルリチウム、tert-ブチルリチウム、n-ヘキシルリチウム等の有機リチウム化合物；水酸化ナトリウム、水酸化カリウム等のアルカリ金属水酸化物；炭酸ナトリウム、炭酸カリウム、炭酸セシウム等の炭酸のアルカリ金属塩；トリエチルアミン、ピリジン、1,8-ジアザビシクロ[5.4.0]ウンデカ-7-エン、1,5-ジアザビシクロ[4.3.0]ノナ-5-エン等の３級アミン；リチウムジイソプロピルアミド、リチウムヘキサメチルジシラザン、ナトリウムヘキサメチルジシラザン、カリウムヘキサメチルジシラザン等の金属アミド等が挙げられ、中でもアルカリ金属アルコキシドが好ましく、リチウム-tert-ブトキシド、ナトリウム-tert-ブトキシド、カリウム-tert-ブトキシドがより好ましい。なお、該塩基は、１種類の塩基を単独で用いてもよいし、２種以上の塩基を組み合わせて用いてもよい。該塩基の使用量は、一般式（２３）で示される化合物のｍｏｌ数に対して、通常０．１〜１当量である。
【０３７７】
一般式（２４）で示される化合物の使用量は、一般式（２３）で示される化合物のｍｏｌ数に対して、通常３〜５当量、好ましくは３．５〜４当量である。
【０３７８】
上記反応［ＩＩＩ］における還元反応は、一般式（２５）で示される化合物と水素を、溶媒中、触媒存在下で、通常０〜１００℃、好ましくは１０〜５０℃で、通常１〜２４時間、好ましくは１〜１２時間反応させることによりなされる。
【０３７９】
上記水素としては、水素ガスを使用すればよい。当該水素の使用量は、一般式（２５）で示される化合物のｍｏｌ数に対して、通常３〜１０当量である。
【０３８０】
上記溶媒としては、例えばメタノール、エタノール、イソプロピルアルコール、テトラヒドロフラン、1,4-ジオキサン、N,N-ジメチルホルムアミド、ジクロロメタン、ジクロロエタン、酢酸エチル、水酸化アンモニウム等が挙げられ、中でもメタノール、水酸化アンモニウムが好ましい。該溶媒はそれぞれ単独でも或いは二種以上適宜組み合わせて用いてもよい。反応溶媒の使用量は、一般式（２５）で示される化合物の重量１ｇに対して、通常０．１〜５００ｍｌ、好ましくは１〜１００ｍｌである。
【０３８１】
上記触媒としては、例えば酸化白金(IV)、パラジウム炭素、ラネーニッケル（Raney Ni）、ラネーコバルト（Raney Co）等が挙げられ、中でもラネーニッケル、ラネーコバルトが好ましい。当該触媒の使用量は、一般式（２５）で示される化合物のｍｏｌ数に対して、通常３〜１０当量である。
【０３８２】
上記反応［ＩＶ］における一般式（２６）で示される化合物と3-クロロプロピオニルクロリドとの反応は、溶媒中、塩基存在下で通常０〜５０℃、好ましくは０〜２０℃で、通常１〜２４時間、好ましくは１〜１２時間反応させ、次いで、更に塩基を加えて、通常１０〜１００℃、好ましくは１０〜５０℃で、１〜２４時間、好ましくは１〜１２時間反応させることによりなされる。
【０３８３】
上記溶媒としては、反応［Ｉ−ＩＩ］における溶媒と同じものが挙げられ、中でもニトリル類が好ましく、アセトニトリルがより好ましい。該溶媒はそれぞれ単独でも或いは二種以上適宜組み合わせて用いてもよい。反応溶媒の使用量は、一般式（２６）で示される化合物と3-クロロプロピオニルクロリドとの総重量１ｇに対して、通常０．１〜５００ｍｌ、好ましくは１〜１００ｍｌである。
【０３８４】
上記塩基としては、反応［ＩＩ］における塩基と同じものが挙げられ、中でもアルカリ金属水酸化物が好ましく、水酸化ナトリウム、水酸化カリウムがより好ましい。なお、該塩基は、１種類の塩基を単独で用いてもよいし、２種以上の塩基を組み合わせて用いてもよい。該塩基の使用量は、一般式（２６）で示される化合物のｍｏｌ数に対して、通常１〜１０当量である。
【０３８５】
3-クロロプロピオニルクロリドの使用量は、一般式（２６）で示される化合物のｍｏｌ数に対して、通常３〜６当量、好ましくは４〜５当量である。
【０３８６】
一般式（２２）で示される化合物のうち、例えば下記一般式（３１）で示される化合物を合成する場合、次の反応［Ｖ］及び［ＶＩ］に示す一連の方法で合成することができる。すなわち、まず、下記一般式（２８）で示される化合物と無水コハク酸とを反応させ、下記一般式（２９）で示される化合物を得る（反応［Ｖ］）。次に、得られた一般式（２９）で示される化合物を下記一般式（３０）で示される化合物と反応させればよい（反応［ＶＩ］）。
【０３８７】
また、一般式（２２）で示される化合物のうち、例えば下記一般式（３３）で示される化合物を合成する場合、次の反応［ＶＩＩ］及び［ＶＩＩＩ］に示す一連の方法で合成することができる。すなわち、まず、下記一般式（２８）で示される化合物と無水フタル酸とを反応させ、下記一般式（３２）で示される化合物を得る（反応［ＶＩＩ］）。次に、得られた一般式（３２）で示される化合物を一般式（３０）で示される化合物と反応させればよい（反応［ＶＩＩＩ］）。
0006750669.tif 000108
（式中、Ｒ１、Ｙ２、Ｙ１０及びＡ２は、上記と同じ。）
【０３８８】
一般式（２８）の好ましい具体例としては、例えば下記一般式（２８−１）が挙げられる。
0006750669.tif 000109
（式中、Ｒ１、Ｒ３、Ａ３、Ａ４、Ｙ２及びｎ１は、上記と同じ。ただし、複数のＲ１、複数のＲ３、複数のＡ３、複数のＡ４及び複数のＹ２は、それぞれ同一であっても異なっていてもよく、ｎ１個のＡ４の炭素数の合計は１〜６であり、また、ｎ１が１であるとき、Ｒ３は一般式（２−１）で示される基を表す。）
【０３８９】
一般式（２８−１）の好ましい具体例としては、例えば下記一般式（２８−２−１）又は（２８−２−２）が挙げられる。
0006750669.tif 000110
（式中、Ｒ１、Ｒ４、Ａ３、Ａ４−１、Ａ４−２、Ｙ２及びｎ２〜ｎ４は、上記と同じ。ただし、複数のＲ１、複数のＲ４、複数のＡ３、複数のＡ４−１、複数のＡ４−２及び複数のＹ２は、それぞれ同一であっても異なっていてもよく、また、ｎ２個のＡ４−１の炭素数の合計は１〜６であり、ｎ４個のＡ４−１とｎ３個のＡ４−２との炭素数の合計は１〜６である。）
【０３９０】
一般式（２８）で示される化合物は、市販のもの、あるいは自体公知の方法によって適宜合成したものを用いればよい。一般式（２８）で示される化合物の具体例としては、例えば下記のものが挙げられる。
0006750669.tif 000111
【０３９１】
一般式（３０）で示される化合物は、Ｙ１０がヒドロキシ基のときエタノールアミンであり、Ｙ１０がアミノ基のときエチレンジアミンである。
【０３９２】
上記反応［Ｖ］における一般式（２８）で示される化合物と無水コハク酸との反応、或いは、上記反応［ＶＩＩ］における一般式（２８）で示される化合物と無水フタル酸との反応は、溶媒中、塩基存在下で通常０〜１００℃、好ましくは１０〜５０℃で、通常１〜４８時間、好ましくは１２〜３６時間反応させることによりなされる。
【０３９３】
上記溶媒としては、反応［Ｉ−ＩＩ］における溶媒と同じものが挙げられ、中でもハロゲン化炭化水素類が好ましく、ジクロロメタンがより好ましい。該溶媒はそれぞれ単独でも或いは二種以上適宜組み合わせて用いてもよい。反応溶媒の使用量は、一般式（２８）で示される化合物と無水コハク酸又は無水フタル酸との総重量１ｇに対して、通常０．１〜５００ｍｌ、好ましくは１〜１００ｍｌである。
【０３９４】
上記塩基としては、反応［ＩＩ］における塩基と同じものが挙げられ、中でも３級アミンが好ましく、トリエチルアミンがより好ましい。なお、該塩基は、１種類の塩基を単独で用いてもよいし、２種以上の塩基を組み合わせて用いてもよい。該塩基の使用量は、一般式（２８）で示される化合物のｍｏｌ数に対して、通常０．１〜１当量である。
【０３９５】
上記反応［Ｖ］又は［ＶＩＩ］においては、反応効率を向上させるために、ジメチルアミノピリジン等の触媒を用いてもよい。該触媒の使用量は、一般式（２８）で示される化合物のｍｏｌ数に対して、通常０．１〜１０当量である。
【０３９６】
無水コハク酸又は無水フタル酸の使用量は、一般式（２８）で示される化合物のｍｏｌ数に対して、通常１〜２当量、好ましくは１〜１．５当量である。
【０３９７】
上記反応［ＶＩ］における一般式（２９）で示される化合物と一般式（３０）で示される化合物との反応、或いは、上記反応［ＶＩＩＩ］における一般式（３２）で示される化合物と一般式（３０）で示される化合物との反応は、溶媒中、脱水縮合剤の存在下で通常０〜１００℃、好ましくは１０〜５０℃で、通常１〜２４時間、好ましくは１〜１２時間反応させることによりなされる。
【０３９８】
上記溶媒としては、例えばメタノール、エタノール、イソプロピルアルコール、テトラヒドロフラン、1,4-ジオキサン、N,N-ジメチルホルムアミド、ジクロロメタン、ジクロロエタン、酢酸エチル、水酸化アンモニウム等が挙げられ、中でもエタノールが好ましい。該溶媒はそれぞれ単独でも或いは二種以上適宜組み合わせて用いてもよい。反応溶媒の使用量は、一般式（２９）で示される化合物又は一般式（３２）で示される化合物の重量１ｇに対して、通常０．１〜５００ｍｌ、好ましくは１〜１００ｍｌである。
【０３９９】
上記脱水縮合剤としては、一般に脱水縮合剤として使用されるものであればよく、例えば4-(4,6-ジメトキシ-1,3,5-トリアジン-2-イル)-4-メチルモルホリニウムクロリド n-水和物等のトリアジン類等が挙げられる。該脱水縮合剤の使用量は、一般式（２９）で示される化合物又は一般式（３２）で示される化合物のｍｏｌ数に対して、通常１〜２０当量、好ましくは１〜１０当量である。
【０４００】
一般式（３０）で示される化合物の使用量は、一般式（２９）で示される化合物又は一般式（３２）で示される化合物のｍｏｌ数に対して、通常１〜２当量、好ましくは１〜１．５当量である。
【０４０１】
上記反応［Ｉ］〜［ＶＩＩＩ］における反応時の圧力は、一連の反応が滞りなく実施されれば特に制限はなく、例えば常圧で行えばよい。
【０４０２】
上記反応［Ｉ］〜［ＶＩＩＩ］における反応後に得られる反応物及び生成物は、必要に応じて、通常この分野で行われる一般的な後処理操作及び精製操作により単離してもよい。具体的には例えば、ろ過、洗浄、抽出、減圧濃縮、再結晶、蒸留、カラムクロマトグラフィー等を行うことによって得られた反応物及び生成物を単離してもよい。
【０４０３】
［本発明の着色組成物］
本発明の着色組成物は、本発明の化合物を少なくとも１種類含むものである。該着色組成物は、従来よりも高い耐溶出性を有する優れた着色硬化物を形成することができる。そのため、本発明の着色組成物は、液晶表示装置（ＬＣＤ）や固体撮像素子（ＣＣＤ、ＣＭＯＳ等）に用いられるカラーフィルター等の着色画素形成用途、印刷インキ、インクジェットインキ、および塗料等の用途に用いることができ、特に、液晶表示装置のカラーフィルター用として好適である。さらに、本発明の着色組成物は、従来公知の成形方法により、シート、フィルム、ボトル、カップ等に成形して着色樹脂成形物として使用することもできる。よって、メガネ、コンタクトレンズ、カラーコンタクトレンズ等の用途にも使用することができ、公知の樹脂との多層構造体とすることによっても同様の用途に使用することができる。その他にも、例えば光学フィルム、ヘアカラーリング剤、化合物や生体物質に対する標識物質、有機太陽電池の材料等の用途にも用いることが可能である。
【０４０４】
本発明の着色組成物としては、本発明の化合物及びバインダー樹脂をそれぞれ１種類以上含むものが好ましい。さらに、本発明の化合物及びバインダー樹脂に加えて、重合開始剤を含むものがより好ましく、必要に応じて、シランカップリング剤、顔料、溶剤等を含んでいてもよい。また、本発明の着色組成物は架橋剤を含んでいてもよいが、架橋剤を含まない組成であっても優れた耐溶出性を有する着色硬化物を形成することができるため、架橋剤を含まないものが好ましい。従って、本発明の着色組成物は、本発明の化合物及びバインダー樹脂をそれぞれ１種類以上含み、且つ架橋剤を含まないものが好ましい。
【０４０５】
本発明の着色組成物は、本発明の化合物を、組成物重量に対して１〜５０重量％、好ましくは５〜３０重量％含有する。尚、ここでいう組成物重量は、溶剤を除く固形成分の重量を意味し、以下本願では同様の意味を表す。
【０４０６】
上記バインダー樹脂は、例えばポリオレフィン樹脂、ポリスチレン樹脂、ポリエステル樹脂、ポリアミド樹脂、ポリウレタン樹脂、ポリカーボネート樹脂、エポキシ樹脂、アクリル樹脂、アクリロニトリル樹脂、ＡＢＳ樹脂等のこの分野で通常用いられるバインダー樹脂であれば特に限定されないが、重合性不飽和基を有するバインダー樹脂が好ましい。より具体的には、下記一般式（５）で示されるモノマー単位を構成成分に含むバインダー樹脂が好ましい。
0006750669.tif 000112
（式中、Ｒ１８は、下記式（５−１）〜（５−１０）で示される基
0006750669.tif 000113
を表し、Ｒ１９及びＲ２０はそれぞれ独立して、置換基を有していてもよい炭素数１〜１２のアルキレン基を表し、該置換基は、ヒドロキシ基、炭素数１〜６のアルキル基、炭素数１〜６のアルコキシ基、炭素数６〜１０のアリール基、炭素数６〜１０のアリールオキシ基、炭素数７〜１３のアリールアルキル基、炭素数７〜１３のアリールオキシアルキル基、及び、酸素原子を有する又は酸素原子を有さない炭素数６〜１２の脂環式炭化水素基から選ばれるものであり、Ｙ４は、−ＣＯＯ−、−ＣＯＮＨ−、−ＯＣＯＮＨ−又は−ＮＨＣＯＮＨ−を表し、Ｙ５は、−Ｏ−、−ＯＣＯ−、−ＣＯＯ−、−ＣＯＮＨ−、−ＮＨＣＯ−、−ＯＣＯＮＨ−又は−ＮＨＣＯＮＨ−を表し、ｎ５は、１〜４の整数を表す。ただし、複数のＲ１９及び複数のＹ５は、それぞれ同一であっても異なっていてもよい。）
【０４０７】
一般式（５）のＲ１８としては、式（５−２）及び（５−３）が好ましく、式（５−２）がより好ましい。
【０４０８】
一般式（５）のＲ１９及びＲ２０における「置換基を有していてもよい炭素数１〜１２のアルキレン基」の炭素数１〜１２のアルキレン基としては、直鎖状、分枝状及び環状のうちいずれであってもよいが、直鎖状又は環状と直鎖状が結合しているものが好ましい。また、炭素数１〜１２のアルキル基の中でも、炭素数１〜６のものが好ましい。具体的には例えば、メチレン基、エチレン基、メチルメチレン基、トリメチレン基、プロピレン基、ジメチルメチレン基、エチルメチレン基、テトラメチレン基、1-メチルトリメチレン基、2-メチルトリメチレン基、1,2-ジメチルエチレン基、1,1-ジメチルエチレン基、エチルエチレン基、エチルメチルメチレン基、プロピルメチレン基、ペンタメチレン基、1-メチルテトラメチレン基、2-メチルテトラメチレン基、1-エチルトリメチレン基、2-エチルトリメチレン基、n-プロピルエチレン基、イソプロピルエチレン基、n-ブチルメチレン基、イソブチルメチレン基、tert-ブチルメチレン基、ヘキサメチレン基、1-メチルペンタメチレン基、2-メチルペンタメチレン基、3-メチルペンタメチレン基、1-エチルテトラメチレン基、2-エチルテトラメチレン基、1-n-プロピルトリメチレン基、1-イソプロピルトリメチレン基、2-n-プロピルトリメチレン基、2-イソプロピルトリメチレン基、n-ブチルエチレン基、イソブチルエチレン基、tert-ブチルエチレン基、n-ペンチルメチレン基、イソペンチルメチレン基、ヘプタメチレン基、オクタメチレン基、ノナメチレン基、デカメチレン基、ウンデカメチレン基、ドデカメチレン基、-C6H10-CH2-基、-C6H10-C2H4-基、-C6H10-C3H6-基、-C6H10-C4H8-基、-C6H10-C5H10-基、-C6H10-C6H12-基等が挙げられ、メチレン基、エチレン基、トリメチレン基、テトラメチレン基、ペンタメチレン基、ヘキサメチレン基、ヘプタメチレン基、オクタメチレン基、ノナメチレン基、デカメチレン基、ウンデカメチレン基、ドデカメチレン基、-C6H10-CH2-基、-C6H10-C2H4-基、-C6H10-C3H6-基、-C6H10-C4H8-基、-C6H10-C5H10-基、-C6H10-C6H12-基が好ましく、メチレン基、エチレン基、トリメチレン基、テトラメチレン基、ペンタメチレン基、ヘキサメチレン基、-C6H10-CH2-基、-C6H10-C2H4-基、-C6H10-C3H6-基がより好ましい。
【０４０９】
一般式（５）のＲ１９及びＲ２０における置換基を有する炭素数１〜１２のアルキレン基としては、当該アルキレン基上に、１種類以上の置換基を１〜３個有しているものが好ましく、１種類の置換基を１〜３個有しているものが好ましく、置換基を１個有しているものがより好ましい。該置換基は、ヒドロキシ基、炭素数１〜６のアルキル基、炭素数１〜６のアルコキシ基、炭素数６〜１０のアリール基、炭素数６〜１０のアリールオキシ基、炭素数７〜１３のアリールアルキル基、炭素数７〜１３のアリールオキシアルキル基、及び、酸素原子を有する又は酸素原子を有さない炭素数６〜１２の脂環式炭化水素基から選ばれる。
【０４１０】
上記置換基のうち、炭素数１〜６のアルキル基としては、一般式（２）のＲ３における炭素数１〜６のアルキル基と同じものが挙げられ、メチル基、エチル基、n-プロピル基、イソプロピル基、n-ブチル基、イソブチル基、sec-ブチル基、tert-ブチル基が好ましく、メチル基、エチル基がより好ましい。
【０４１１】
上記置換基のうち、炭素数１〜６のアルコキシ基としては、一般式（ＩＩＩ）のＲ３０８における炭素数１〜６のアルコキシ基と同じものが挙げられ、メトキシ基、エトキシ基、n-プロポキシ基、イソプロポキシ基、n-ブトキシ基、イソブトキシ基、sec-ブトキシ基、tert-ブトキシ基が好ましく、メトキシ基、エトキシ基がより好ましい。
【０４１２】
上記置換基のうち、炭素数６〜１０のアリール基としては、例えば、フェニル基、ナフチル基等が挙げられ、フェニル基が好ましい。
【０４１３】
上記置換基のうち、炭素数６〜１０のアリールオキシ基としては、例えば、フェノキシ基、ナフチルオキシ基等が挙げられ、フェノキシ基が好ましい。
【０４１４】
上記置換基のうち、炭素数７〜１３のアリールアルキル基としては、一般式（Ｉ）のＲ１０５における置換基を有するアミノ基の置換基における炭素数７〜１３のアリールアルキル基と同じものが挙げられ、好ましいものも同じである。
【０４１５】
上記置換基のうち、炭素数７〜１３のアリールオキシアルキル基としては、例えば、フェノキシメチル基、フェノキシエチル基、フェノキシプロピル基、ナフチルオキシメチル基、ナフチルオキシエチル基、ナフチルオキシプロピル基等が挙げられる。
【０４１６】
上記置換基のうち、酸素原子を有する炭素数６〜１２の脂環式炭化水素基としては、例えば、ジシクロペンテニルオキシエチル基等が挙げられる。
【０４１７】
上記置換基のうち、酸素原子を有さない炭素数６〜１２の脂環式炭化水素基としては、例えば、シクロヘキシル基、イソボルニル基、ジシクロペンタニル基等が挙げられる。
【０４１８】
一般式（５）のＲ１９及びＲ２０における置換基を有する炭素数１〜１２のアルキレン基としては、例えば下記一般式（４１）〜（４３）で示される基等が挙げられ、一般式（４１）で示される基が好ましい。
0006750669.tif 000114
（式中、Ｒ３１は、ヒドロキシ基、炭素数１〜６のアルキル基、炭素数１〜６のアルコキシ基、炭素数６〜１０のアリール基、炭素数６〜１０のアリールオキシ基、炭素数７〜１３のアリールアルキル基、炭素数７〜１３のアリールオキシアルキル基又は酸素原子を有する若しくは酸素原子を有さない炭素数６〜１２の脂環式炭化水素基を表し、ｈ１１及びｈ１２はそれぞれ独立して、０〜６の整数を表す。ただし、ｈ１１＋ｈ１２＝０〜１１の整数である。）
0006750669.tif 000115
（式中、Ｒ３２は、ヒドロキシ基、炭素数１〜６のアルキル基、炭素数１〜６のアルコキシ基、炭素数６〜１０のアリール基、炭素数６〜１０のアリールオキシ基、炭素数７〜１３のアリールアルキル基、炭素数７〜１３のアリールオキシアルキル基又は酸素原子を有する若しくは酸素原子を有さない炭素数６〜１２の脂環式炭化水素基を表し、ｈ１３は、１〜６の整数を表す。）
0006750669.tif 000116
（式中、Ｒ３２は、上記と同じであり、ｈ１４は、１〜６の整数を表す。）
【０４１９】
一般式（４１）のＲ３１における炭素数１〜６のアルキル基、炭素数１〜６のアルコキシ基、炭素数６〜１０のアリール基、炭素数６〜１０のアリールオキシ基、炭素数７〜１３のアリールアルキル基、炭素数７〜１３のアリールオキシアルキル基及び酸素原子を有する又は酸素原子を有さない炭素数６〜１２の脂環式炭化水素基としては、一般式（５）のＲ１９及びＲ２０における置換基のそれらと同じものが挙げられ、好ましいものも同じである。
【０４２０】
一般式（４１）のＲ３１としては、ヒドロキシ基、炭素数１〜６のアルキル基、炭素数１〜６のアルコキシ基、炭素数６〜１０のアリール基、炭素数６〜１０のアリールオキシ基、炭素数７〜１３のアリールアルキル基及び炭素数７〜１３のアリールオキシアルキル基が好ましい。具体的には、ヒドロキシ基、メチル基、エチル基、n-プロピル基、イソプロピル基、n-ブチル基、イソブチル基、sec-ブチル基、tert-ブチル基、メトキシ基、エトキシ基、n-プロポキシ基、イソプロポキシ基、n-ブトキシ基、イソブトキシ基、sec-ブトキシ基、tert-ブトキシ基、フェニル基、フェノキシ基、ベンジル基、フェノキシメチル基、フェノキシエチル基、フェノキシプロピル基が好ましく、ヒドロキシ基、メチル基、エチル基、メトキシ基、エトキシ基、フェニル基、フェノキシ基、ベンジル基、フェノキシメチル基がより好ましく、ヒドロキシ基が特に好ましい。
【０４２１】
一般式（４１）のｈ１１及びｈ１２としては、ｈ１１及びｈ１２が同じであるのが好ましく、また、１〜４の整数が好ましく、１又は２がより好ましく、１が特に好ましい。
【０４２２】
一般式（４２）及び（４３）のＲ３２における炭素数１〜６のアルキル基、炭素数１〜６のアルコキシ基、炭素数６〜１０のアリール基、炭素数６〜１０のアリールオキシ基、炭素数７〜１３のアリールアルキル基、炭素数７〜１３のアリールオキシアルキル基及び酸素原子を有する又は酸素原子を有さない炭素数６〜１２の脂環式炭化水素基としては、一般式（５）のＲ１９及びＲ２０における置換基のそれらと同じものが挙げられ、好ましいものも同じである。
【０４２３】
一般式（４２）及び（４３）のＲ３２としては、ヒドロキシ基、炭素数１〜６のアルキル基、炭素数１〜６のアルコキシ基、炭素数６〜１０のアリール基、炭素数６〜１０のアリールオキシ基、炭素数７〜１３のアリールアルキル基及び炭素数７〜１３のアリールオキシアルキル基が好ましい。具体的には、ヒドロキシ基、メチル基、エチル基、n-プロピル基、イソプロピル基、n-ブチル基、イソブチル基、sec-ブチル基、tert-ブチル基、メトキシ基、エトキシ基、n-プロポキシ基、イソプロポキシ基、n-ブトキシ基、イソブトキシ基、sec-ブトキシ基、tert-ブトキシ基、フェニル基、フェノキシ基、ベンジル基、フェノキシメチル基、フェノキシエチル基、フェノキシプロピル基が好ましく、ヒドロキシ基、メチル基、エチル基、メトキシ基、エトキシ基、フェニル基、フェノキシ基、ベンジル基、フェノキシメチル基がより好ましく、ヒドロキシ基が特に好ましい。
【０４２４】
一般式（４２）のｈ１３及び一般式（４３）のｈ１４としては、１〜３の整数が好ましく、１がより好ましい。
【０４２５】
一般式（４１）で示される基の好ましい具体例としては、下記式（２２１）〜（２３８）で示される基が挙げられ、式（２２１）〜（２２９）で示される基が好ましく、式（２２１）で示される基が好ましい。
0006750669.tif 000117
【０４２６】
一般式（４２）で示される基の具体例としては、下記式（２３９）〜（２４１）で示される基が挙げられ、式（２３９）で示される基が好ましい。
0006750669.tif 000118
【０４２７】
一般式（４３）で示される基の具体例としては、下記式（２４２）〜（２４４）で示される基が挙げられ、式（２４２）で示される基が好ましい。
0006750669.tif 000119
【０４２８】
一般式（５）のＲ１９及びＲ２０としては、ヒドロキシ基、炭素数１〜６のアルキル基、炭素数１〜６のアルコキシ基、炭素数６〜１０のアリール基、炭素数６〜１０のアリールオキシ基、炭素数７〜１３のアリールアルキル基、炭素数７〜１３のアリールオキシアルキル基、及び、酸素原子を有する又は酸素原子を有さない炭素数６〜１２の脂環式炭化水素基から選ばれる置換基を１個有する、並びに無置換の炭素数１〜１２の直鎖アルキレン基が好ましく、ヒドロキシ基、炭素数１〜４のアルキル基、炭素数１〜４のアルコキシ基、フェニル基、フェノキシ基、炭素数７〜９のフェニルアルキル基及び炭素数７〜９のフェノキシアルキル基から選ばれる置換基を１個有する、並びに無置換の炭素数１〜６の直鎖アルキレン基が好ましい。
【０４２９】
一般式（５）のＲ１９及びＲ２０の具体例としては、メチレン基、エチレン基、トリメチレン基、テトラメチレン基、ペンタメチレン基、ヘキサメチレン基、-C6H10-CH2-基、-C6H10-C2H4-基、-C6H10-C3H6-基、式（２２１）〜（２４４）で示される基が挙げられ、メチレン基、エチレン基、トリメチレン基、テトラメチレン基、式（２２１）〜（２２９）で示される基、式（２３９）で示される基、式（２４２）で示される基が好ましく、メチレン基、エチレン基、式（２２１）で示される基、式（２３９）で示される基、式（２４２）で示される基がより好ましい。
【０４３０】
一般式（５）のＹ４としては、−ＣＯＯ−が好ましい。
【０４３１】
一般式（５）のＹ５としては、−Ｏ−、−ＮＨＣＯ−、−ＯＣＯＮＨ−及び−ＮＨＣＯＮＨ−が好ましく、−Ｏ−がより好ましい。
【０４３２】
一般式（５）のｎ５としては、１又は２が好ましく、１がより好ましい。
【０４３３】
一般式（５）におけるＲ１８、Ｒ１９、(ｎ５個の)Ｒ２０、Ｙ４、(ｎ５個の)Ｙ５及びｎ５の好ましい組合せとしては、例えば下記表に記載のものが挙げられる。
0006750669.tif 000120
【０４３４】
上記好ましい組合せの中でも、下記表に記載のものがより好ましい。
0006750669.tif 000121
【０４３５】
上記より好ましい組合せの中でも、下記表に記載のものが特に好ましい。
0006750669.tif 000122
【０４３６】
一般式（５）で示されるモノマー単位を構成成分に含むバインダー樹脂は、さらに、下記一般式（６）、（１０）、（１１）又は（１２）で示される化合物由来のモノマー単位少なくとも１種を構成成分に含むものが好ましい。
【０４３７】
0006750669.tif 000123
｛式中、Ｒ１１は、水素原子又はメチル基を表し、Ｒ１２は、水素原子、炭素数１〜３０のアルキル基、炭素数１〜１０のヒドロキシアルキル基、炭素数６〜１０のアリール基、炭素数７〜１３のアリールアルキル基、炭素数２〜９のアルコキシアルキル基、炭素数３〜９のアルコキシアルコキシアルキル基、炭素数７〜１３のアリールオキシアルキル基、炭素数５〜７のモルホリノアルキル基、炭素数３〜９のトリアルキルシリル基、酸素原子を有する炭素数６〜１２の脂環式炭化水素基、炭素数３〜９のジアルキルアミノアルキル基、炭素数１〜１８のフルオロアルキル基、炭素数９〜１４のＮ−アルキレンフタルイミド基、下記一般式（７）で示される基
0006750669.tif 000124
（式中、Ｒ２１は、ヒドロキシ基を置換基として有する又は無置換の炭素数１〜３のアルキレン基を表し、Ｒ２２は、ヒドロキシ基を置換基として有する又は無置換のフェニル基、或いは炭素数１〜３のアルキル基を表し、ａは１〜３の整数を表す。）、下記一般式（８）で示される基
0006750669.tif 000125
（式中、Ｒ２３〜Ｒ２５はそれぞれ独立して、炭素数１〜３のアルキル基を表し、Ｒ２６は炭素数１〜３のアルキレン基を表す。）、又は、下記一般式（９）で示される基
0006750669.tif 000126
（式中、Ｒ２７は、フェニレン基又はシクロへキシレン基を表し、ｂは、１〜６の整数を表す。）を表す。｝、
0006750669.tif 000127
（式中、Ｒ１３は、水素原子又は炭素数１〜３のアルキル基を表し、Ｒ１４は、水素原子、炭素数１〜３のアルキル基、炭素数３〜９のジアルキルアミノアルキル基又は炭素数１〜１０のヒドロキシアルキル基を表し、Ｒ１１は上記と同じ。Ｒ１３とＲ１４は、これらと隣接する窒素原子とでモルホリノ基を形成してもよい。）、
0006750669.tif 000128
（式中、Ｒ１５は、フェニル基又はピロリジノ基を表し、Ｒ１１は上記と同じ。）、
0006750669.tif 000129
（式中、Ｒ１７は、窒素原子又は酸素原子を表し、Ｒ１６は、水素原子、炭素数１〜３０のアルキル基、炭素数１〜１０のヒドロキシアルキル基、炭素数１〜１０のハロアルキル基、炭素数６〜１０のアリール基、又は、炭素数１〜６のアルキル基若しくはハロゲノ基を置換基として有する炭素数６〜１０のアリール基を表し、ｄは、Ｒ１７が酸素原子の場合に０を表し、Ｒ１７が窒素原子の場合には１を表す。）
【０４３８】
一般式（６）におけるＲ１１としては、メチル基が好ましい。
【０４３９】
一般式（６）のＲ１２及び一般式（１２）のＲ１６における炭素数１〜３０のアルキル基としては、一般式（Ｉ）のＲ１０５における炭素数１〜３０のアルキル基と同じものが挙げられ、好ましいものも同じである。
【０４４０】
一般式（６）のＲ１２、一般式（１０）のＲ１４及び一般式（１２）のＲ１６における炭素数１〜１０のヒドロキシアルキル基としては、例えば、ヒドロキシメチル基、ヒドロキシエチル基、ヒドロキシプロピル基、ヒドロキシブチル基、ヒドロキシペンチル基、ヒドロキシヘキシル基、ヒドロキシヘプチル基、ヒドロキシオクチル基、ヒドロキシノニル基、ヒドロキシデシル基等が挙げられる。
【０４４１】
一般式（６）のＲ１２における炭素数６〜１０のアリール基、炭素数７〜１３のアリールアルキル基、炭素数７〜１３のアリールオキシアルキル基及び酸素原子を有する炭素数６〜１２の脂環式炭化水素基としては、一般式（５）のＲ１９及びＲ２０におけるそれらと同じものが挙げられ、好ましいものも同じである。
【０４４２】
一般式（６）のＲ１２における炭素数２〜９のアルコキシアルキル基としては、例えば、メトキシメチル基、メトキシエチル基、メトキシプロピル基、メトキシブチル基、メトキシペンチル基、メトキシヘキシル基、メトキシヘプチル基、メトキシオクチル基、エトキシメチル基、エトキシエチル基、エトキシプロピル基、エトキシブチル基、エトキシペンチル基、エトキシヘキシル基、エトキシヘプチル基、プロポキシメチル基、プロポキシエチル基、プロポキシプロピル基、プロポキシブチル基、プロポキシペンチル基、プロポキシヘキシル基等が挙げられる。
【０４４３】
一般式（６）のＲ１２における炭素数３〜９のアルコキシアルコキシアルキル基としては、例えば、メトキシメトキシメチル基、メトキシメトキシエチル基、メトキシメトキシプロピル基、エトキシメトキシメチル基、エトキシメトキシエチル基、エトキシメトキシプロピル基、プロポキシメトキシメチル基、プロポキシメトキシエチル基、プロポキシメトキシプロピル基、エトキシエトキシメチル基、エトキシエトキシエチル基、エトキシエトキシプロピル基、プロポキシエトキシメチル基、プロポキシエトキシエチル基、プロポキシエトキシプロピル基、プロポキシプロポキシメチル基、プロポキシプロポキシエチル基、プロポキシプロポキシプロピル基等が挙げられる。
【０４４４】
一般式（６）のＲ１２における炭素数５〜７のモルホリノアルキル基としては、例えば、モルホリノメチル基、モルホリノエチル基、モルホリノプロピル基等が挙げられる。
【０４４５】
一般式（６）のＲ１２における炭素数３〜９のトリアルキルシリル基としては、例えば、トリメチルシリル基、トリエチルシリル基、トリプロピルシリル基、ジメチルエチルシリル基、ジエチルメチルシリル基等が挙げられる。
【０４４６】
一般式（６）のＲ１２及び一般式（１０）のＲ１４における炭素数３〜９のジアルキルアミノアルキル基としては、例えば、N,N-ジメチルアミノメチル基、N,N-ジメチルアミノエチル基、N,N-ジメチルアミノプロピル基、N,N-ジエチルアミノメチル基、N,N-ジエチルアミノエチル基、N,N-ジエチルアミノプロピル基、N,N-ジプロピルアミノメチル基、N,N-ジプロピルアミノエチル基、N,N-ジプロピルアミノプロピル基等が挙げられる。
【０４４７】
一般式（６）のＲ１２における炭素数１〜１８のフルオロアルキル基としては、例えば、2,2,2-トリフルオロエチル基、2,2,3,3-テトラフルオロプロピル基、2,2,3,3,4,4-ヘキサフルオロブチル基、2,2,3,3,4,4,5,5-オクタフルオロペンチル基、3,3,4,4,5,5,6,6,7,7,8,8,9,9,10,10,10-ヘプタデカフルオロデシル、2-(ヘプタデカフルオロオクチル)エチル基等が挙げられる。
【０４４８】
一般式（６）のＲ１２における炭素数９〜１４のＮ−アルキレンフタルイミド基としては、例えば、2-フタルイミドエチル基、2-テトラヒドロフタルイミドエチル基等が挙げられる。
【０４４９】
一般式（７）のＲ２１におけるヒドロキシ基を置換基として有する又は無置換の炭素数１〜３のアルキレン基としては、メチレン基、エチレン基、トリメチレン基、ヒドロキシメチレン基、ヒドロキシエチレン基、1-ヒドロキシトリメチレン基、2-ヒドロキシトリメチレン基等が挙げられ、エチレン基、トリメチレン基、2-ヒドロキシトリメチレン基が好ましい。
【０４５０】
一般式（７）のＲ２２におけるヒドロキシ基を置換基として有する又は無置換のフェニル基としては、ヒドロキシフェニル基、フェニル基等が挙げられる。
【０４５１】
一般式（７）のＲ２２、一般式（８）のＲ２３〜Ｒ２５、並びに一般式（１０）のＲ１３及びＲ１４における炭素数１〜３のアルキル基としては、メチル基、エチル基、n-プロピル基、イソプロピル基が挙げられる。
【０４５２】
一般式（７）で示される基の具体例としては、(4-ヒドロキシフェノキシ)メチル基、(4-ヒドロキシフェノキシ)エチル基、(4-ヒドロキシフェノキシ)プロピル基、1-ヒドロキシ-1-フェノキシメチル基、1-ヒドロキシ-2-フェノキシエチル基、2-ヒドロキシ-3-フェノキシプロピル基、メチルトリメチレングリコール基、メチルトリエチレングリコール基、メチルトリプロピレングリコール基等が挙げられ、中でも(4-ヒドロキシフェノキシ)プロピル基、2-ヒドロキシ-3-フェノキシプロピル基、メチルトリプロピレングリコール基、メチルトリエチレングリコール基が好ましい。
【０４５３】
一般式（８）のＲ２６における炭素数１〜３のアルキレン基としては、メチレン基、エチレン基、トリメチレン基等が挙げられる。
【０４５４】
一般式（８）で示される基の具体例としては、トリメチルアンモニウムメチル基、トリメチルアンモニウムエチル基、トリエチルアンモニウムメチル基、トリエチルアンモニウムエチル基等が挙げられる。
【０４５５】
一般式（９）で示される基の好ましい具体例としては、例えば、下記のものが挙げられる。
0006750669.tif 000130
【０４５６】
一般式（６）におけるＲ１２としては、水素原子、炭素数１〜３０のアルキル基、炭素数１〜１０のヒドロキシアルキル基、炭素数６〜１０のアリール基、炭素数７〜１３のアリールアルキル基、炭素数２〜９のアルコキシアルキル基、炭素数７〜１３のアリールオキシアルキル基、一般式(７)で示される基、一般式(９)で示される基が好ましく、中でも水素原子、炭素数１〜３０のアルキル基、炭素数１〜１０のヒドロキシアルキル基、炭素数６〜１０のアリール基、炭素数７〜１３のアリールアルキル基、炭素数２〜９のアルコキシアルキル基がより好ましく、水素原子、炭素数１〜１２のアルキル基、炭素数７〜１３のアリールアルキル基がさらに好ましく、水素原子、炭素数７〜１３のアリールアルキル基が特に好ましい。
【０４５７】
一般式（６）の好ましい具体例としては、アクリル酸、アクリル酸ベンジル、メタクリル酸、メタクリル酸ベンジル、ヒドロキシエチルメタクリレート、メタクリル酸メチル等が挙げられ、中でもアクリル酸、アクリル酸ベンジル、メタクリル酸、メタクリル酸ベンジルが好ましく、メタクリル酸、メタクリル酸ベンジルがより好ましい。
【０４５８】
一般式（１０）の好ましい具体例としては、アクリルアミド、メタクリルアミド、N,N-ジメチルアクリルアミド、N,N-ジメチルメタクリルアミド、N,N-ジエチルアクリルアミド、N,N-ジエチルメタクリルアミド、ヒドロキシエチルアクリルアミド、ヒドロキシエチルメタクリルアミド、4-アクリロイルモルホリン等が挙げられ、アクリルアミド、メタクリルアミド、N,N-ジメチルアクリルアミド、N,N-ジエチルアクリルアミドが好ましく、N,N-ジエチルアクリルアミドがより好ましい。
【０４５９】
一般式（１１）の好ましい具体例としては、スチレン、α-メチルスチレン、N-ビニルピロリドン等が挙げられ、スチレン、α-メチルスチレンが好ましく、スチレンがより好ましい。
【０４６０】
一般式（１２）のＲ１６における炭素数１〜１０のハロアルキル基としては、例えば、クロロメチル基、クロロエチル基、クロロ-n-プロピル基、クロロイソプロピル基、クロロ-n-ブチル基、クロロ-tert-ブチル基、クロロ-n-ペンチル基、クロロ-n-ヘキシル基、クロロ-n-ヘプチル基、クロロ-n-オクチル基、クロロ-n-ノニル基、クロロ-n-デシル基、クロロシクロヘキシル基、クロロシクロヘプチル基、フルオロメチル基、フルオロエチル基、フルオロ-n-プロピル基、フルオロイソプロピル基、フルオロ-n-ブチル基、フルオロ-tert-ブチル基、フルオロ-n-ペンチル基、フルオロ-n-ヘキシル基、フルオロ-n-ヘプチル基、フルオロ-n-オクチル基、フルオロ-n-ノニル基、フルオロ-n-デシル基、フルオロシクロヘキシル基、フルオロシクロヘプチル基等が挙げられる。
【０４６１】
一般式（１２）のＲ１６における炭素数６〜１０のアリール基としては、フェニル基、ナフチル基等が挙げられる。
【０４６２】
一般式（１２）のＲ１６における炭素数１〜６のアルキル基又はハロゲノ基を置換基として有する炭素数６〜１０のアリール基としては、例えば、メチルフェニル基、エチルフェニル基、n-プロピルフェニル基、n-ブチルフェニル基、n-ペンチルフェニル基、n-ヘキシルフェニル基、クロロフェニル基、フルオロフェニル基、メチルナフチル基、エチルナフチル基、n-プロピルナフチル基、クロロナフチル基、フルオロナフチル基等が挙げられる。
【０４６３】
一般式（１２）の好ましい具体例としては、無水マレイン酸、マレイミド、N-メチルマレイミド、N-エチルマレイミド、N-ブチルマレイミド、N-オクチルマレイミド、N-ドデシルマレイミド、N-(2-エチルヘキシル)マレイミド、N-(2-ヒドロキシエチル)マレイミド、N-(2-クロロヘキシル)マレイミド、N-シクロヘキシルマレイミド、N-(2-メチルシクロヘキシル)マレイミド、N-(2-エチルシクロヘキシル)マレイミド、N-(2-クロロシクロヘキシル)マレイミド、N-フェニルマレイミド、N-(2-メチルフェニル)マレイミド、N-(2-エチルフェニル)マレイミド、N-(2-クロロフェニル)マレイミド等が挙げられ、中でも、N-フェニルマレイミドが好ましい。
【０４６４】
一般式（５）で示されるモノマー単位、及び、一般式（６）、（１０）、（１１）又は（１２）で示される化合物由来のモノマー単位少なくとも１種を構成成分に含むバインダー樹脂は、具体的には、下記表記載のモノマー単位の組合せが挙げられ、中でも組合せ１及び５〜７が好ましく、組合せ６がより好ましい。また、下記組合せ６の中でも、一般式（６）で示される化合物由来のモノマー単位が２種類含まれているものが好ましい。
【０４６５】
0006750669.tif 000131
【０４６６】
上記組合せの中でも、一般式（５）で示されるモノマー単位１種類、下記一般式（６'）で示される化合物由来のモノマー単位１〜２種類及び一般式（１１）で示される化合物由来のモノマー単位１種類を構成成分とするバインダー樹脂が好ましい。
0006750669.tif 000132
（式中、Ｒ１２'は、水素原子、炭素数１〜３０のアルキル基、炭素数１〜１０のヒドロキシアルキル基、炭素数６〜１０のアリール基、炭素数７〜１３のアリールアルキル基又は炭素数２〜９のアルコキシアルキル基を表し、Ｒ１１は、上記と同じ。）
【０４６７】
一般式（６'）におけるＲ１２'における炭素数１〜３０のアルキル基、炭素数１〜１０のヒドロキシアルキル基、炭素数６〜１０のアリール基、炭素数７〜１３のアリールアルキル基及び炭素数２〜９のアルコキシアルキル基の具体例は、一般式（６）におけるＲ１２のそれらと同じものが挙げられる。
【０４６８】
一般式（６'）におけるＲ１２'としては、水素原子、炭素数１〜１２のアルキル基、炭素数７〜１３のアリールアルキル基が好ましく、水素原子、炭素数７〜１３のアリールアルキル基がより好ましい。
【０４６９】
一般式（６'）の好ましい具体例としては、アクリル酸、アクリル酸ベンジル、メタクリル酸、メタクリル酸ベンジル等が挙げられ、中でもメタクリル酸、メタクリル酸ベンジルが好ましい。
【０４７０】
一般式（５）で示されるモノマー単位と、一般式（６）、（１０）、（１１）又は（１２）で示される化合物由来のモノマー単位との重量比率は、用いられるモノマー単位の種類によって適宜設定されればよいが、一般式（５）で示されるモノマー単位が、得られるポリマーの総重量に対して通常１０〜９０重量％、好ましくは３０〜７０重量％である。
【０４７１】
上記バインダー樹脂の重量平均分子量は、通常1,000〜100,000、好ましくは1,000〜50,000、より好ましくは2,000〜30,000である。また、上記バインダー樹脂の含有量は、組成物重量に対して５〜９０重量％、好ましくは１０〜８０重量％である。
【０４７２】
上記重合開始剤としては、通常この分野で用いられる従来公知の熱重合開始剤又は光重合開始剤を用いることができ、光重合開始剤が好ましい。具体的には、ジエトキシアセトフェノン、2-ヒドロキシ-2-メチル-1-フェニルプロパン-1-オン、ベンジルジメチルケタール、1-(4-イソプロピルフェニル)-2-ヒドロキシ-2-メチルプロパン-1-オン、4-(2-ヒドロキシエトキシ)フェニル-(2-ヒドロキシ-2-プロピル)ケトン、1-ヒドロキシシクロヘキシル-フェニルケトン、2-メチル-2-モルホリノ(4-チオメチルフェニル)プロパン-1-オン、2-ベンジル-2-ジメチルアミノ-1-(4-モルホリノフェニル)-ブタノン等のアセトフェノン系；ベンゾイン、ベンゾインイソプロピルエーテル、ベンゾインイソブチルエーテル等のベンゾイン系；2,4,6-トリメチルベンゾイルジフェニルホスフィンオキサイド等のアシルホスフィンオキサイド系；ベンジル、メチルフェニルグリオキシエステル系；ベンゾフェノン、ο-ベンゾイル安息香酸メチル、4-フェニルベンゾフェノン、4,4'-ジクロロベンゾフェノン、ヒドロキシベンゾフェノン、4-ベンゾイル-4'-メチル-ジフェニルサルファイド、アクリル化ベンゾフェノン、3,3',4,4'-テトラ(tert-ブチルパーオキシカルボニル)ベンゾフェノン、3,3'-ジメチル-4-メトキシベンゾフェノン等のベンゾフェノン系；2-イソプロピルチオキサントン、2,4-ジメチルチオキサントン、2,4-ジエチルチオキサントン、2,4-ジクロロチオキサントン等のチオキサントン系；ミヒラーケトン、4,4'-ジエチルアミノベンゾフェノン等のアミノベンゾフェノン系；1-[4-(フェニルチオ)フェニル]-1,2-オクタンジオン-2-(ο-ベンゾイルオキシム)、1-[6-(2-メチルベンゾイル)-9-エチル-9H-カルバゾール-3-イル]エタノン-ο-アセチルオキシム等のオキシムエステル系；10-ブチル-2-クロロアクリドン、2-エチルアンスラキノン、9,10-フェナンスレンキノン、カンファーキノン等が挙げられる。上記重合開始剤は、単独でも２種以上を含有してもよい。その含有量は、組成物重量に対して０．１〜２０重量％、好ましくは１〜１０重量％である。
【０４７３】
上記シランカップリング剤は、ガラス等の基材に結合する場合に用いられる。該シランカップリング剤としては、通常この分野で用いられる従来公知のものを用いることができ、反応性有機官能基として、例えば、エポキシ基、チオール基、ヒドロキシ基、アミノ基、ウレイド基、ビニル基、アクリロイル基などを有するシランカップリング剤が挙げられる。具体的には、β-(3,4-エポキシシクロヘキシル)エチルトリメトキシシラン、γ-グリシドオキシプロピルトリメトキシシラン、γ-メルカプトプロピルトリメトキシシラン、γ-アミノプロピルトリエトキシシラン、N-β-(アミノエチル)-γ-アミノプロピルトリメトキシシラン、γ-ウレイドプロピルトリエトキシシラン、ビニルトリエトキシシラン、ビニル-トリス(β-メトキシエトキシ)シラン、3-(メタクリロイルオキシ)プロピルトリメトキシシランが挙げられる。上記シランカップリング剤は、反応溶液中で通常０．１〜２０重量％、好ましくは１〜１０重量％となる量を用いればよい。
【０４７４】
上記顔料としては、赤色や青色、緑色の着色パターンを作製するために用いられる顔料であればよく、例えばフタロシアニン系顔料等が挙げられる。該フタロシアニン系顔料としては、中心金属に、マグネシウム、チタン、鉄、コバルト、ニッケル、銅、亜鉛、アルミニウムを含むものが挙げられ、具体的には、Ｃ．Ｉ．ピグメントレッド１、Ｃ．Ｉ．ピグメントレッド２、Ｃ．Ｉ．ピグメントレッド５、Ｃ．Ｉ．ピグメントレッド１７、Ｃ．Ｉ．ピグメントレッド３１、Ｃ．Ｉ．ピグメントレッド３２、Ｃ．Ｉ．ピグメントレッド４１、Ｃ．Ｉ．ピグメントレッド１２２、Ｃ．Ｉ．ピグメントレッド１２３、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１６８、Ｃ．Ｉ．ピグメントレッド１７０、Ｃ．Ｉ．ピグメントレッド１７１、Ｃ．Ｉ．ピグメントレッド１７５、Ｃ．Ｉ．ピグメントレッド１７６、Ｃ．Ｉ．ピグメントレッド１７７、Ｃ．Ｉ．ピグメントレッド１７８、Ｃ．Ｉ．ピグメントレッド１７９、Ｃ．Ｉ．ピグメントレッド１８０、Ｃ．Ｉ．ピグメントレッド１８５、Ｃ．Ｉ．ピグメントレッド１８７、Ｃ．Ｉ．ピグメントレッド２０２、Ｃ．Ｉ．ピグメントレッド２０６、Ｃ．Ｉ．ピグメントレッド２０７、Ｃ．Ｉ．ピグメントレッド２０９、Ｃ．Ｉ．ピグメントレッド２１４、Ｃ．Ｉ．ピグメントレッド２２０、Ｃ．Ｉ．ピグメントレッド２２１、Ｃ．Ｉ．ピグメントレッド２２４、Ｃ．Ｉ．ピグメントレッド２４２、Ｃ．Ｉ．ピグメントレッド２４３、Ｃ．Ｉ．ピグメントレッド２５４、Ｃ．Ｉ．ピグメントレッド２５５、Ｃ．Ｉ．ピグメントレッド２６２、Ｃ．Ｉ．ピグメントレッド２６４、Ｃ．Ｉ．ピグメントレッド２７２、Ｃ．Ｉ．ピグメントブルー１５、Ｃ．Ｉ．ピグメントブルー１５：１、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１５：５、Ｃ．Ｉ．ピグメントブルー１５：６、Ｃ．Ｉ．ピグメントブルー１６、Ｃ．Ｉ．ピグメントブルー１７：１、Ｃ．Ｉ．ピグメントブルー７５、Ｃ．Ｉ．ピグメントブルー７９、Ｃ．Ｉ．ピグメントグリーン７、Ｃ．Ｉ．ピグメントグリーン３６、Ｃ．Ｉ．ピグメントグリーン３７、Ｃ．Ｉ．ピグメントグリーン５８、クロロアルミニウムフタロシアニン、ヒドロキシアルミニウムフタロシアニン、アルミニウムフタロシアニンオキシド、亜鉛フタロシアニンが挙げられる。上記顔料の含有量は、組成物重量に対して１０〜５０重量％、好ましくは１０〜３０重量％である。
【０４７５】
本発明の着色組成物が上記顔料を含む場合、顔料分散剤を含有するのが好ましい。該顔料分散剤としては、例えば、ポリアミドアミン及びその塩、ポリカルボン酸及びその塩、高分子量不飽和酸エステル、変性ポリウレタン、変性ポリエステル、変性ポリ（メタ）アクリレート、変性ポリメタクリレート、アクリル系共重合体、メタクリル系共重合体、ナフタレンスルホン酸ホルマリン縮合物、ポリオキシエチレンアルキルリン酸エステル、ポリオキシエチレンアルキルアミン、アルカノールアミン等が挙げられる。顔料分散剤は、単独で使用しても、２種以上を組み合わせて使用してもよい。その含有量は、顔料の重量に対して、通常１〜８０重量％であり、好ましくは１０〜６０重量％である。
【０４７６】
上記溶剤としては、本発明の着色組成物に含まれる成分に応じて適宜選択すればよい。具体的には例えば、酢酸エチル、酢酸-n-ブチル、酢酸イソブチル、ギ酸アミル、酢酸イソアミル、プロピオン酸ブチル、酪酸イソプロピル、酪酸エチル、酪酸ブチル、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、3-オキシプロピオン酸メチル、3-オキシプロピオン酸エチル、3-メトキシプロピオン酸メチル、3-メトキシプロピオン酸エチル、3-エトキシプロピオン酸メチル、3-エトキシプロピオン酸エチル、2-オキシプロピオン酸メチル、2-オキシプロピオン酸エチル、2-オキシプロピオン酸プロピル、2-メトキシプロピオン酸メチル、2-メトキシプロピオン酸エチル、2-メトキシプロピオン酸プロピル、2-エトキシプロピオン酸メチル、2-エトキシプロピオン酸エチル、2-オキシ-2-メチルプロピオン酸メチル、2-メトキシ-2-メチルプロピオン酸メチル、2-エトキシ-2-メチルプロピオン酸エチル、ピルビン酸メチル、ピルビン酸エチル、ピルビン酸プロピル、アセト酢酸メチル、アセト酢酸エチル、2-オキソブタン酸メチル、2-オキソブタン酸エチル、ジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、プロピレングリコールモノメチルエーテル、プロピレングリコールモノメチルエーテルアセテート、プロピレングリコールモノエチルエーテルアセテート、プロピレングリコールモノプロピルエーテルアセテート、メチルエチルケトン、シクロヘキサノン、2-ヘプタノン、3-ヘプタノン等が挙げられる。上記溶剤の量は、本発明の着色組成物の濃度が、溶剤中通常５〜８０重量％、好ましくは１０〜６０重量％になる量である。
【０４７７】
上記架橋剤としては、架橋反応により膜硬化を行なえるものであれば特に限定されず、市販のもの、あるいは自体公知の方法によって適宜合成したものを用いればよい。具体的には例えば、（ａ）多官能（メタ）アクリレート化合物、（ｂ）多官能エポキシ化合物、（ｃ）多官能ビニルエーテル化合物、（ｄ）多官能アリルエーテル化合物、（ｅ）多官能チオール化合物、（ｆ）酸無水物、（ｇ）メチロール基、アルコキシメチル基及びアシロキシメチル基から選ばれる少なくとも１つの置換基で置換された、メラミン化合物、グアナミン化合物、グリコールウリル化合物又はウレア化合物、（ｈ）メチロール基、アルコキシメチル基、及びアシロキシメチル基から選ばれる少なくとも１つの置換基で置換された、フェノール化合物、ナフトール化合物又はヒドロキシアントラセン化合物等が挙げられ、中でも、（ａ）〜（ｆ）が好ましく、（ａ）がより好ましい。なお、これらの化合物は、少なくとも２個の架橋形成置換基を有する必要がある。上記架橋剤の含有量は、組成物重量に対して、通常２０〜８０重量％、好ましくは３０〜６０重量％である。
【０４７８】
上記（ａ）多官能（メタ）アクリレート化合物としては、例えば、ポリエチレングリコールジ（メタ）アクリレート（エチレン基の数が２〜１４のもの）、ポリプロピレングリコールジ（メタ）アクリレート（プロピレン基の数が２〜１４のもの）、ヘキサンジオールジ（メタ）アクリレート、デカンジオールジ（メタ）アクリレート、トリメチロールプロパンジ（メタ）アクリレート、トリメチロールプロパントリ（メタ）アクリレート、トリメチロールプロパンエトキシトリ（メタ）アクリレート、トリメチロールプロパンプロポキシトリ（メタ）アクリレート、テトラメチロールメタントリ（メタ）アクリレート、テトラメチロールメタンテトラ（メタ）アクリレート、ジペンタエリスリトールペンタ（メタ）アクリレート、ジペンタエリスリトールヘキサ（メタ）アクリレート、エトキシ化ペンタエリスリトールテトラ（メタ）アクリレート（エトキシ基が４０以下のもの）、プロポキシ化ペンタエリスリトールテトラ（メタ）アクリレート（プロポキシ基が４０以下のもの）、エトキシ化トリメチロールプロパントリ（メタ）アクリレート（エトキシ基が４０以下のもの）、プロポキシ化トリメチロールプロパントリ（メタ）アクリレート（プロポキシ基が４０以下のもの）、ビスフェノールＡジオキシエチレンジ（メタ）アクリレート、ビスフェノールＡトリオキシエチレンジ（メタ）アクリレート、ビスフェノールＡデカオキシエチレンジ（メタ）アクリレート、ビスフェノールＡポリオキシエチレンジ（メタ）アクリレート、イソシアヌル酸エトキシ変性トリ（メタ）アクリレート等が挙げられ、中でも、ジペンタエリスリトールペンタ（メタ）アクリレート、ジペンタエリスリトールヘキサ（メタ）アクリレートが好ましい。
【０４７９】
上記（ｂ）多官能エポキシ化合物としては、例えば、ジグリシジルエーテル、エチレングリコールジグリシジルエーテル、ポリエチレングリコールジグリシジルエーテル（エチレン基の数が２〜１４のもの）、プロピレングリコールジグリシジルエーテル、ポリプロピレングリコールジグリシジルエーテル（プロピレン基の数が２〜１４のもの）、ブタンジオールジグリシジルエーテル、ネオペンチルグリコールジグリシジルエーテル、スピログリコールジグリシジルエーテル、1,6-ヘキサンジオールジグリシジルエーテル、トリメチロールプロパンポリグリシジルエーテル、ソルビトールポリグリシジルエーテル、グリセロールジグリシジルエーテル、グリセロールポリグリシジルエーテル、ジグリセロールポリグリシジルエーテル、ポリグリセロールポリグリシジルエーテル、ビスフェノールＡジグリシジルエーテル、ビスフェノールＦジグリシジルエーテル、ビスフェノールＡＤジグリシジルエーテル、ビフェニルジグリシジルエーテル、グリシジル（メタ）アクリレート等が挙げられる。
【０４８０】
上記（ｃ）多官能ビニルエーテル化合物としては、例えば、ポリエチレングリコールジビニルエーテル（エチレン基の数が２〜１４のもの）、ポリプロピレングリコールジビニルエーテル（プロピレン基の数が２〜１４のもの）、ヘキサンジオールジビニルエーテル、デカンジオールジビニルエーテル、トリメチロールプロパンジビニルエーテル、トリメチロールプロパントリビニルエーテル、トリメチロールプロパンエトキシトリビニルエーテル、トリメチロールプロパンプロポキシトリビニルエーテル、テトラメチロールメタントリビニルエーテル、テトラメチロールメタンテトラビニルエーテル、ジペンタエリスリトールペンタビニルエーテル、ジペンタエリスリトールヘキサビニルエーテル、エトキシ化ペンタエリスリトールテトラビニルエーテル（エトキシ基が４０以下のもの）、プロポキシ化ペンタエリスリトールテトラビニルエーテル（プロポキシ基が４０以下のもの）、エトキシ化トリメチロールプロパントリビニルエーテル（エトキシ基が４０以下のもの）、プロポキシ化トリメチロールプロパントリビニルエーテル（プロポキシ基が４０以下のもの）、ビスフェノールＡジオキシエチレンジビニルエーテル、ビスフェノールＡトリオキシエチレンジビニルエーテル、ビスフェノールＡデカオキシエチレンジビニルエーテル、ビスフェノールＡポリオキシエチレンジビニルエーテル、イソシアヌル酸エトキシ変性トリビニルエーテル等が挙げられる。
【０４８１】
上記（ｄ）多官能アリルエーテル化合物としては、例えば、ポリエチレングリコールジアリルエーテル（エチレン基の数が２〜１４のもの）、ポリプロピレングリコールジアリルエーテル（プロピレン基の数が２〜１４のもの）、ヘキサンジオールジアリルエーテル、デカンジオールジアリルエーテル、トリメチロールプロパンジアリルエーテル、トリメチロールプロパントリアリルエーテル、トリメチロールプロパンエトキシトリアリルエーテル、トリメチロールプロパンプロポキシトリアリルエーテル、テトラメチロールメタントリアリルエーテル、テトラメチロールメタンテトラアリルエーテル、ジペンタエリスリトールペンタアリルエーテル、ジペンタエリスリトールヘキサアリルエーテル、エトキシ化ペンタエリスリトールテトラアリルエーテル（エトキシ基が４０以下のもの）、プロポキシ化ペンタエリスリトールテトラアリルエーテル（プロポキシ基が４０以下のもの）、エトキシ化トリメチロールプロパントリアリルエーテル（エトキシ基が４０以下のもの）、プロポキシ化トリメチロールプロパントリアリルエーテル（プロポキシ基が４０以下のもの）、ビスフェノールＡジオキシエチレンジアリルエーテル、ビスフェノールＡトリオキシエチレンジアリルエーテル、ビスフェノールＡデカオキシエチレンジアリルエーテル、ビスフェノールＡポリオキシエチレンジアリルエーテル、イソシアヌル酸エトキシ変性トリアリルエーテル等が挙げられる。
【０４８２】
上記（ｅ）多官能チオール化合物としては、例えば、エチレングリコールビス(3-メルカプトブチレート)、ブタンジオールビス(3-メルカプトブチレート)、ペンタエリスリトールテトラキス(3-メルカプトブチレート)、ジペンタエリスリトールヘキサキス(3-メルカプトブチレート)、エチレングリコールビス(3-メルカプトイソブチレート)、ブタンジオールビス(3-メルカプトイソブチレート)、ペンタエリスリトールテトラキス(3-メルカプトイソブチレート)、ジペンタエリスリトールヘキサキス(3-メルカプトイソブチレート)、トリメチロールプロパントリス(3-メルカプトイソブチレート)、トリス［(3-メルカプトプロピオニルオキシ)エチル］イソシアヌレート、ペンタエリスリトールテトラキス(3-メルカプトプロピオネート)、ジペンタエリスリトールヘキサ(3-メルカプトプロピオネート)、トリメチロールプロパントリス(3-メルカプトプロピオネート)、ジエチレングリコールビス(3-メルカプトプロピオネート)、ペンタエリスリトールテトラキス(3-メルカプトブチレート)、1,4-ビス(3-メルカプトブチリルオキシ)ブタン、1,3,5-トリス(3-メルカプトブチルオキシエチル)-1,3,5-トリアジン-2,4,6-(1H,3H,5H)-トリオン等が挙げられる。
【０４８３】
上記（ｆ）酸無水物を有する化合物としては、例えば、無水フタル酸、テトラヒドロ無水フタル酸、ヘキサヒドロ無水フタル酸、メチルテトラヒドロ無水フタル酸、メチルヘキサヒドロ無水フタル酸、無水ナジック酸、無水メチルナジック酸、無水マレイン酸、無水コハク酸、オクチル無水コハク酸、ドデシル無水コハク酸、無水クロレンディック酸、無水ピロメリット酸、ベンゾフェノンテトラカルボン酸無水物、エチレングリコールビス(アンヒドロトリメート)、メチルシクロヘキセンテトラカルボン酸無水物、無水トリメット酸、ポリアゼライン酸無水物等が挙げられる。
【０４８４】
本発明の着色組成物は、上記記載のもの以外にも、本発明の目的及び効果を妨げない範囲において重合禁止剤、界面活性剤等を含んでいてもよい。さらに、各用途に合わせて、滑性剤、帯電防止剤、紫外線防止剤、酸化防止剤、光安定剤、分散剤、加工安定剤、加工助剤、耐衝撃性改良剤、充填剤、補強剤、防炎剤、可塑剤、発泡剤等のこの分野で通常用いられる添加剤を含んでいてもよい。これらは、自体公知のものであれば特に限定されず、用いられる量もこの分野で通常用いられる量であれば限定されない。
【０４８５】
本発明の着色組成物は、前述の成分を混合して調製される。
【０４８６】
本発明の着色組成物は、自体公知の成形方法により種々の金型や圧延機を用いて所望の形状に成形することができる。具体的には例えば、射出成形法（インジェクション成形法）、圧縮成形法、射出圧縮成形法、押出し成形法、ブロー成形法、カレンダー成形法、インフレーション成形法、Ｔ−ダイ成形法、トランスファー成形法等の成形法により、所望の形状に成形することができる。また、本発明の着色組成物は、自体公知の塗布・貼付方法により、他の材料（金属、ガラス、木、紙、レンガ、コンクリート、高分子材料等）に塗布することや、他の材料と貼り合わせることもできる。具体的には例えば、スリット塗布法、インクジェット法、回転塗布法、流延塗布法、ロール塗布法、スクリーン印刷法等により他の材料に塗布することができる。
【０４８７】
例えば、本発明の着色組成物から着色硬化膜を形成する場合、まずガラス基板等の基板上に自体公知の方法により本発明の着色組成物を塗布し、要すれば塗布面を乾燥させ、次いで、塗布面に対し光硬化及び／又は熱硬化を行うことにより、着色硬化膜を得ることができる。
【０４８８】
上記乾燥方法としては、自体公知の方法であれば特に制限されるものではなく、例えば、ホットプレート、オーブン、赤外線加熱機等を使用し、通常５０〜２００℃、好ましくは５０〜１５０℃で、通常６０秒〜５時間、好ましくは６０秒〜１時間加熱乾燥することによりなされる。
【０４８９】
上記光硬化方法としては、自体公知の方法であれば特に制限されるものではなく、紫外線や電子線等の活性エネルギー線を塗布面に対し照射することによりなされる。具体的には例えば、光源として低圧水銀灯、中圧水銀灯、高圧水銀灯、メタルハライドランプ、ＬＥＤランプ等を使用し、通常２００〜４００ｎｍ、好ましくは３２０〜３８０ｎｍの紫外線を、通常１００〜３０００ｍＪ/ｃｍ２、好ましくは５００〜２０００ｍＪ/ｃｍ２の露光量で照射することによりなされる。
【０４９０】
上記熱硬化方法としては、自体公知の方法であれば特に制限されるものではなく、例えば、ホットプレート、オーブン、赤外線加熱機等を使用し、通常１００〜３００℃、好ましくは１５０〜２５０℃で、通常０．１〜１０時間、好ましくは０．１〜５時間加熱することによりなされる。
【０４９１】
以下に、実施例により本発明をさらに詳細に述べるが、本発明はこれらの実施例に限定されるものではない。
【実施例】
【０４９２】
合成例１  中間体（化合物２）の合成
撹拌装置を備えた丸底フラスコに、ローダミンＢ（化合物１：和光純薬工業(株)製）２．０ｇ（３．９ｍｍｏｌ）、テトラキス(ペンタフルオロフェニル)ホウ素(IV)のリチウム塩（ＬｉＦＡＢＡ）（東ソー・ファインケム(株)製）２．７ｇ（３．９ｍｍｏｌ）及びジクロロメタン３０ｍｌを加え、２５℃で１時間反応を行った。ジクロロメタンで反応液を希釈した後、水で洗浄した。減圧濃縮によって反応液から溶媒を留去し、テトラキス(ペンタフルオロフェニル)ホウ素(IV)アニオンを有する赤紫色固体のカルボン酸体（化合物２）４．１ｇ（収率１００％）を得た。
0006750669.tif 000133
【０４９３】
実施例１  多官能重合性染料（化合物４）の合成
撹拌装置を備えた丸底フラスコに、合成例１で得た中間体（化合物２）４．４ｇ（３．９ｍｍｏｌ）及びジクロロメタン３０ｍｌを加えて溶解し、ペンタエリスリトールトリアクリレート｛化合物３：商品名ライトアクリレートＰＥ−３Ａ（化合物３含量６０．０％）、共栄社化学(株)製｝２．４ｇ（４．７ｍｍｏｌ）、4-ジメチルアミノピリジン（ＤＭＡＰ）（和光純薬工業(株)製）０．１ｇ（１．２ｍｍｏｌ）及び1-エチル-3-(3-ジメチルアミノプロピル)カルボジイミド塩酸塩（ＷＳＣ）（東洋紡(株)製）１．３ｇ（６．７ｍｍｏｌ）を加え、２５℃で３時間反応を行った。反応液を水で洗浄し、減圧濃縮によって反応液から溶媒を留去して赤紫色固体を得た。該固体をシリカゲルカラムで精製し、赤紫色固体を得た。更に、得られた該固体にメタノール１００ｍｌを加えて溶解し、水４０ｍｌをゆっくり滴下して加えて晶析させた後、減圧濃縮によって溶媒を留去し、赤紫色固体の多官能重合性染料（化合物４）１．１５ｇ（収率２１％）を得た。
0006750669.tif 000134
【０４９４】
実施例２  多官能重合性染料（化合物６）の合成
撹拌装置を備えた丸底フラスコに、合成例１で得た中間体（化合物２）８．８ｇ（７．９ｍｍｏｌ）及びジクロロメタン６０ｍｌを加えて溶解し、ジペンタエリスリトールペンタアクリレート｛化合物５：商品名ＮＫエステル  Ａ−９５５０（化合物５含量４０．０％）、新中村化学工業(株)製｝１２．４ｇ（９．４ｍｍｏｌ）、ＤＭＡＰ（和光純薬工業(株)製）０．３ｇ（２．４ｍｍｏｌ）及びＷＳＣ（東洋紡(株)製）２．６ｇ（１３．４ｍｍｏｌ）を加え、２５℃で３時間反応を行った。反応液を水で洗浄し、減圧濃縮によって反応液から溶媒を留去して赤紫色固体を得た。該固体にメタノール１３００ｍｌを加えて溶解し、水３００ｍｌをゆっくり滴下して加えて晶析させた後、減圧濃縮によって溶媒を留去し、赤紫色固体の多官能重合性染料（化合物６）５．３ｇ（収率４１％）を得た。
0006750669.tif 000135
【０４９５】
合成例２  中間体（化合物９）の合成
撹拌装置、空気導入管及びディーンスターク装置を備えた丸底フラスコに、D(-)-ソルビトール（化合物７：和光純薬工業(株)製）７．２ｇ（４０ｍｍｏｌ）、アクリル酸（化合物８：和光純薬工業(株)製）２８．８ｇ（４００ｍｍｏｌ）、p-メトキシフェノール（ＭＥＨＱ）（和光純薬工業(株)製）０．０６ｇ（０．５ｍｍｏｌ）、p-トルエンスルホン酸（ＴｓＯＨ）（和光純薬工業(株)製）２．１ｇ（１２．２ｍｍｏｌ）及びトルエン３０ｍｌを加えて、１１０℃で８時間反応させた。減圧化によりトルエンを留去した後、トルエン５０ｍｌを加えて溶解させた。次いで、反応液を水で洗浄し、再び溶媒を留去して粗体を得た。得られた粗体をシリカゲルカラムクロマトグラフィーにより精製した後、減圧濃縮によって溶媒を留去し、無色液体の中間体（化合物９）１．４ｇ（収率７．７％）を得た。
0006750669.tif 000136
【０４９６】
実施例３  多官能重合性染料（化合物１０）の合成
撹拌装置を備えた丸底フラスコに、合成例１で得た中間体（化合物２）２．９ｇ（２．６ｍｍｏｌ）及びジクロロメタン２０ｍｌを加えて溶解し、合成例２で得た中間体（化合物９）１．４ｇ（３．１ｍｍｏｌ）、ＤＭＡＰ（和光純薬工業(株)製）０．１ｇ（０．８ｍｍｏｌ）及びＷＳＣ（東洋紡(株)製）０．９ｇ（４．５ｍｏｌ）を加え、２５℃で５時間反応を行った。反応液を水で洗浄し、減圧濃縮によって反応液から溶媒を留去して赤紫色固体を得た。該固体にメタノール４００ｍｌを加えて溶解し、水１００ｍｌをゆっくり滴下して加えて晶析させた後、減圧濃縮によって溶媒を留去し、赤紫色固体の多官能重合性染料（化合物１０）０．８ｇ（収率１９％）を得た。
0006750669.tif 000137
【０４９７】
合成例３  中間体（化合物１２）の合成
撹拌装置を備えた丸底フラスコに、無水コハク酸（化合物１１：和光純薬工業(株)製）１．７１ｇ（１７．１ｍｍｏｌ）及びジクロロメタン１００ｍｌを加えた。次いで、ジペンタエリスリトールペンタアクリレート｛化合物５：商品名ＮＫエステル  Ａ−９５５０（化合物５含量４０．０％）、新中村化学工業(株)製｝２４．８ｇ（１８．８ｍｍｏｌ）、ＤＭＡＰ（和光純薬工業(株)製）１８ｍｇ（０．１５ｍｍｏｌ）、トリエチルアミン（Ｅｔ３Ｎ）（和光純薬工業(株)製）１．９ｇ（１８．８ｍｍｏｌ）を加え、室温で２０時間反応した。反応液をジクロロメタンと５％炭酸水素ナトリウム水溶液で洗浄し、水層をｐＨ２程度の酸性にした。酸性の水層を酢酸エチルで抽出し、得られた有機層を硫酸ナトリウムで乾燥し、濃縮して粗体を得た。粗体をカラムクロマトグラフィーにより精製した後、減圧濃縮によって溶媒を留去し、無色液体の中間体（化合物１２）３．０ｇ（収率２８％）を得た。
0006750669.tif 000138
【０４９８】
合成例４  中間体（化合物１４）の合成
撹拌装置を備えた丸底フラスコに、合成例３で得た中間体（化合物１２）３．０ｇ（４．８ｍｍｏｌ）及びエタノール３０ｍｌを加えて溶解し、エタノールアミン（化合物１３）（和光純薬工業(株)）０．４ｇ（５．８ｍｍｏｌ）及び4-(4,6-ジメトキシ-1,3,5-トリアジン-2-イル)-4-メチルモルホリニウムクロリド n-水和物（ＤＭＴ−ＭＭ）（和光純薬工業(株)製）２．３ｇ（８．２ｍｍｏｌ）を加え、２５℃で５時間反応を行った。反応液を水で洗浄し、減圧濃縮によって反応液から溶媒を留去して粗体を得た。粗体をカラムクロマトグラフィーにより精製した後、減圧濃縮によって溶媒を留去し、無色液体の中間体（化合物１４）１．１ｇ（収率３４％）を得た。
0006750669.tif 000139
【０４９９】
実施例４  多官能重合性染料（化合物１５）の合成
撹拌装置を備えた丸底フラスコに、合成例１で得た中間体（化合物２）１．５ｇ（１．３ｍｍｏｌ）及びジクロロメタン１５ｍｌを加えて溶解し、合成例４で得た中間体（化合物１４）１．１ｇ（１．６ｍｍｏｌ）、ＤＭＡＰ（和光純薬工業(株)製）５９ｍｇ（０．５ｍｍｏｌ）及びＷＳＣ（東洋紡(株)製）０．４ｇ（２．２ｍｏｌ）を加え、２５℃で５時間反応を行った。反応液を水で洗浄し、減圧濃縮によって反応液から溶媒を留去して赤紫色固体を得た。該固体にメタノール２１０ｍｌを加えて溶解し、水５０ｍｌをゆっくり滴下して加えて晶析させた後、減圧濃縮によって溶媒を留去し、赤紫色固体の多官能重合性染料（化合物１５）０．５ｇ（収率２２％）を得た。
0006750669.tif 000140
【０５００】
合成例５  中間体（化合物１７）の合成
撹拌装置を備えた丸底フラスコに、無水フタル酸（化合物１６：和光純薬工業(株)製）２．６５ｇ（１７．９ｍｍｏｌ）及びジクロロメタン１００ｍｌを加えた。次いで、ジペンタエリスリトールペンタアクリレート｛化合物５：商品名ＮＫエステル  Ａ−９５５０（化合物５含量４０．０％）、新中村化学工業(株)製｝２４．８ｇ（１８．８ｍｍｏｌ）、ＤＭＡＰ（和光純薬工業(株)製）１８ｍｇ（０．１５ｍｍｏｌ）、Ｅｔ３Ｎ（和光純薬工業(株)製）１．９ｇ（１８．８ｍｍｏｌ）を加え、室温で２８時間反応した。反応液をジクロロメタンと５％炭酸水素ナトリウム水溶液で洗浄し、水層をｐＨ２程度の酸性にした。酸性の水層を酢酸エチルで抽出し、得られた有機層を硫酸ナトリウムで乾燥し、濃縮して粗体を得た。粗体をカラムクロマトグラフィーにより精製した後、減圧濃縮によって溶媒を留去し、中間体（化合物１７）３．６ｇ（収率３１％）を得た。
0006750669.tif 000141
【０５０１】
合成例６  中間体（化合物１８）の合成
撹拌装置を備えた丸底フラスコに、合成例５で得た中間体（化合物１７）３．６ｇ（５．４ｍｍｏｌ）及びエタノール３６ｍｌを加えて溶解し、エタノールアミン（化合物１３：和光純薬工業(株)）０．４ｇ（６．５ｍｍｏｌ）及び4-(4,6-ジメトキシ-1,3,5-トリアジン-2-イル)-4-メチルモルホリニウムクロリド n-水和物（ＤＭＴ−ＭＭ）（和光純薬工業(株)製）２．５ｇ（９．２ｍｍｏｌ）を加え、２５℃で５時間反応を行った。反応液を水で洗浄し、減圧濃縮によって反応液から溶媒を留去して粗体を得た。粗体をカラムクロマトグラフィーにより精製した後、減圧濃縮によって溶媒を留去し、無色液体の中間体（化合物１８）１．２ｇ（収率３１％）を得た。
0006750669.tif 000142
【０５０２】
実施例５  多官能重合性染料（化合物１９）の合成
撹拌装置を備えた丸底フラスコに、合成例１で得た中間体（化合物２）１．６ｇ（１．４ｍｍｏｌ）及びジクロロメタン１５ｍｌを加えて溶解し、合成例６で得た中間体（化合物１８）１．２ｇ（１．７ｍｍｏｌ）、ＤＭＡＰ（和光純薬工業(株)製）４９ｍｇ（０．４ｍｍｏｌ）及びＷＳＣ（東洋紡(株)製）０．５ｇ（２．４ｍｏｌ）を加え、２５℃で５時間反応を行った。反応液を水で洗浄し、減圧濃縮によって反応液から溶媒を留去して赤紫色固体を得た。該固体にメタノール２３０ｍｌを加えて溶解し、水５５ｍｌをゆっくり滴下して加えて晶析させた後、減圧濃縮によって溶媒を留去し、赤紫色固体の多官能重合性染料（化合物１９）０．６ｇ（収率２４％）を得た。
0006750669.tif 000143
【０５０３】
合成例７  中間体（化合物２３）の合成
特開２０１５−３０７９６公報に記載の方法に従って、ポリアミン中間体（化合物２０）を合成した。攪拌機を備えたフラスコに、合成したポリアミン中間体（化合物２０）１０.０ｇ（３４．２ｍｍｏｌ）、５Ｎ水酸化ナトリウム水溶液３０ｍｌ及びアセトニトリル７０ｍｌを加えて、氷浴下、３−クロロプロピオン酸クロリド（化合物２１：和光純薬工業(株)製）１３．０ｇ（１０２．６ｍｍｏｌ）を３０分間かけて滴下し、その後、室温で１時間攪拌した。分液した後、５Ｎ水酸化カリウム水溶液５０ｍｌを加え、３０℃で５時間撹拌した。室温に冷却後、分液し、濃塩酸を用いて中和した。重合禁止剤として、4-ヒドロキシ-2,2,6,6-テトラメチル-1-ピペリジニルオキシ, ラジカル（和光純薬工業(株)製）１８ｍｇ（０．１ｍｍｏｌ）を加え、減圧濃縮し、粗体を得た。得られた粗体をカラムクロマトグラフィーにより精製した後、減圧濃縮によって溶媒を留去し、中間体（化合物２３）６．２ｇ（収率４０％）を得た。
0006750669.tif 000144
【０５０４】
実施例６  多官能重合性染料（化合物２４）の合成
撹拌装置を備えた丸底フラスコに、合成例１で得た中間体（化合物２）８．８ｇ（７．９ｍｍｏｌ）及びジクロロメタン６０ｍｌを加えて溶解し、合成例７で得た中間体（化合物２３）４．３ｇ（９．４ｍｍｏｌ）、ＤＭＡＰ（和光純薬工業(株)製）０．３ｇ（２．４ｍｍｏｌ）及びＷＳＣ（東洋紡(株)製）２．６ｇ（１３．４ｍｏｌ）を加え、２５℃で５時間反応を行った。反応液を水で洗浄し、減圧濃縮によって反応液から溶媒を留去して赤紫色固体を得た。該固体にメタノール１３００ｍｌを加えて溶解し、水３００ｍｌをゆっくり滴下して加えて晶析させた後、減圧濃縮によって溶媒を留去し、赤紫色固体の多官能重合性染料（化合物２４）４．０ｇ（収率３２％）を得た。
0006750669.tif 000145
【０５０５】
合成例８  中間体（化合物２７）の合成
撹拌装置を備えた丸底フラスコに、4-アミノフェニル酢酸（化合物２５：和光純薬工業(株)製）３．７ｇ（２５．０ｍｍｏｌ）、2-(1,3,3-トリメチルインドリン-2-イリデン)アセトアルデヒド(化合物２６：和光純薬工業(株)製）５．０ｇ（２５．０ｍｍｏｌ）及びアセトニトリル３５ｍｌを加えた。続けて、室温で濃硫酸８．６７ｇ（和光純薬工業(株)製）をゆっくり加えた後、５０℃で１６時間反応を行った。室温に冷却後、塩化ナトリウム１０ｇ及び酢酸エチル（ＥｔＯＡｃ）９０ｍｌ加えて、黄色個体を析出させた。３０分撹拌した後、濾取し、黄色固体の中間体（化合物２７）６．８ｇ（収率７７％）を得た。
0006750669.tif 000146
【０５０６】
合成例９  中間体（化合物２８）の合成
撹拌装置を備えた丸底フラスコに、合成例８で得た中間体（化合物２７）２．０ｇ（５．６ｍｍｏｌ）、ＬｉＦＡＢＡ（東ソー・ファインケム(株)製）４．３ｇ（５．６ｍｍｏｌ）及びジクロロメタン１５ｍｌを加え、２５℃で１時間反応を行った。ジクロロメタンで反応液を希釈した後、水で洗浄した。減圧濃縮によって反応液から溶媒を留去し、テトラキス(ペンタフルオロフェニル)ホウ素(IV)アニオンを有する黄色固体のカルボン酸体（化合物２８）５．６ｇ（収率１００％）を得た。
0006750669.tif 000147
【０５０７】
実施例７  多官能重合性染料（化合物２９）の合成
撹拌装置を備えた丸底フラスコに、合成例９で得た中間体（化合物２８）５．６ｇ（５．６ｍｍｏｌ）及びジクロロメタン３０ｍｌを加えて溶解し、ジペンタエリスリトールペンタアクリレート｛化合物５：商品名ＮＫエステル  Ａ−９５５０（化合物５含量４０．０％）、新中村化学工業(株)製｝８．８ｇ（６．７ｍｍｏｌ）、ＤＭＡＰ（和光純薬工業(株)製）０．２ｇ（１．７ｍｍｏｌ）及びＷＳＣ（東洋紡(株)製）１．８ｇ（９．５ｍｏｌ）を加え、２５℃で７時間反応を行った。反応液を水で洗浄し、減圧濃縮によって反応液から溶媒を留去して黄色固体を得た。該固体にメタノール１３００ｍｌを加えて溶解し、水３００ｍｌをゆっくり滴下して加えて晶析させた後、減圧濃縮によって溶媒を留去し、黄色固体の多官能重合性染料（化合物２９）２.０ｇ（収率２４％）を得た。
0006750669.tif 000148
【０５０８】
合成例１０  中間体（化合物３２）の合成
撹拌装置を備えた丸底フラスコに、N,N-ジエチル-3-アミノフェノール（化合物３０：東京化成工業(株)製）１．３ｇ（８．０ｍｍｏｌ）、トリメリト酸無水物（化合物３１：和光純薬工業(株)製）３．１ｇ（１６．０ｍｍｏｌ）及びトルエン１００ｍｌを加えて、還流下で７２時間反応を行った。室温に冷却後、析出した赤紫色固体を濾取した。得られた固体をカラムクロマトグラフィーにより精製した後、減圧濃縮によって溶媒を留去し、中間体（化合物３２）２．３ｇ（収率５９％）を得た。
0006750669.tif 000149
【０５０９】
合成例１１  中間体（化合物３３）の合成
撹拌装置を備えた丸底フラスコに、合成例１０で得た中間体（化合物３２）２．３ｇ（４．７ｍｍｏｌ）及びエタノール５０ｍｌを加えて溶解した。ここにＬｉＦＡＢＡ（東ソー・ファインケム(株)製）３．２ｇ（４．７ｍｍｏｌ）及び１ｍｏｌ／Ｌ塩酸１２ｍｌを加えて、４０℃で５時間反応させた。反応液をジクロロメタン１００ｍｌで希釈した後、イオン交換水で洗浄した。減圧濃縮によって溶媒を留去し、テトラキス(ペンタフルオロフェニル)ホウ素(IV)アニオンを有する赤紫色固体の染料モノマー（化合物３３）５．５ｇ（収率１００％）を得た。
0006750669.tif 000150
【０５１０】
実施例８  多官能重合性染料（化合物３４）の合成
撹拌装置を備えた丸底フラスコに、合成例１１で得た中間体（化合物３３）５．５ｇ（４．７ｍｍｏｌ）及びジクロロメタン４０ｍｌを加えて溶解し、ペンタエリスリトールトリアクリレート｛化合物３：商品名ライトアクリレートＰＥ−３Ａ（化合物３含量６０．０％）、共栄社化学(株)製｝４．５ｇ（９．４ｍｍｏｌ）、ＤＭＡＰ（和光純薬工業(株)製）０．２ｇ（１．４ｍｍｏｌ）及びＷＳＣ（東洋紡(株)製）１．５ｇ（８．０ｍｏｌ）を加え、２５℃で８時間反応を行った。反応液を水で洗浄し、減圧濃縮によって反応液から溶媒を留去して赤紫色固体を得た。該固体にメタノール１３００ｍｌを加えて溶解し、水３００ｍｌをゆっくり滴下して加えて晶析させた後、減圧濃縮によって溶媒を留去し、赤紫色固体の多官能重合性染料（化合物３４）１．５ｇ（収率１８％）を得た。
0006750669.tif 000151
【０５１１】
合成例１２  単官能重合性染料（化合物Ｉ）の合成
ＷＯ２０１４／１２６１６７公報に記載の方法に従って、単官能重合性染料（化合物Ｉ）を合成した。
0006750669.tif 000152
【０５１２】
合成例１３  二官能重合性染料（化合物ＩＩ）の合成
撹拌装置を備えた丸底フラスコに、実施例１で得た中間体（化合物２）４．４ｇ（３．９ｍｍｏｌ）及びジクロロメタン２０ｍｌを加えて溶解し、グリセロールジメタクリレート（化合物３５：商品名ライトエステルＧ１０１Ｐ、共栄社化学(株)製）１．１ｇ（４．７ｍｍｏｌ）、ＤＭＡＰ（和光純薬工業(株)製）０．１ｇ（１．２ｍｍｏｌ）及びＷＳＣ（東洋紡(株)製）１．３ｇ（６．７ｍｍｏｌ）を加え、２５℃で６時間反応を行った。反応液を水で洗浄し、減圧濃縮によって反応液から溶媒を留去して赤紫色固体を得た。該固体をシリカゲルカラムで精製し、赤紫色固体の二官能重合性染料（化合物ＩＩ）２．９０ｇ（収率５５％）を得た。
0006750669.tif 000153
【０５１３】
合成例１４  単官能重合性染料（化合物ＩＩＩ）の合成
ＷＯ２０１４／１３３５７８公報に記載の方法に従って、単官能重合性染料（化合物ＩＩＩ）を合成した。
0006750669.tif 000154
【０５１４】
実験例１  多官能重合性染料を用いた着色組成物の耐溶出性評価
実施例１で得られた化合物４、実施例２で得られた化合物６、又は実施例７で得られた化合物２９を含む着色組成物の耐溶出性を下記のように評価した。【０５１５】
（１）着色組成物の調製
（１−１）バインダーＡの合成
撹拌装置、冷却管、温度計、窒素導入管を備えた丸底フラスコに、プロピレングリコールモノメチルエーテルアセテート（ＰＧＭＥＡ）（和光純薬工業(株)製）９８．５ｇを加え、窒素気流下で内温が９０℃になるまで加熱した。次いで、ベンジルメタクリレート（和光純薬工業(株)製）１８６．２ｇ、メタクリル酸（和光純薬工業(株)製）２５．６ｇ及びジメチル2,2'-アゾビス(2-メチルプロピオネート)（商品名Ｖ−６０１、和光純薬工業(株)製）３３．９ｇを混合した溶液を、加熱したＰＧＭＥＡに２時間かけて滴下した。その後、得られた溶液を９０℃で２時間反応を行った。次に、１００℃に昇温し、１時間反応を行った。反応後、室温まで冷却し、ＰＧＭＥＡ１７１．５ｇを加えて希釈し、淡黄色透明のポリマー溶液を得た。これをバインダーＡとする。尚、バインダーＡの不揮発分濃度は３６．１％であった。【０５１６】
（１−２）着色組成物の調製
下記の成分を表１に記載の分量で混合し、染料の質量パーセント濃度が等しい着色組成物を得た。
［着色組成物の成分］
・重合性染料：化合物４、６又は２９のいずれか１つ
・バインダー：バインダーＡ
・架橋剤：ジペンタエリストールヘキサアクリレート（ＤＰＨＡ）（日本化薬(株)製）
・溶剤：ＰＧＭＥＡ（和光純薬工業(株)製）
・光重合開始剤：1-[4-(フェニルチオ)フェニル]-1,2-オクタンジオン-2-(ο-ベンゾイルオキシム)（商品名イルガキュアＯＸＥ−０１、ＢＡＳＦ社製）
・シランカップリング剤：3-(メタクリロイルオキシ)プロピルトリメトキシシラン（商品名ＬＳ−３３８０、信越化学工業(株)製）【０５１７】
（２）着色硬化膜の作成
上記（１）で得られた着色組成物を、膜厚が１．３〜１．８μｍになるように、３インチのガラスウエハー（コーニング社製イーグルＸＧ）の上にスピンコーターを用いて塗付し、１００℃で９０秒間乾燥した。次いで、露光装置を使用して、塗布膜に３６５ｎｍの波長１０００ｍＪ/ｃｍ２の露光量で照射した。露光後、２３０℃で３０分間乾燥し、着色硬化膜を得た。【０５１８】
（３）耐溶出性評価
ガラスシャーレにＰＧＭＥＡを２０ｇ量りとり、上記（２）で得られた着色硬化膜をガラスウェハーごと２時間浸漬させた。浸漬後、ＰＧＭＥＡ溶液中からガラスウェハーを取り除き、分光光度計（島津製作所製分光光度計ＵＶ−２５５０）を用いて着色硬化膜浸漬後のＰＧＭＥＡ溶液の極大吸収波長での吸光度（λａ）を測定した。【０５１９】
比較例１  単官能重合性染料を用いた着色組成物の耐溶出性評価
化合物４、６又は２９の代わりに、合成例１２で得られた化合物Ｉ又は合成例１４で得られた化合物ＩＩＩを用いた以外は、実験例１と同様にして、化合物Ｉ又は化合物ＩＩＩを含む着色組成物の耐溶出性を評価した。【０５２０】
【表１】
0006750669.tif 000155
【０５２１】
実験例１及び比較例１において得られた吸光度λａを、表２に示す。【０５２２】
また、比較例１−１における吸光度λａを１００として、実験例１−１及び１−２における吸光度比を算出し、これを同一の簡易レジスト組成から溶出した染料の溶出比とした。同様に、比較例１−２における吸光度λａを１００として、実験例１−３における吸光度比を算出し、これを同一の簡易レジスト組成から溶出した染料の溶出比とした。得られた染料の溶出比を表２に示す。【０５２３】
【表２】
0006750669.tif 000156
【０５２４】
着色硬化膜浸漬後のＰＧＭＥＡ溶液を観察すると、比較例１−１では溶液が赤紫色に、比較例１−２では溶液が黄色になっており、共に染料の溶出が肉眼で確認出来た。一方、実験例１−２及び１−３では溶液は無色透明のままであり、肉眼では染料の溶出は確認出来なかった。この観察結果と、上記表２で示される染料の溶出度の結果から、本発明の化合物（多官能重合性染料）を含む着色組成物は、従来の重合性基を一つ持つ重合性染料（単官能重合性染料）を含む着色組成物と比較して、優れた耐溶出性を有する着色硬化物を形成することができることが判った。【０５２５】
実験例２  多官能重合性染料を用いた着色組成物の耐溶出性評価２
実施例１で得られた化合物４、実施例２で得られた化合物６、実施例３で得られた化合物１０、実施例４で得られた化合物１５、実施例５で得られた化合物１９、実施例６で得られた化合物２４、又は実施例８で得られた化合物３４を含む着色組成物の耐溶出性を下記のように評価した。
（１）着色組成物の調製
（１−１）バインダーＢの合成
撹拌装置、冷却管、温度計、窒素導入管を備えた丸底フラスコに、ＰＧＭＥＡ（和光純薬工業(株)製）５３．４ｇを加え、窒素気流下で内温が９５℃になるまで加熱した。次いで、ベンジルメタクリレート（和光純薬工業(株)製）３２．５ｇ、メタクリル酸（和光純薬工業(株)製）３５．０ｇ、スチレン（和光純薬工業(株)製）３２．５ｇ及びジメチル2,2'-アゾビス(2-メチルプロピオネート)（商品名Ｖ−６０１、和光純薬工業(株)製）１５．０ｇを混合した溶液を、加熱したＰＧＭＥＡに２時間かけて滴下した。その後、得られた溶液を９５℃で２時間反応を行った。次に、１００℃に昇温し、１時間反応を行った。反応後、室温まで冷却し、一晩静置した。９０℃まで再加熱し、4-ヒドロキシブチルアクリレートグリシジルエーテル（日本化成(株)製）６７．１ｇ、トリブチルアミン（和光純薬工業(株)製）２．３４ｇ及びパラメトキシフェノール（和光純薬工業(株)製）０．３４ｇを加え、６時間反応を行い、淡黄色透明のポリマー溶液を得た。これをバインダーＢとする。尚、バインダーＢの不揮発分濃度は３９．０％であった。【０５２６】
（１−２）着色組成物の調製
下記の成分を表３に記載の分量で混合し、染料の質量パーセント濃度が等しい着色組成物を得た。
[着色組成物の成分]
・重合性染料：化合物４、６、１０、１５、１９、２４又は３４のいずれか１つ
・バインダー：バインダーＢ
・溶剤：ＰＧＭＥＡ（和光純薬工業(株)製）
・光重合開始剤：ＯＸＥ−０１（ＢＡＳＦ社製）
・シランカップリング剤：ＬＳ−３３８０（信越化学工業(株)製）【０５２７】
（２）着色硬化膜の作成
上記（１）で得られた着色組成物を、膜厚が１．３〜１．８μｍになるように、３インチのガラスウエハー（コーニング社製イーグルＸＧ）の上にスピンコーターを用いて塗付し、１００℃で９０秒間乾燥した。次いで、露光装置を使用して、塗布膜に３６５ｎｍの波長を１０００ｍＪ/ｃｍ２の露光量で照射した。露光後、２３０℃で３０分間乾燥し、着色硬化膜を得た。【０５２８】
（３）耐溶出性評価
ガラスシャーレにＰＧＭＥＡを２０ｇ量りとり、上記（２）で得られた着色硬化膜をガラスウェハーごと２時間浸漬させた。浸漬後、ＰＧＭＥＡ溶液中からガラスウェハーを取り除き、分光光度計（島津製作所製分光光度計ＵＶ−２５５０）を用いて着色硬化膜浸漬後のＰＧＭＥＡ溶液の極大吸収波長での吸光度（λａ）を測定した。【０５２９】
比較例２  二官能重合性染料を用いた着色組成物の耐溶出性評価
化合物４、６、１０、１５、１９、２４又は３４の代わりに、合成例１３で得られた化合物ＩＩを用いた以外は、実験例２と同様にして、化合物ＩＩを含む着色組成物の耐溶出性を評価した。【０５３０】
【表３】
0006750669.tif 000157
【０５３１】
実験例２及び比較例２において得られた吸光度λａを、表４に示す。【０５３２】
また、比較例２−１における吸光度λａを１００として、実験例２−１〜２−７における吸光度比を算出し、これを同一の簡易レジスト組成から溶出した染料の溶出比とした。得られた染料の溶出比を表４に示す。【０５３３】
【表４】
0006750669.tif 000158
【０５３４】
着色硬化膜浸漬後のＰＧＭＥＡ溶液を観察すると、比較例２−１では溶液が赤紫色になっており、染料の溶出が肉眼で確認出来た。一方、実験例２−２〜２−７では溶液は無色透明のままであり、肉眼では染料の溶出は確認出来なかった。この観察結果と、上記表４で示される染料の溶出度の結果から、本発明の化合物を含む着色組成物は、架橋剤を含まない組成であっても、優れた耐溶出性を有する着色硬化物を形成することができることが判った。